(57)【要約】【課題】３次元ビデオ画像を提供する。【解決手段】３次元ビデオ画像を提供するシステムであって、  第１の液晶シャッタを有する第１のレンズと第２の液晶シャッタを有する第２のレンズとを備える眼鏡と、  第１と第２の液晶シャッタを交互に開く制御回路と、  制御回路に作動可能に結合した同期装置であって、  眼鏡のユーザに提示する画像に対応する同期信号を検知する信号受信器と、  送信された同期信号の関数として画像が提示される一定の時間期間中に第１の液晶シャッタと第２の液晶シャッタを開くよう適合した制御回路とを含む同期装置とを備え、  第１と第２の液晶シャッタの少なくとも一方のコントラスト比は約２００から約４００の範囲である、システム。【選択図】図１
2011250405.tif 000002
【特許請求の範囲】
【請求項１】
３次元ビデオ画像を提供するシステムであって、
第１の液晶シャッタを有する第１のレンズと第２の液晶シャッタを有する第２のレンズとを備える眼鏡と、
第１と第２の液晶シャッタを交互に開く制御回路と、
制御回路に作動可能に結合した同期装置であって、
眼鏡のユーザに提示する画像に対応する同期信号を検知する信号受信器と、
送信された同期信号の関数として画像が提示される一定の時間期間中に第１の液晶シャッタと第２の液晶シャッタを開くよう適合した制御回路とを含む同期装置とを備え、
第１と第２の液晶シャッタの少なくとも一方のコントラスト比は約２００から約４００の範囲である、システム。
【請求項２】
各シャッタが、
前部偏光子と、
前部偏光子に結合した４分の1波長膜と、
４分の1波長膜に結合した液晶セルと、
液晶セルに結合した後部偏光子とを備える、請求項１に記載のシステム。
【請求項３】
前部偏光子は約５８度の透過軸を有する、請求項２に記載のシステム。
【請求項４】
４分の1波長膜は約４５度の透過軸を有する、請求項２に記載のシステム。
【請求項５】
後部偏光子は約４５度の透過軸を有する、請求項２に記載のシステム。
【請求項６】
３次元ビデオ画像を提供する方法であって、
第１の液晶シャッタと第２の液晶シャッタとを備える３次元視眼鏡を有することと、
第１の液晶シャッタを開くことと、
第１の液晶シャッタを第１の時間期間に亙り最大透過光量点に保つことと、
第１の液晶シャッタを閉じ、続いて第２の液晶シャッタを開くことと、
第２の液晶シャッタを第２の時間期間に亙り最大透過光量点に保つこととであって、
第１の時間期間が観る人の片側の眼に対する画像提示に対応し、第２の時間期間が観る人の他側の眼に対する画像提示に対応することと、
観る人に提示する画像に対応する同期信号を送信することと、
同期信号を検知することと、
同期信号を用い、第１の液晶シャッタと第２の液晶シャッタを開く時機を判定することを含み、
第１と第２の液晶シャッタの少なくとも一方のコントラスト比が約２００から約４００の範囲である、システム。
【請求項７】
各シャッタが、
前部偏光子と、
前部偏光子に結合した４分の1波長膜と、
４分の1波長膜に結合した液晶セルと、
液晶セルに結合した後部偏光子とを備える、請求項６に記載の方法。
【請求項８】
前部偏光子は約５８度の透過軸を有する、請求項７に記載の方法。
【請求項９】
４分の1波長膜は約４５度の透過軸を有する、請求項７に記載の方法。
【請求項１０】
後部偏光子は約４５度の透過軸を有する、請求項７に記載の方法。
【請求項１１】
３次元ビデオ画像を提供するシステムであって、
第１の液晶シャッタを有する第１のレンズと第２の液晶シャッタを有する第２のレンズとを備える眼鏡と、
第１と第２の液晶シャッタを交互に開く制御回路と、
同期系であって、
眼鏡の前部に配置した反射装置と、
反射装置に向かって同期信号を送信する信号送信器で、同期信号が眼鏡のユーザに提示する画像に対応する信号送信器と、
反射装置で反射された同期信号を検知する信号受信器と、
画像を提示する一定の時間期間中に第１のシャッタと第２のシャッタを開くよう適合された制御回路とを含む、同期系とを備え、
第１と第２の液晶シャッタの少なくとも一方のコントラスト比が約２００から約４００の範囲である、システム。
【請求項１２】
各シャッタが、
前部偏光子と、
前部偏光子に結合した４分の1波長膜と、
４分の1波長膜に結合した液晶セルと、
液晶セルに結合した後部偏光子とを備える、請求項１１に記載のシステム。
【請求項１３】
前部偏光子は約５８度の透過軸を有する、請求項１２に記載のシステム。
【請求項１４】
４分の1波長膜は約４５度の透過軸を有する、請求項１２に記載のシステム。
【請求項１５】
後部偏光子は約４５度の透過軸を有する、請求項１２に記載のシステム。
【請求項１６】
右眼用と左眼用の視認シャッタを有する３Ｄ眼鏡のためのフレームであって、
右眼用と左眼用の視認シャッタを受容する右眼用と左眼用のレンズ開口を画成するフレーム前部と、
前記フレームフロントに結合され、前記フレームフロントから延在し、前記３Ｄ眼鏡のユーザの頭部に取り付けられる右の蔓および左の蔓と、を備え、
蔓の少なくとも一方が眼鏡に対し構造的な強度をもたらす空腔を画成している、フレーム。
【請求項１７】
左右の蔓は共に内側に湾曲している、請求項１６に記載のフレーム。
【請求項１８】
左右の視認シャッタを有する３Ｄ眼鏡であって、
左右の視認シャッタを受容する左右のレンズ開口を画成するフレームと、
左右の視認シャッタの動作を制御する中央コントローラと、
フレームに結合され、中央コントローラを収容し、コントローラの少なくとも一部に対するアクセス用の開口を画成する筺体と、
筺体内に受容され、開口に封止係合するカバーとを備え、
フレームが眼鏡に対し構造的な強度をもたらす少なくとも１つの空腔を画成している、３Ｄ眼鏡。
【請求項１９】
筺体から延出し、共に内側に湾曲する左右の蔓をさらに備える、請求項１８に記載の３Ｄ眼鏡。
【請求項２０】
左右の視認要素を有する３Ｄ眼鏡用のコントローラを収容する方法であって、
ユーザによる着用のため前記右視認要素および左視認要素を支持するフレームを設けることと、
フレーム内にあって３Ｄ眼鏡用のコントローラを収容する筺体を配設することと、
筺体に封止係合する封止要素を有する取り外し可能なカバーを用いてフレーム内に筺体を封止することと、
フレームに接続された左右の蔓に対し構造的な強度をもたらすことを含む、方法。
【請求項２１】
左右のシャッタと内部同期発生器とを備える３Ｄ眼鏡を動作させる方法であって、
外部同期発生器からの左右のシャッタの動作制御信号の存否を判定することと、
外部同期発生器からの左右のシャッタの動作制御信号が存在しない場合、内部同期発生器からの左右のシャッタの動作制御信号を用いて左右のシャッタの動作を制御することを含む、方法。
【請求項２２】
３Ｄ眼鏡であって、
左右のシャッタと、
左右のシャッタの動作を制御する信号を生成する内部同期発生器と、
外部同期発生器から左右のシャッタの動作制御信号を受信する受信器と、
左右のシャッタ、内部動作生成器、および受信器に作動可能に結合したコントローラとを備える、３Ｄ眼鏡。
【請求項２３】
コントローラは、
外部同期発生器からの左右のシャッタ動作制御信号の存否を判定し、
外部同期発生器からの左右のシャッタの動作制御信号が存在しない場合、内部同期発生器からの左右のシャッタの動作制御信号を用いて左右のシャッタの動作を制御するよう適合される、請求項２２に記載の３Ｄ眼鏡。
【請求項２４】
左右のシャッタと内部同期発生器とを有する３Ｄ眼鏡に伴う記憶媒体に格納されるコンピュータが読み取り可能な３Ｄ眼鏡動作プログラム製品であって、
前記プログラム製品は、３Ｄ眼鏡に、
外部同期発生器からの左右のシャッタの動作制御信号の存否を判定することと、
外部同期発生器からの左右のシャッタの動作制御信号が存在しない場合、そこで内部同期発生器からの左右のシャッタの動作制御信号を用いて左右のシャッタの動作を制御することとを含むステップを実行させることができる、３Ｄ眼鏡動作プログラム製品。
【請求項２５】
３Ｄ眼鏡用の液晶シャッタ組立体であって、
液晶セルを備え、
液晶セルのコントラスト比が約２００から約４００の範囲である、組立体。
【請求項２６】
さらに、
前部偏光子と、
前部偏光子と液晶セルに結合した４分の1波長膜と、
液晶セルに結合した後部偏光子とを備える、請求項２５に記載の組立体。
【請求項２７】
前部偏光子は約５８度の透過軸を有する、請求項２６に記載の組立体。
【請求項２８】
４分の1波長膜は約４５度の透過軸を有する、請求項２６に記載の組立体。
【請求項２９】
後部偏光子は約４５度の透過軸を有する、請求項２６に記載の組立体。
【請求項３０】
左右のシャッタを含む３Ｄシャッタ眼鏡であって、
左右のシャッタに作動可能に結合され、左右のシャッタの動作を制御するコントローラと、
コントローラに作動可能に結合され、３Ｄシャッタ眼鏡に関連する１つ以上のパラメータを格納するメモリと、
コントローラに作動可能に結合され、３Ｄシャッタ眼鏡のユーザが３Ｄシャッタ眼鏡に外部コンピュータを作動可能に接続できるようにするインタフェースとを備える、３Ｄシャッタ眼鏡。
【請求項３１】
コントローラに作動可能に結合され、３Ｄシャッタ眼鏡に送信されるＲＦ信号を検知するＲＦセンサをさらに備える、請求項３０に記載の３Ｄシャッタ眼鏡。
【請求項３２】
コントローラに作動可能に結合され、３Ｄシャッタ眼鏡に送信される赤外光信号を検知する赤外光センサをさらに備える、請求項３０または３１に記載の３Ｄシャッタ眼鏡。
【請求項３３】
コントローラに作動可能に結合したユーザインタフェースをさらに備える、請求項３０に記載の３Ｄシャッタ眼鏡。
【請求項３４】
ユーザインタフェースは、３Ｄシャッタ眼鏡の動作モードを調整する１つ以上の制御部を備える、請求項３３に記載の３Ｄシャッタ眼鏡。
【請求項３５】
コントローラに作動可能に結合され、３Ｄシャッタ眼鏡の動作モードの１つ以上のしるしを表示する１つ以上のディスプレイをさらに備える、請求項３０に記載の３Ｄシャッタ眼鏡。
【請求項３６】
コントローラに作動可能に結合したバッテリと、バッテリ充電器をバッテリに作動可能に結合するインタフェースとをさらに備える、請求項３０に記載の３Ｄシャッタ眼鏡。
【請求項３７】
外部バッテリをコントローラに作動可能に結合するインタフェースをさらに備える、請求項３０に記載の３Ｄシャッタ眼鏡。
【請求項３８】
左右のシャッタを含む３Ｄシャッタ眼鏡の作動方法であって、
３Ｄシャッタ眼鏡がＲＦ信号を受信したかどうか判定することと、
３Ｄシャッタ眼鏡がＲＦ信号を受信した場合、３Ｄシャッタ眼鏡が受信したＲＦ信号がフレーム同期信号を含むかどうか判定することとを含む、方法。
【請求項３９】
さらに、
３Ｄシャッタ眼鏡が受信したＲＦ信号がフレーム同期信号を含む場合、必要に応じて３Ｄシャッタ眼鏡の１つ以上の動作パラメータを調整することと、
フライホイール動作モードを実行することと、
新規のフレーム同期信号を３Ｄシャッタ眼鏡が受信したかどうか判定することとを含む、請求項３８に記載の方法。
【請求項４０】
さらに、
新規のフレーム同期信号を３Ｄシャッタ眼鏡が受信した場合、３Ｄシャッタ眼鏡の１つ以上の動作パラメータを必要に応じて調整することと、
フライホイール動作モードを実行することと、
新規のフレーム同期信号を３Ｄシャッタ眼鏡が受信したかどうか判定することとを含む、請求項３９に記載の方法。
【請求項４１】
さらに、
新規のフレーム同期信号を３Ｄシャッタ眼鏡が受信していない場合、フライホイール動作モードのタイムアウトが発生したかどうか判定することを含む、請求項３９に記載の方法。
【請求項４２】
さらに、
フライホイール動作モードのタイムアウトが発生した場合、クリア動作モードに移行することを含む、請求項４１に記載の方法。
【請求項４３】
さらに、
フライホイール動作モードのタイムアウトが発生していない場合、フライホイール動作モードを実行することと、
新規のフレーム同期信号を３Ｄシャッタ眼鏡が受信したかどうか判定することとを含む、請求項４１に記載の方法。
【請求項４４】
左右のシャッタを有する３Ｄシャッタ眼鏡に伴う媒体上に格納されるコンピュータが読み取り可能な３Ｄ眼鏡動作プログラム製品であって、
前記プログラム製品は、３Ｄシャッタ眼鏡に、
３Ｄシャッタ眼鏡がＲＦ信号を受信したかどうか判定することと、
３Ｄシャッタ眼鏡がＲＦ信号を受信した場合、３Ｄシャッタ眼鏡が受信したＲＦ信号がフレーム同期信号を含むかどうか判定することとを含むステップを実行させることができる、３Ｄ眼鏡動作プログラム製品。
【請求項４５】
さらに、
３Ｄシャッタ眼鏡が受信したＲＦ信号がフレーム同期信号含む場合、必要に応じて３Ｄシャッタ眼鏡の１つ以上の動作パラメータを調整するステップと、
フライホイール動作モードを実行するステップと、
新規のフレーム同期信号を３Ｄシャッタ眼鏡が受信したかどうか判定するステップとを含む、請求項４４に記載のプログラム製品。
【請求項４６】
さらに、
新規のフレーム同期信号を３Ｄシャッタ眼鏡が受信した場合、３Ｄシャッタ眼鏡の１つ以上の動作パラメータを必要に応じて調整するステップと、
フライホイール動作モードを実行するステップと、
新規のフレーム同期信号を３Ｄシャッタ眼鏡が受信したかどうか判定するステップとを含む、請求項４５に記載のプログラム製品。
【請求項４７】
さらに、
新規のフレーム同期信号を３Ｄシャッタ眼鏡が受信していない場合、フライホイール動作モードのタイムアウトが発生したかどうか判定するステップを含む、請求項４５に記載のプログラム製品。
【請求項４８】
さらに、
フライホイール動作モードのタイムアウトが発生した場合、クリア動作モードに移行するステップを含む、請求項４７に記載のプログラム製品。
【請求項４９】
さらに、
フライホイール動作モードのタイムアウトが発生していない場合、フライホイール動作モードを実行するステップと、
新規のフレーム同期信号を３Ｄシャッタ眼鏡が受信したかどうか判定するステップとを含む、請求項４７に記載のプログラム製品。
【請求項５０】
左右のシャッタを含む３Ｄシャッタ眼鏡の作動方法であって、
３Ｄシャッタ眼鏡に１つ以上の外部コンピュータを作動可能に結合することと、
ユーザが１つ以上の外部コンピュータを用いて３Ｄシャッタ眼鏡の１つ以上の動作パラメータにアクセスできるようにすることとを含む、方法。
【請求項５１】
ユーザが１つ以上の外部コンピュータを用いて３Ｄシャッタ眼鏡の１つ以上の動作パラメータにアクセスできるようにすることには、
ユーザが３Ｄシャッタ眼鏡の１つ以上の動作パラメータを調整できるようにすることが含まれる、請求項５０に記載の方法。
【請求項５２】
ユーザが１つ以上の外部コンピュータを用いて３Ｄシャッタ眼鏡の１つ以上の動作パラメータにアクセスできるようにすることには、
ユーザが３Ｄシャッタ眼鏡のファームウエアを更新できるようにすることが含まれる、請求項５０に記載の方法。
【請求項５３】
ユーザが１つ以上の外部コンピュータを用いて３Ｄシャッタ眼鏡の１つ以上の動作パラメータにアクセスできるようにすることには、
ユーザが３Ｄシャッタ眼鏡の１つ以上の動作パラメータをリセットできるようにすることが含まれる、請求項５０に記載の方法。
【請求項５４】
ユーザが１つ以上の外部コンピュータを用いて３Ｄシャッタ眼鏡の１つ以上の動作パラメータにアクセスできるようにすることには、
ユーザが３Ｄシャッタ眼鏡の１つ以上の動作パラメータを１つ以上の外部コンピュータにアップロードできるようにすることが含まれる、請求項５０に記載の方法。
【請求項５５】
左右のシャッタを有する３Ｄシャッタ眼鏡に伴う媒体上に格納されたコンピュータが読み取り可能な３Ｄ眼鏡プログラム製品であって、
前記プログラム製品は、３Ｄシャッタ眼鏡に、
３Ｄシャッタ眼鏡に１つ以上の外部コンピュータを作動可能に結合することと、
ユーザが１つ以上の外部コンピュータを用いて３Ｄシャッタ眼鏡の１つ以上の動作パラメータにアクセスできるようにすることとを含むステップを実行させることができる、３Ｄ眼鏡プログラム製品。
【請求項５６】
ユーザが１つ以上の外部コンピュータを用いて３Ｄシャッタ眼鏡の１つ以上の動作パラメータにアクセスできるようにすることは、
ユーザが３Ｄシャッタ眼鏡の１つ以上の動作パラメータを調整できるようにすることが含まれる、請求項５５に記載のプログラム製品。
【請求項５７】
ユーザが１つ以上の外部コンピュータを用いて３Ｄシャッタ眼鏡の１つ以上の動作パラメータにアクセスできるようにすることは、
ユーザが３Ｄシャッタ眼鏡のファームウエアを更新できるようにすることが含まれる、請求項５５に記載のプログラム製品。
【請求項５８】
ユーザが１つ以上の外部コンピュータを用いて３Ｄシャッタ眼鏡の１つ以上の動作パラメータにアクセスできるようにすることは、
ユーザが３Ｄシャッタ眼鏡の１つ以上の動作パラメータをリセットできるようにすることが含まれる、請求項５５に記載のプログラム製品。
【請求項５９】
ユーザが１つ以上の外部コンピュータを用いて３Ｄシャッタ眼鏡の１つ以上の動作パラメータにアクセスできるようにすることは、
ユーザが３Ｄシャッタ眼鏡の１つ以上の動作パラメータを１つ以上の外部コンピュータにアップロードできるようにすることが含まれる、請求項５５に記載のプログラム製品。
【発明の詳細な説明】
【技術分野】
【０００１】
関連出願の相互参照
本出願は、２０１０年５月２１日出願の米国仮特許出願第６１／３４７，２４３号、代理人整理番号第０９２８４７．０００３３３号に基づく出願日遡及の特典を請求するものであり、同開示は参照により本願明細書に組み込むものとする。
【０００２】
本出願は、２０１１年３月１日出願の米国仮特許出願第６１／４４７，８０１号、代理人整理番号第０９２８４７．０００８８４号に基づく出願日遡及の特典を請求するものであり、同開示は参照により本願明細書に組み込むものとする。
【０００３】
本出願は、２０１１年２月２日出願の米国実用特許出願第１３／０１９，８９６号で代理人整理番号第０９２８４７．０００２５４号の一部継続出願であり、同実用特許出願は、２０１０年２月３日出願の米国仮特許出願第６１／３３７，３９２号で代理人整理番号第０９２８４７．０００２４２号と、２０１０年２月４日出願の米国仮特許出願第６１／３３７，４７０号で代理人整理番号第０９２８４７．０００２４３号と、２０１０年２月８日出願の米国仮特許出願第６１／３３７，５６５号で代理人整理番号第０９２８４７．０００２４４号と、２０１０年２月２３日出願の米国仮特許出願第６１／３０７，２８７号で代理人整理番号第０９２８４７．０００２５３号とに基づく出願日遡及の特典を請求するものであり、これら出願の開示は参照により本願明細書に組み込むものとする。
【０００４】
本出願は、いずれも２００９年１１月１６日出願の米国実用特許出願第１２／６１９，５１８号で代理人整理番号第０９２８４７．００００２７号と、第１２／６１９，５１７号で代理人整理番号第０９２８４７．００００４２号と、実用特許出願第１２／６１９，３０９号で代理人整理番号第０９２８４７．００００４３号と、実用特許出願第１２／６１９，４１５号で代理人整理番号第０９２８４７．００００４４号と、実用特許出願第１２／６１９，４００号で代理人整理番号第０９２８４７．００００４５号と、実用特許出願第１２／６１９，４３１号で代理人整理番号第０９２８４７．００００４６号と、実用特許出願第１２／６１９，１６３号で代理人整理番号第０９２８４７．００００６０号と、第１２／６１９，４５６号で代理人整理番号第０９２８４７．００００６４号と、実用特許出願第１２／６１９，１０２号で代理人整理番号第０９２８４７．００００８０号の一部継続出願であり、これら実用特許出願は全て、２００９年５月１８日出願の米国仮特許出願第６１／１７９，２４８号で代理人整理番号第０９２８４７．００００２０号と、２００８年１１月１７日出願の米国仮特許出願第６１／１１５，４７７号で代理人整理番号第０９２８４７．０００００８号とに基づく出願日遡及の特典を主張するものであり、同開示の全てを参照により本願明細書に組み込むものとする。
【背景技術】
【０００５】
本明細書は、観る人に三次元のように見えるビデオ画像を表示するための画像処理システムに関する。
【図面の簡単な説明】
【０００６】
【図１】三次元画像を提供するためのシステムの例示的な実施形態の図である。
【図２】図１のシステムを作動させるための方法の例示的な実施形態のフローチャートである。
【図３】図２の方法の作動を図解するものである。
【図４】図２の方法の一実験的実施形態を図解するものである。
【図５】図１のシステムを作動させるための方法の例示的な実施形態のフローチャートである。
【図６】図１のシステムを作動させるための方法の例示的な実施形態のフローチャートである。
【図７】図１のシステムを作動させるための方法の例示的な実施形態のフローチャートである。
【図８】図７の方法の作動を図解するものである。
【図９】図１のシステムを作動させるための方法の例示的な実施形態のフローチャートである。
【図１０】図９の方法の作動を図解するものである。
【図１１】図１のシステムを作動させるための方法の例示的な実施形態のフローチャートである。
【図１２】図１１の方法の作動を図解するものである。
【図１３】図１のシステムを作動させるための方法の例示的な実施形態のフローチャートである。
【図１４】図１３の方法の作動を図解するものである。
【図１５】図１のシステムを作動させるための方法の例示的な実施形態のフローチャートである。
【図１６】図１のシステムを作動させるための方法の例示的な実施形態の図である。
【図１７】図１のシステムの３Ｄ眼鏡の例示的な実施形態の図である。
【図１８】３Ｄ眼鏡の例示実施形態の概略図である。
【図１８ａ】３Ｄ眼鏡の例示実施形態の概略図である。
【図１８ｂ】３Ｄ眼鏡の例示実施形態の概略図である。
【図１８ｃ】３Ｄ眼鏡の例示実施形態の概略図である。
【図１８ｄ】３Ｄ眼鏡の例示実施形態の概略図である。
【図１９】図１８，１８ａ，１８ｂ，１８ｃ，１８ｄの３Ｄ眼鏡のシャッタコントローラのデジタル制御アナログスイッチの概略図である。
【図２０】図１８，１８ａ，１８ｂ，１８ｃ，１８ｄの３Ｄ眼鏡のシャッタコントローラのデジタル制御アナログスイッチとシャッタとＣＰＵの制御信号の概略図である。
【図２１】図１８，１８ａ，１８ｂ，１８ｃ，１８ｄの３Ｄ眼鏡の例示実施形態の動作を示すフローチャートである。
【図２２】図１８，１８ａ，１８ｂ，１８ｃ，１８ｄの３Ｄ眼鏡の例示実施形態の動作を図解するものである。
【図２３】図１８，１８ａ，１８ｂ，１８ｃ，１８ｄの３Ｄ眼鏡の例示実施形態の動作を示すフローチャートである。
【図２４】図１８，１８ａ，１８ｂ，１８ｃ，１８ｄの３Ｄ眼鏡の例示実施形態の動作を図解するものである。
【図２５】図１８，１８ａ，１８ｂ，１８ｃ，１８ｄの３Ｄ眼鏡の例示実施形態の動作を示すフローチャートである。
【図２６】図１８，１８ａ，１８ｂ，１８ｃ，１８ｄの３Ｄ眼鏡の例示実施形態の動作を図解するものである。
【図２７】図１８，１８ａ，１８ｂ，１８ｃ，１８ｄの３Ｄ眼鏡の例示実施形態の動作を示すフローチャートである。
【図２８】図１８，１８ａ，１８ｂ，１８ｃ，１８ｄの３Ｄ眼鏡の例示実施形態の動作を図解するものである。
【図２９】図１８，１８ａ，１８ｂ，１８ｃ，１８ｄの３Ｄ眼鏡の例示実施形態の動作を図解するものである。
【図３０】３Ｄ眼鏡の例示実施形態の概略図である。
【図３０ａ】３Ｄ眼鏡の例示実施形態の概略図である。
【図３０ｂ】３Ｄ眼鏡の例示実施形態の概略図である。
【図３０ｃ】３Ｄ眼鏡の例示実施形態の概略図である。
【図３１】図３０，３０ａ，３０ｂ，３０ｃの３Ｄ眼鏡のシャッタコントローラのデジタル制御アナログスイッチの概略図である。
【図３２】図３０，３０ａ，３０ｂ，３０ｃの３Ｄ眼鏡のシャッタコントローラのデジタル制御アナログスイッチの動作の概略図である。
【図３３】図３０，３０ａ，３０ｂ，３０ｃの３Ｄ眼鏡の例示実施形態の動作を示すフローチャートである。
【図３４】図３０，３０ａ，３０ｂ，３０ｃの３Ｄ眼鏡の例示実施形態の動作を図解するものである。
【図３５】図３０，３０ａ，３０ｂ，３０ｃの３Ｄ眼鏡の例示実施形態の動作を示すフローチャートである。
【図３６】図３０，３０ａ，３０ｂ，３０ｃの３Ｄ眼鏡の例示実施形態の動作を図解するものである。
【図３７】図３０，３０ａ，３０ｂ，３０ｃの３Ｄ眼鏡の例示実施形態の動作を示すフローチャートである。
【図３８】図３０，３０ａ，３０ｂ，３０ｃの３Ｄ眼鏡の例示実施形態の動作を図解するものである。
【図３９】図３０，３０ａ，３０ｂ，３０ｃの３Ｄ眼鏡の例示実施形態の動作を示すフローチャートである。
【図４０】図３０，３０ａ，３０ｂ，３０ｃの３Ｄ眼鏡の例示実施形態の動作を示すフローチャートである。
【図４１】図３０，３０ａ，３０ｂ，３０ｃの３Ｄ眼鏡の例示実施形態の動作を図解するものである。
【図４２】図３０，３０ａ，３０ｂ，３０ｃの３Ｄ眼鏡の例示実施形態の動作を示すフローチャートである。
【図４３】図３０，３０ａ，３０ｂ，３０ｃの３Ｄ眼鏡の例示実施形態の動作を図解するものである。
【図４４】３Ｄ眼鏡の例示的な実施形態の平面図である。
【図４５】図４４の３Ｄ眼鏡の背面図である。
【図４６】図４４の３Ｄ眼鏡の底面図である。
【図４７】図４４の３Ｄ眼鏡の正面図である。
【図４８】図４４の３Ｄ眼鏡の斜視図である。
【図４９】図４４の３Ｄ眼鏡のためのバッテリ用のハウジングカバーを操作するためのキーの使用の斜視図である。
【図５０】図４４の３Ｄ眼鏡のためのバッテリ用のハウジングカバーを操作するため使用されるキーの斜視図である。
【図５１】図４４の３Ｄ眼鏡のためのバッテリ用のハウジングカバーの斜視図である。
【図５２】図４４の３Ｄ眼鏡の側面図である。
【図５３】図４４の３Ｄ眼鏡のためのハウジングカバー、バッテリおよびＯリングシールの斜視側面図である。
【図５４】図４４の３Ｄ眼鏡のためのハウジングカバー、バッテリおよびＯリングシールの斜視底面図である。
【図５５】図４４の眼鏡の別の実施形態および図５０のハウジングカバーを操作するために使用されるキーの別の実施形態の斜視図である。
【図５６】例示的な実施形態の１つ以上で用いられる信号センサの例示的な実施形態の略図である。
【図５７】図５６の信号センサと共に用いるのに適した例示的なデータ信号を図解するものである。
【図５８】３Ｄ眼鏡の例示実施形態の斜視図である。
【図５９】図５８の３Ｄ眼鏡の別の斜視図である。
【図６０】図５８の３Ｄ眼鏡の別の斜視図である。
【図６１】図５８の３Ｄ眼鏡の正面図である。
【図６２】図５８の３Ｄ眼鏡の別の斜視図である。
【図６３】図５８の３Ｄ眼鏡の別の斜視図である。
【図６４】図５８の３Ｄ眼鏡に使用する液晶シャッタ組立体の例示実施形態の正面図である。
【図６５】図６４の液晶シャッタ組立体の側面図である。
【図６６】図６４の液晶シャッタ組立体別の側面図である。
【図６７】図６４の液晶シャッタ組立体の背面図である。
【図６８】図６４の液晶シャッタ組立体の概略図である。
【図６９】３Ｄシャッタ眼鏡の例示実施形態のブロック図である。
【図７０】図６９の３Ｄシャッタ眼鏡を示す。
【図７１】図７０の３Ｄシャッタ眼鏡の分解図である。
【図７２】図７０の３Ｄシャッタ眼鏡の一部を示す。
【図７３】ａ〜ｃは、図７０の３Ｄシャッタ眼鏡の様々な態様を示す。
【図７４】ａ〜ｃは、図７０の３Ｄシャッタ眼鏡の様々な態様を示す。
【図７５】ａ〜ｃは、図７０の３Ｄシャッタ眼鏡の様々な態様を示す。
【図７６】ａ〜ｄは、図７０の３Ｄシャッタ眼鏡の様々な態様を示す。
【図７７ａ】図６９〜図７６ｄの３Ｄシャッタ眼鏡を動作させる方法の例示実施形態を示すフローチャートである。
【図７７ｂ】図６９〜図７６ｄの３Ｄシャッタ眼鏡を動作させる方法の例示実施形態を示すフローチャートである。
【図７８ａ】図６９〜図７６ｄの３Ｄシャッタ眼鏡を動作させる方法の例示実施形態を示すフローチャートである。
【図７８ｂ】図６９〜図７６ｄの３Ｄシャッタ眼鏡を動作させる方法の例示実施形態を示すフローチャートである。
【発明を実施するための形態】
【０００７】
以下の図面および記載では、明細書および図面全体にわたって同様な部分にはそれぞれ同じ参照番号を付する。図面は必ずしも寸法どおりではない。発明の所定の特徴は、寸法を誇張して示すこと、または多少略して示すことがあり、明瞭かつ簡潔にするために従来の要素の一部の細部は表示しない場合がある。本発明は、異なる形式の実施形態を受け入れる余地がある。本開示は発明の原理の例示であると見なし、本開示中で図示され記載された例示に限定されることが意図されていないという理解の下で、特定の実施形態を詳細に説明し、図面に示す。以下説明する実施形態の異なる教示内容は、所望する結果を得るように、別々に、または適当な任意の組み合わせで使用できることを十分に理解すべきである。当業者が添付図面を参照しながら、実施形態の次の詳細な説明を読めば、上記種々の特性だけでなく、以下より詳細に説明する他の特徴および特性が容易に明らかとなろう。
【０００８】
まず図１を参照すると、映画スクリーン１０２上で三次元（「３Ｄ」）映画を見るためのシステム１００は、左シャッタ１０６および右シャッタ１０８を有する一対の３Ｄ眼鏡１０４を含む。例示的な実施形態では、３Ｄ眼鏡１０４はフレームを含み、シャッタ１０６および１０８は、フレーム内部に搭載され、支持された左右のビューレンズとして設けられている。
【０００９】
例示的な実施形態では、シャッタ１０６および１０８は、不透明状態から透明状態に変わるときに開き、透明状態から不透明状態に戻るときに閉じる液晶セルである。この場合に、透明状態は、３Ｄ眼鏡１０４のユーザが映画スクリーン１０２に投影されている画像を見るために十分な光を透過する状態と定義される。例示的な実施形態では、３Ｄ眼鏡１０４のユーザは、３Ｄ眼鏡１０４のシャッタ１０６および／または１０８の液晶セルが２５〜３０％の透過率となったときに、映画スクリーン１０２に投影されている画像を見ることができてもよい。従って、シャッタ１０６および／または１０８の液晶セルは、液晶セルが２５〜３０％の透過率となったときに開いていると見なされる。シャッタ１０６および／または１０８の液晶セルは、液晶セルが開いているときに２５〜３０％を超える光を透過してもよい。
【００１０】
例示的な実施形態では、３Ｄ眼鏡１０４のシャッタ１０６および１０８は、例えば、メルク社製ＭＬＣ６０８０のような低粘性、高屈折率の液晶材料を利用するＰＩセル構造を有する液晶セルを含む。例示的な実施形態では、ＰＩセルの厚さは、セルの緩和状態においてセルが２分の１波長リターダ（ｒｅｔａｒｄｅｒ）を形成するように調節されている。例示的な実施形態では、ＰＩセルは、２分の１波長状態が完全緩和状態に満たなくても達成されるように、より厚くされる。適当な液晶材料のうちの１つは、メルク社によって製造されているＭＬＣ６０８０であるが、十分に高い光学的異方性、低い回転粘性、および／または、複屈折をもつ任意の液晶が使用されてもよい。３Ｄ眼鏡１０４のシャッタ１０６および１０８は、例えば、４ミクロンのギャップを含む小さいセルギャップを使用してもよい。更に、十分に高い屈折率および低粘性をもつ液晶も３Ｄ眼鏡１０４のシャッタ１０６および１０８での使用に適し得る。
【００１１】
例示的な実施形態では、３Ｄ眼鏡１０４のシャッタ１０６および１０８のＰＩセルは、電気制御複屈折（「ＥＣＢ」）原理で動作する。複屈折とは、電圧を印加しないとき、または、小さいキャッチ電圧を印加したときに、ＰＩセル分子の長さ方向に平行な偏光と長さ方向に垂直な偏光とに対し、ＰＩセルが異なる屈折率ｎｏおよびｎｅを有することを意味する。その差ｎｏ−ｎｅ＝Δｎは光学的異方性である。ｄがセルの厚さである、Δｎ×ｄは光学的厚さである。Δｎ×ｄ＝１／２λであるとき、セルが偏光子の軸に対し４５度で配置されると、ＰＩセルは２分の１波長リターダとしての機能を果たす。従って、単なる厚さではなく、光学的厚さが重要である。例示的な実施形態では、３Ｄ眼鏡１０４のシャッタ１０６および１０８のＰＩセルは、光学的に過度に厚く、すなわち、Δｎ×ｄ＞１／２λにされている。より大きい光学的異方性は、より薄いセル、よって、より高速なセル緩和を意味する。例示的な実施形態では、電圧を印加すると、３Ｄ眼鏡１０４のシャッタ１０６および１０８のＰＩセルの分子の長軸は基板に対し垂直であり、よって、ホメオトロピック配向するので、この状態では複屈折は生じることがなく、偏光子は透過軸が交差するので、光は透過されない。例示的な実施形態では、偏光子が交差しているＰＩセルは、ノーマリーホワイト・モードで動作し、電圧が印加されないときに光を透過すると考えられる。偏光子の透過軸が互いに平行に配向しているＰＩセルはノーマリーブラック・モードで作動し、すなわち、電圧が印加されているときに光を透過する。
【００１２】
例示的な実施形態では、高電圧がＰＩセルから除かれるとき、シャッタ１０６および／または１０８の開きが始まる。これは、弛緩プロセスであり、ＰＩセル内の液晶（「ＬＣ」）分子が平衡状態に復帰することを意味する、すなわち分子は配向層、すなわち基板のラビング方向に整列配置される。ＰＩセルの緩和時間は、セル厚さおよび流体の回転粘性によって決まる。
【００１３】
一般に、ＰＩセルが薄くなるほど、緩和がより高速になる。例示的な実施形態では、重要なパラメータは、ＰＩセルのギャップｄ自体ではなく、Δｎが液晶流体の複屈折である、積Δｎｄである。例示的な実施形態では、開状態において最大光透過を与えるため、ＰＩセルのヘッドオン型光学リタデーションΔｎｄはλ／２とすべきである。複屈折率をより大きくすると、セルをより薄くすることが可能であり、よって、セル緩和をより高速にできる。考えられる最速のスイッチングを提供するため、低回転粘性および高複屈折率Δｎをもつ流体（例えば、ＥＭインダストリーズ社のＭＬＣ６０８０）が使用される。
【００１４】
例示的な実施形態では、低回転粘性およびより高い複屈折率をもつスイッチング流体をＰＩセル内で使用することに加えて、不透明状態から透明状態へのより高速なスイッチングを実現するため、ＰＩセルは、２分の１波長状態が完全緩和に満たない状態で実現されるように光学的に過度に厚くされる。通常、ＰＩセルの厚さは、ＰＩセルが緩和状態で２分の１波長のリターダを形成するように調節されている。しかし、２分の１波長状態が完全緩和に満たない状態で実現されるようにＰＩセルを光学的に過度に厚くすることは、不透明状態から透明状態へのより高速なスイッチングをもたらす。このように、例示的な実施形態のシャッタ１０６および１０８は、従来の液晶シャッタ装置と対比して開き速度を高め、例示的な実験的実施形態では、予想外の結果をもたらした。
【００１５】
例示的な実施形態では、キャッチ電圧は、その後に、液晶分子が過度に回転する前に、ＰＩセル内での液晶分子の回転を停止させるために使用されてもよい。このようにしてＰＩセル内の液晶分子の回転を停止させることにより、光透過はピーク値またはピーク値付近で保持される。
【００１６】
例示的な実施形態では、システム１００は、中央処理ユニット（「ＣＰＵ」）１１０ａを有し映画スクリーン１０２に向けて信号を送信する信号送信機１１０を更に含む。例示的な実施形態では、送信された信号は、映画スクリーン１０２から信号センサ１１２に向けて反射される。送信された信号は、例えば、赤外線（「ＩＲ」）信号、可視光信号、多色信号、または白色光のうちの１つであり得る。一部実施形態では、送信信号は信号センサ１１２に向け直接的に送信され、かくして映画スクリーン１０２で反射させなくてもよい。一部の実施形態では、送信された信号は、例えば、映画スクリーン１０２から反射されない無線周波数（「ＲＦ」）信号とし得る。
【００１７】
信号センサ１１２はＣＰＵ１１４に操作可能に結合されている。例示的な実施形態では、信号センサ１１２は、送信された信号を検出し、信号の存在をＣＰＵ１１４に通信する。ＣＰＵ１１０ａおよびＣＰＵ１１４は、例えば、それぞれに汎用プログラマブルコントローラ、特定用途向け集積回路（「ＡＳＩＣ」），アナログコントローラ、局部集中型コントローラ、分散型コントローラ、プログラマブル・ステート・コントローラ、および／または、上記デバイスのうちの１つ以上の組み合わせを含んでもよい。
【００１８】
ＣＰＵ１１４は、左シャッタコントローラ１１６および右シャッタコントローラ１１８に操作可能に結合され、シャッタコントローラの作動を監視し制御する。例示的な実施形態では、左シャッタコントローラ１１６および右シャッタコントローラ１１８は、今度は、３Ｄ眼鏡１０４の左シャッタ１０６および右シャッタ１０８に操作可能に結合され、左シャッタおよび右シャッタの作動を監視し制御する。シャッタコントローラ１１６および１１８は、例えば、汎用プログラマブルコントローラ、ＡＳＩＣ、アナログコントローラ、アナログもしくはデジタルスイッチ、局部集中型コントローラ、分散型コントローラ、プログラマブル・ステート・コントローラ、および／または、上記デバイスのうちの１つ以上の組み合わせを含んでもよい。
【００１９】
バッテリ１２０は少なくともＣＰＵ１１４に操作可能に結合され、３Ｄ眼鏡１０４のＣＰＵと、信号センサ１１２と、シャッタコントローラ１１６および１１８とのうちの１つ以上を作動させるため給電する。バッテリセンサ１２２はＣＰＵ１１４およびバッテリ１２０に操作可能に結合され、バッテリ内の残存電力量を監視する。
【００２０】
例示的な実施形態では、ＣＰＵ１１４は、信号センサ１１２と、シャッタコントローラ１１６および１１８と、バッテリセンサ１２２とのうちの１つ以上の作動を監視および／または制御してもよい。代替的に、または付加的に、信号センサ１１２と、シャッタコントローラ１１６および１１８と、バッテリセンサ１２２とのうちの１つ以上は、別個の専用コントローラおよび／または複数のコントローラを含んでもよく、それらは信号センサ１１２と、シャッタコントローラ１１６および１１８と、バッテリセンサ１２２とのうちの１つ以上を更に監視および／または制御してもしなくてもよい。代替的に、または付加的に、ＣＰＵ１１４の作動は、３Ｄ眼鏡１０４の他の要素のうちの１つ以上の間で少なくとも部分的に分散されてもよい。
【００２１】
例示的な実施形態では、信号センサ１１２と、ＣＰＵ１１４と、シャッタコントローラ１１６および１１８と、バッテリ１２０と、バッテリセンサ１２２とは、３Ｄ眼鏡１０４のフレーム内部に搭載され、支持されている。映画スクリーン１０２が映画シアター内に位置付けられている場合、プロジェクタ１３０が１つ以上のビデオ画像を映画スクリーンに投影するため設けられてもよい。例示的な実施形態では、信号送信機１１０は、プロジェクタ１３０に近接して位置付けられてもよく、または、プロジェクタ１３０の内部に含まれてもよい。例示実施形態では、プロジェクタ１３０には、１つ以上のビデオ画像を映画スクリーン１０２に表示する電子式プロジェクタ装置、電気機械式プロジェクタ装置、フィルムプロジェクタ、デジタル・ビデオ・プロジェクタ、またはコンピュータディスプレイのうちの１つ以上を含めることができる。代替的に、または映画スクリーン１０２に加えて、テレビ（「ＴＶ」）または他のビデオ表示装置、例えば、３Ｄ眼鏡のユーザが観るための画像を表示する、例えば、フラットスクリーンＴＶ、プラズマＴＶ、ＬＣＤ  ＴＶ、または、他の表示装置などが使用され、それらは３Ｄ眼鏡１０４に信号で知らせる信号送信機１１０、または、付加的な信号送信機を含んでもよく、信号送信機は表示装置表示面に近接して、および／または、表示面の内部に位置付けられてもよい。
【００２２】
例示的な実施形態では、システム１００の作動中に、ＣＰＵ１１４は、信号送信機１１０から信号センサ１１２によって受信された信号に応じて、および／または、バッテリセンサ１２２からＣＰＵによって受信された信号に応じて、３Ｄ眼鏡１０４のシャッタ１０６および１０８の作動を制御する。例示的な実施形態では、ＣＰＵ１１４は、左シャッタコントローラ１１６に左シャッタ１０６を開くように命令すること、および／または、右シャッタコントローラ１１８に右シャッタ１０８を開くように命令してもよい。
【００２３】
例示的な実施形態では、シャッタコントローラ１１６および１１８は、シャッタの液晶セルの両端に電圧を印加することによって、それぞれシャッタ１０６および１０８の作動を制御する。例示的な実施形態では、シャッタ１０６および１０８の液晶セルの両端に印加された電圧は負と正との間で交番する。例示的な実施形態では、シャッタ１０６および１０８の液晶セルは、印加電圧が正であるか負であるかにかかわらず、同じように開閉する。印加電圧を交番させることは、シャッタ１０６および１０８の液晶セルの材料がセルの表面に析出することを阻止する。
【００２４】
例示的な実施形態では、システム１００の作動中に、図２および３に示されるように、システムは左右シャッタ方法２００を実施してもよく、この方法では、２０２ａで、左シャッタ１０６が閉じられ、右シャッタ１０８が開かれる場合、シャッタコントローラ１１６および１１８によって、それぞれに、２０２ｂで、高電圧２０２ｂａが左シャッタ１０６に印加され、電圧２０２ｂｂが右シャッタ１０８に印加されず、その後に低いキャッチ電圧２０２ｂｃが右シャッタ１０８に印加される。例示的な実施形態では、高電圧２０２ｂａを左シャッタ１０６に印加することは、左シャッタを閉じ、右シャッタ１０８に電圧を印加しないことは、右シャッタを開き始める。例示的な実施形態では、右シャッタ１０８への低いキャッチ電圧２０２ｂｃのその後の印加は、右シャッタ内の液晶が右シャッタ１０８の作動中に過度に回転することを阻止する。この結果、２０２ｂで、左シャッタ１０６は閉じられ、右シャッタ１０８が開かれる。
【００２５】
２０２ｃで、左シャッタ１０６が開かれ、右シャッタ１０８が閉じられる場合、２０２ｄで、シャッタコントローラ１１８および１１６によって、それぞれに、高電圧２０２ｄａが右シャッタ１０８に印加され、電圧２０２ｄｂは左シャッタ１０６に印加されず、その後に低いキャッチ電圧２０２ｄｃが左シャッタ１０６に印加される。例示的な実施形態では、高電圧２０２ｄａを右シャッタ１０８に印加することは、右シャッタを閉じ、左シャッタ１０６に電圧を印加しないことは、右シャッタを開き始める。典型的な実施形態では、左シャッタ１０６への低いキャッチ電圧２０２ｄｃのその後の印加は、左シャッタ内の液晶が左シャッタ１０６の作動中に過度に回転することを阻止する。その結果、２０２ｄで、左シャッタ１０６は開かれ、右シャッタ１０８は閉じられる。
【００２６】
例示的な実施形態では、２０２ｂおよび２０２ｄで使用されるキャッチ電圧の大きさは、２０２ｂおよび２０２ｄで使用される高電圧の大きさの約１０〜２０％の範囲にある。
【００２７】
例示的な実施形態では、システム１００の作動中、方法２００の間に、２０２ｂで左シャッタ１０６が閉じ、右シャッタ１０８が開く期間中に、ビデオ画像が右眼に表示され、２０２ｄで左シャッタ１０６が開き、右シャッタ１０８が閉じる期間中に、ビデオ画像が左眼に表示される。例示的な実施形態では、ビデオ画像は、映画シアターのスクリーン１０２、ＬＣＤテレビのスクリーン、デジタル光処理（「ＤＬＰ」）テレビ、ＤＬＰプロジェクタ、プラズマスクリーンなどのうちの１つ以上に映されてもよい。
【００２８】
例示的な実施形態では、システム１００の作動中に、ＣＰＵ１１４は、各シャッタ１０６および１０８に対して、このシャッタ、および、観る人の眼を対象とする画像が表示されるときに同時に開くように命令する。例示的な実施形態では、シャッタ１０６および１０８を正しい時間に開くために同期信号が使用されてもよい。
【００２９】
例示的な実施形態では、同期信号は信号送信機１１０によって送信され、この同期信号は、例えば、赤外線光を含むことができる。例示的な実施形態では、信号送信機１１０は同期信号を反射表面に向けて送信し、この表面はこの信号を３Ｄ眼鏡１０４の内部に位置付けられ搭載されている信号センサ１１２へ反射する。反射表面は、例えば、３Ｄ眼鏡１０４のユーザが映画を鑑賞している間に、ほぼ反射器の方を向くように、映画シアターのスクリーン１０２であり得、または、映画スクリーンに接して、または、近接して位置している別の反射器でもあり得る。例示的な実施形態では、信号送信機１１０は、同期信号をセンサ１１２へ直接的に送信してもよい。例示的な実施形態では、信号センサ１１２は、３Ｄ眼鏡１０４のフレームに搭載され支持されているフォトダイオードを含んでもよい。
【００３０】
同期信号は、左右レンズの各シャッタシーケンス２００の開始時にパルスを与えてもよい。同期信号は、より頻繁に現れ、各シャッタ１０６または１０８の開き命令するためにパルスを供給することができる。同期信号は、あまり頻繁に現れず、シャッタシーケンス２００毎に１回ずつ、５回のシャッタシーケンスあたりに１回ずつ、または、１００回のシャッタシーケンスあたりに１回ずつパルスを供給することができる。ＣＰＵ１１４は、同期信号が存在しない場合に適当なシャッタシーケンスを維持するために内部タイマーを有してもよい。
【００３１】
例示的な実施形態では、シャッタ１０６および１０８における粘性液晶材料と狭いセルギャップとの組み合わせは、光学的に過度に厚いセルをもたらし得る。シャッタ１０６および１０８の中の液晶は、電圧が印加されたときに光透過を遮断する。印加された電圧が除去されると、シャッタ１０６および１０８における液晶内の分子は、配向層の配向に戻るまで回転する。配向層は、光透過を可能にするように液晶セル内の分子を配向させる。光学的に過度に厚い液晶セルでは、液晶分子は電力の除去時に急速に回転し、よって光透過を急速に増加させるが、その後、分子は過度に回転し、光透過は減少する。液晶セル分子の回転が開始したときから、光透過が安定するまで、すなわち、液晶分子回転が停止するまでの時間が真のスイッチング時間である。
【００３２】
例示的な実施形態では、シャッタコントローラ１１６および１１８が小さいキャッチ電圧をシャッタ１０６および１０８に印加するとき、このキャッチ電圧はシャッタ内の液晶セルが過度に回転する前にこの回転を停止させる。シャッタ１０６および１０８における液晶セル内の分子の回転を過度に回転する前に停止させることにより、シャッタにおける液晶セル内の分子を通る光透過はピーク値またはピーク値付近に維持される。よって、有効スイッチング時間は、シャッタ１０６および１０８の中の液晶セルが回転を開始してから、液晶セル内の分子の回転がピーク光透過のポイントまたはポイント付近で停止されるまでの時間である。
【００３３】
次に図４を参照すると、透過は、シャッタ１０６または１０８の中を通って伝達される光の量を指し、透過の値１は、シャッタ１０６または１０８を通る最大光透過のポイントまたは最大光透過のポイント付近を指す。よって、最大限度で光の３７％を透過することができるシャッタ１０６または１０８の場合、透過レベル１は、シャッタ１０６または１０８がこのシャッタの最大限度、すなわち、利用可能な光のうちの３７％を透過していることを示す。当然ながら、使用する特有の液晶セルによっては、シャッタ１０６または１０８によって透過される光の最大量は、例えば、３３％、３０％、または大幅な増減を含む任意の量であることができる。
【００３４】
図４に示されるように、例示的な実験的実施形態では、シャッタ１０６または１０８が作動され、光透過４００が方法２００の作動中に測定された。シャッタ１０６または１０８の例示的な実験的実施形態では、シャッタは約０．５ミリ秒にわたり閉じ、次に、約７ミリ秒の間、シャッタサイクルの前半を通して閉じた状態を維持し、その後、シャッタは約１ミリ秒のうちに最大光透過の約９０％まで開かれ、その後、シャッタは約７ミリ秒の間、開いた状態を維持し、その後、閉じられた。比較として、市販されているシャッタも、方法２００の作動中に同様に作動され、光透過４０２を示した。この例示的な実施形態のシャッタ１０６および１０８の光透過は、方法２００の作動中に、図４に示されるように、１ミリ秒のうちに約２５〜３０％の透過、すなわち、最大光透過の約９０％に到達したが、他方のシャッタは、図４に示されるように、約２．５ミリ秒後になってようやく約２５〜３０％の透過、すなわち、最大光透過の約９０％に到達した。よって、本例示的な実施形態のシャッタ１０６および１０８は、市販されているシャッタより著しく応答性の高い作動をもたらした。これは予期しない結果であった。
【００３５】
次に図５を参照すると、例示的な実施形態では、システム１００は、５０２で信号センサ１１４が信号送信機１１０から赤外線同期（「ｓｙｎｃ」）パルスを受信する作動方法５００を実施する。３Ｄ眼鏡１０４が５０４でランモードでない場合、ＣＰＵ１１４は、５０６で３Ｄ眼鏡１０４がオフモードであるかどうかを判定する。ＣＰＵ１１４が、５０６で３Ｄ眼鏡１０４はオフモードではないと判定した場合、ＣＰＵ１１４は、５０８で通常処理を継続し、その後、５０２へ戻る。ＣＰＵ１１４が、５０６で３Ｄ眼鏡１０４はオフモードであると判定した場合、ＣＰＵ１１４は、次の暗号化された信号に対してＣＰＵ１１４を準備するために５１０で同期反転（「ＳＩ」）および有効フラグをクリアし、５１２でシャッタ１０６および１０８のためのウォームアップ・シーケンスを始動し、その後、通常の作動５０８を続行し、５０２へ戻る。
【００３６】
３Ｄ眼鏡１０４が５０４でランモードにある場合、ＣＰＵ１１４は３Ｄ眼鏡１０４が５１４で暗号化のため既に構成されているかどうかを判定する。３Ｄ眼鏡１０４が５１４で暗号化のため既に構成されている場合、ＣＰＵ１１４は、５０８で通常の作動を継続し、５０２へ進む。３Ｄ眼鏡１０４が５１４で暗号化のため未だ構成されていない場合、ＣＰＵ１１４は、５１６で着信信号が３パルス同期信号であるかどうかをチェックする。着信信号が５１６で３パルス同期信号でない場合、ＣＰＵ１１４は５０８で通常の作動を継続し、５０２へ進む。着信信号が５１６で３パルス同期信号である場合、ＣＰＵ１１４は、信号センサ１１２を使用して５１８で信号送信機１１０から構成データを受信する。ＣＰＵ１１４は、その後、受信された構成データを５２０で解読し、有効であるかどうかを判定する。受信された構成データが５２０で有効である場合、ＣＰＵ１１４は、５２２で新しい構成ＩＤ（「ＣＯＮＩＤ」）が前のＣＯＮＩＤに一致するかどうかを調べるためにチェックする。例示実施形態では、前のＣＯＮＩＤは、例えば、３Ｄ眼鏡１０４の製造中に、ＣＰＵ１１４へ作動可能に結合される例えば不揮発性記憶装置等の記憶装置に記憶させることができる。新しいＣＯＮＩＤが５２２で前のＣＯＮＩＤに一致しない場合、ＣＰＵ１１４は、５２４で３Ｄ眼鏡１０４のシャッタ１０６および１０８にクリアモードへ変わるように命令する。新しいＣＯＮＩＤが５２２において前のＣＯＮＩＤに一致する場合、そこでＣＰＵ１１４は、５２６において、ＳＩとＣＯＮＩＤフラグを設定し、３次元画像を観るためのノーマルモードのシャッタシーケンスを始動させる。
【００３７】
例示的な実施形態では、ランモードまたはノーマルモードで、３Ｄ眼鏡１０４は完全に作動可能である。例示的な実施形態では、オフモードで、３Ｄ眼鏡は作動可能ではない。例示的な実施形態では、ノーマルモードで、３Ｄ眼鏡は作動可能であり、方法２００を実施してもよい。
【００３８】
例示的な実施形態では、信号送信機１１０はシアタープロジェクタ１３０の付近に位置していてもよい。例示的な実施形態では、信号送信機１１０は、数ある機能のうちで、同期信号（「ｓｙｎｃ信号」）を３Ｄ眼鏡１０４の信号センサ１１２へ送信する。信号送信器１１０は、これに代えてあるいはこれに加え、劇場プロジェクタ１３０および／または何らかのディスプレイおよび／または何らかの送出装置から同期信号を受信する。例示的な実施形態では、暗号化信号を、３Ｄ眼鏡１０４が正しい暗号化信号を含まない信号送信機１１０で作動することを阻止するため使用してもよい。さらに、例示実施形態では、暗号化された送信器信号が、暗号化されたデータを受信し処理する装備のない３Ｄ眼鏡１０４を適切に作動させることはない。例示実施形態では、信号送信器１１０は暗号化データを３Ｄ眼鏡１０４へ送信することができる。
【００３９】
次に図６を参照すると、例示的な実施形態では、作動中に、システム１００は作動方法６００を実施し、この方法では、システムは６０２で、電源が入れられたばかりであるため信号送信機１１０がリセットされたかどうかを６０２で判定する。電源が入れられたばかりであるため６０２で信号送信機１１０がリセットされた場合、信号送信機は６０４で新しいランダム同期反転フラグを発生する。信号送信機１１０が６０２でパワーオン・リセット状態でない場合、信号送信機１１０のＣＰＵ１１０ａは、６０６で、所定の時間を超えて同じ同期符号化が使用されたかどうかを判定する。例示的な実施形態では、６０６における所定の時間は、４時間以上、または、典型的な映画、もしくは、他の適当な時間の長さでもよい。同じ同期符号化が６０６で４時間を超えて使用された場合、信号送信機１１０のＣＰＵ１１０ａは６０４で新しい同期反転フラグを発生する。
【００４０】
信号送信機１１０のＣＰＵ１１０ａは、その後、６０８において、信号送信機がプロジェクタ１３０から信号を依然として受信しているかどうかを判定する。信号送信機１１０が６０８においてプロジェクタ１３０からの信号をもはや受信していない場合、信号送信機１１０は、それ自体が有する内部同期発生器を使用して、６１０において適切な時間に同期信号を信号センサ１１２へ送信し続けるようにしてもよい。
【００４１】
作動中に、信号送信機１１０は、例えば、２パルス同期信号と３パルス同期信号との間で交番してもよい。例示的な実施形態では、２パルス同期信号は、３Ｄ眼鏡１０４に左シャッタ１０８を開くように命令し、３パルス同期信号は、３Ｄ眼鏡１０４に右シャッタ１０６を開くように命令する。例示的な実施形態では、信号送信機１１０は、ｎ番目の信号毎に暗号化信号を送信してもよい。
【００４２】
信号送信機１１０が６１２において３パルス同期信号を送信すべきと判定した場合、信号送信機は６１４で最後の暗号化サイクル以降の信号カウントを判定する。例示的な実施形態では、信号送信機１１０は、１０回の信号毎に１回に限り暗号化信号を送信する。しかし、例示的な実施形態では、暗号化信号の間に存在する信号サイクルは増減することができる。信号送信機１１０のＣＰＵ１１０ａが、６１４でｎ番目の３パルス同期ではないと判定した場合、ＣＰＵは、信号送信機に６１６で標準的な３パルス同期信号を送信するように命令する。同期信号がｎ番目の３パルス信号である場合、信号送信機１１０のＣＰＵ１１０ａは、６１８でデータを暗号化し、６２０で構成データが埋め込まれた３パルス同期信号を送信する。信号送信機１１０が６１２で３パルス同期信号を送信すべきでないことを判定した場合、信号送信機は６２２で２パルス同期信号を送信する。
【００４３】
次に図７および８を参照すると、例示的な実施形態では、システム１００の作動中に、信号送信機１１０は作動方法７００を実施し、この方法では、同期パルスが符号化された構成データと組み合わされ、次に信号送信機１１０によって送信される。より詳細には、信号送信機１１０は、クロック信号８００を発生するファームウェア内部クロックを含む。７０２で、信号送信機１１０のＣＰＵ１１０ａは、クロック信号８００がクロックサイクル８０２の先頭にあるかどうかを判定する。信号送信機１１０のＣＰＵ１１０ａが７０２でクロック信号８００はクロックサイクルの先頭にあると判定した場合、信号送信機のＣＰＵは、７０４で構成データ信号８０４が高であるか低であるかを調べるためにチェックする。構成データ信号８０４が高である場合、データパルス信号８０６は７０６で高い値に設定される。構成データ信号８０４が低である場合、データパルス信号８０６は７０８で低い値に設定される。例示的な実施形態では、データパルス信号８０６は同期信号を既に含んでいてもよい。よって、データパルス信号８０６は、７１０で同期信号と組み合わされ、７１０で信号送信機１１０によって送信される。
【００４４】
例示的な実施形態では、暗号化された形式の構成データ信号８０４は、所定の回数の同期信号シーケンスの後、あらゆる同期信号シーケンスの間に送信されてもよく、暗号化動作の前または後に、同期信号シーケンスが埋め込まれてもよく、同期信号シーケンスと重畳されてもよく、または、同期信号シーケンスと組み合わされてもよい。更に、暗号化された形式の構成データ信号８０４は、２パルス同期信号もしくは３パルス同期信号のいずれかで、または、両方で、あるいは、任意の他の個数のパルスの信号で送信されることができる。更に、暗号化された構成データ信号は、何れかの送信端で同期信号を暗号化して、または暗号化せずに、同期信号シーケンスの送信の間で送信されることができる。
【００４５】
例示的な実施形態では、構成データ信号８０４を符号化することは、同期信号シーケンスとともに、またはそれ無しで、例えば、マンチェスタ符号化を使用して行われてもよい。
【００４６】
次に図２、５、８、９および１０を参照すると、例示的な実施形態では、システム１００の作動中に、３Ｄ眼鏡１０４は作動方法９００を実施し、この方法では、９０２で、３Ｄ眼鏡１０４のＣＰＵ１１４はウェイクアップ・モード・タイムアウトをチェックする。例示実施形態では、ウェイクアップモード動作タイムアウトの存在は、９０２において、２秒毎、あるいは他の既定の期間に出現する１００ミリ秒の持続時間をもつハイパルス９０２ａａを有するクロック信号９０２ａによって規定される。例示的な実施形態では、高パルス９０２ａａの存在はウェイクアップ・モード・タイムアウトを示す。
【００４７】
ＣＰＵ１１４が９０２でウェイクアップ・モード・タイムアウトを検出した場合、ＣＰＵは、９０４で信号センサ１１２を使用して同期信号の有無をチェックする。ＣＰＵ１１４が９０４で同期信号を検出した場合、ＣＰＵは９０６で３Ｄ眼鏡１０４を透明作動モードに入れる。例示的な実施形態では、透明作動モードでは、３Ｄ眼鏡は、方法２００および５００のうちの１つ以上を少なくとも部分的に実施し、同期パルスを受信し、および／または、構成データ８０４を処理する。例示的な実施形態では、クリア動作モードにおいて、３Ｄ眼鏡は、少なくとも後述する方法１３００の作動を行ってもよい。
【００４８】
ＣＰＵ１１４が９０４で同期信号を検出しない場合、ＣＰＵは、９０８で３Ｄ眼鏡１０４をオフ作動モードに入れ、次に、９０２で、ＣＰＵはウェイクアップ・モード・タイムアウトをチェックする。例示的な実施形態では、オフ作動モードでは、３Ｄ眼鏡はノーマル作動モードまたは透明作動モードの特徴を示さない。
【００４９】
例示的な実施形態では、方法９００は、３Ｄ眼鏡がオフモードまたはクリアモードのいずれかにあるとき、３Ｄ眼鏡１０４によって実施される。
【００５０】
次に図１１および１２を参照すると、例示的な実施形態では、システム１００の作動中に、３Ｄ眼鏡１０４はウォームアップ作動方法１１００を実施し、このウォームアップ作動方法では、１１０２で３Ｄ眼鏡のＣＰＵ１１４が３Ｄ眼鏡のパワーオンをチェックする。例示的な実施形態では、３Ｄ眼鏡１０４は、ユーザがパワーオン・スイッチを起動することにより、または自動ウェイクアップ・シーケンスのいずれかによってパワーオンされてもよい。３Ｄ眼鏡１０４のパワーオンの場合、３Ｄ眼鏡のシャッタ１０６および１０８は、例えば、ウォームアップ・シーケンスを必要とし得る。所定時間期間に亙る電力をもたないシャッタ１０６，１０８の液晶セルの分子は、不定状態となることがある。
【００５１】
３Ｄ眼鏡１０４のＣＰＵ１１４が１１０２で３Ｄ眼鏡のパワーオンを検出した場合、ＣＰＵは１１０４で交番電圧信号１１０４ａおよび１１０４ｂをそれぞれシャッタ１０６および１０８に印加する。例示的な実施形態では、シャッタ１０６および１０８に印加される電圧は、シャッタの液晶の中のイオン化問題を回避するために正と負のピーク値の間で交番される。例示的な実施形態では、電圧信号１１０４ａおよび１１０４ｂは、少なくとも部分的に互いに位相がずれている。代替的に、電圧信号１１０４ａおよび１１０４ｂは、同相であるか、または、完全に位相がずれていてもよい。例示的な実施形態では、電圧信号１１０４ａおよび１１０４ｂのうちの一方または両方は、零電圧とピーク電圧との間で交番させられてもよい。例示的な実施形態では、シャッタの液晶セルが確かな作動状態に入れられるように、他の形式の電圧信号がシャッタ１０６および１０８に印加されてもよい。例示的な実施形態では、電圧信号１１０４ａおよび１１０４ｂのシャッタ１０６および１０８への印加は、同時または異なる時のいずれかでシャッタを開閉させる。代替的に、電圧信号１１０４ａおよび１１０４ｂの印加は、シャッタ１０６および１０８をすべての時点で閉じる。
【００５２】
電圧信号１１０４ａおよび１１０４ｂのシャッタ１０６および１０８への印加中に、ＣＰＵ１１４は１１０６でウォームアップ・タイムアウトをチェックする。ＣＰＵ１１４が１１０６でウォームアップ・タイムアウトを検出した場合、ＣＰＵは１１０８で電圧信号１１０４ａおよび１１０４ｂのシャッタ１０６および１０８への印加を停止する。
【００５３】
例示的な実施形態では、１１０４および１１０６で、ＣＰＵ１１４は、シャッタの液晶セルを始動させるために十分な期間にわたって電圧信号１１０４ａおよび１１０４ｂをシャッタ１０６および１０８へ印加する。例示的な実施形態では、ＣＰＵ１１４は、２秒間のタイムアウト期間にわたって電圧信号１１０４ａおよび１１０４ｂをシャッタ１０６および１０８へ印加する。例示的な実施形態では、電圧信号１１０４ａおよび１１０４ｂの最大の大きさは１４ボルトとしてもよい。例示的な実施形態では、１１０６においてタイムアウト期間は２秒としてもよい。例示的な実施形態では、電圧信号１１０４ａおよび１１０４ｂの最大の大きさは１４ボルトより大きくしても小さくしてもよく、タイムアウト期間は長くしても短くしてもよい。例示的な実施形態では、方法１１００の間に、ＣＰＵ１１４は、映画を観るときに使用される場合とは異なるレートでシャッタ１０６および１０８を開閉してもよい。例示的な実施形態では、１１０４において、シャッタ１０６および１０８に印加された電圧信号１１０４ａおよび１１０４ｂは、映画を観るため使用されるであろう場合のレートとは異なるレートで交番する。例示的な実施形態では、１１０４において、シャッタ１０６および１０８に印加される電圧信号は交番することがなく、ウォームアップ期間中、一定に印加されるので、シャッタの液晶セルはウォームアップ期間の全体にわたって不透明状態を維持し得る。例示的な実施形態では、ウォームアップ方法１１００は、同期信号の有無にかかわらず行われてもよい。よって、方法１１００は、３Ｄ眼鏡１０４にウォームアップ作動モードを提供する。例示的な実施形態では、ウォームアップ方法１１００を実施した後、３Ｄ眼鏡はノーマルラン作動モードに入り、その後、方法２００を実施してもよい。代替的に、例示的な実施形態では、ウォームアップ方法１１００を実施した後、３Ｄ眼鏡はクリア動作モードに入り、その後、後述される方法１３００を実施してもよい。
【００５４】
次に図１３および１４を参照すると、例示的な実施形態では、システム１００の作動中に、３Ｄ眼鏡１０４は作動方法１３００を実施し、この作動方法では、１３０２において、ＣＰＵ１１４は信号センサ１１２によって検出された同期信号が有効か無効かを調べるためにチェックする。ＣＰＵ１１４が１３０２で同期信号は無効であると判定した場合、ＣＰＵは、１３０４で、電圧信号１３０４ａおよび１３０４ｂを３Ｄ眼鏡のシャッタ１０６および１０８に印加する。例示的な実施形態では、シャッタ１０６および１０８に印加される電圧は、シャッタの液晶の中のイオン化問題を回避するために正と負のピーク値の間で交番される。例示的な実施形態では、電圧信号１１０４ａおよび１１０４ｂのうちの一方または両方は、零電圧とピーク電圧との間で交番させられてもよい。例示的な実施形態では、シャッタの液晶セルが開いた状態を保ち、３Ｄ眼鏡１０４のユーザがシャッタを通して普通に見ることができるように、他の形式の電圧信号がシャッタ１０６および１０８に印加されてもよい。例示的な実施形態では、電圧信号１１０４ａおよび１１０４ｂのシャッタ１０６および１０８への印加はシャッタを開く。
【００５５】
電圧信号１３０４ａおよび１３０４ｂのシャッタ１０６および１０８への印加中に、ＣＰＵ１１４は、１３０６で透明化タイムアウトをチェックする。ＣＰＵ１１４が１３０６で透明化タイムアウトを検出した場合、ＣＰＵは、１３０８で、電圧信号１３０４ａおよび１３０４ｂのシャッタ１０６および１０８への印加を停止する。
【００５６】
よって、例示的な実施形態では、３Ｄ眼鏡１０４が有効な同期信号を検出しない場合、３Ｄ眼鏡は透明作動モードに進み、方法１３００を実施してもよい。透明作動モードにおいて、例示的な実施形態では、３Ｄ眼鏡１０４の両方のシャッタ１０６および１０８は、観る人が３Ｄ眼鏡のシャッタを通して普通に見ることができるように開いた状態を保つ。例示的な実施形態では、正負に交番する定電圧が、３Ｄ眼鏡のシャッタ１０６および１０８の液晶セルを透明状態に維持するために印加される。定電圧は、例えば、２〜３ボルトの範囲であり得るが、定電圧は適度に透明なシャッタを維持するために適する任意の他の電圧でもあり得る。例示的な実施形態では、３Ｄ眼鏡１０４のシャッタ１０６および１０８は、３Ｄ眼鏡が暗号化信号を有効にすることができるまで、透明状態を維持してもよい。例示的な実施形態では、３Ｄ眼鏡のシャッタ１０６および１０８は、３Ｄ眼鏡のユーザが普通に見ることを可能にするレートで交互に開閉してもよい。
【００５７】
よって、方法１３００は、３Ｄ眼鏡１０４の作動を透明化する方法を提供し、それによって、透明作動モードを提供する。
【００５８】
次に図１５を参照すると、例示的な実施形態では、システム１００の作動中に、３Ｄ眼鏡１０４は、バッテリ１２０を監視する方法１５００を実施し、この方法では、１５０２で、３Ｄ眼鏡のＣＰＵ１１４は、バッテリの残存使用時間を判定するためにバッテリセンサ１２２を使用する。３Ｄ眼鏡のＣＰＵ１１４が、バッテリ１２０の残存使用時間が１５０２で適切でないと判定した場合、ＣＰＵは１５０４で低バッテリ寿命状態の表示を与える。
【００５９】
例示実施形態では、不適切な残存バッテリ寿命は３時間未満の任意の期間とすることができる。例示的な実施形態では、適切な残存バッテリ寿命は、３Ｄ眼鏡の製造業者によってプリセットされてもよく、および／または、３Ｄ眼鏡のユーザによってプログラムされてもよい。
【００６０】
例示的な実施形態では、１５０４で、３Ｄ眼鏡１０４のＣＰＵ１１４は、３Ｄ眼鏡のシャッタ１０６および１０８をゆっくり開閉させること、３Ｄ眼鏡のユーザの目に見える適度なレートでシャッタを同時に開閉させること、インジケータ光を点滅すること、可聴音を発生することなどによって低バッテリ寿命状態を示す。
【００６１】
例示的な実施形態では、３Ｄ眼鏡１０４のＣＰＵ１１４が、残存バッテリ寿命が特定された期間にわたって持続するために不十分であることを検出した場合、３Ｄ眼鏡のＣＰＵは、１５０４で低バッテリ状態を示し、その後、ユーザが３Ｄ眼鏡をオンにすることを阻止する。
【００６２】
例示的な実施形態では、３Ｄ眼鏡１０４のＣＰＵ１１４は、３Ｄ眼鏡が透明作動モードへ移るときにいつでも残存バッテリ寿命が適切であるかどうかを判定する。
【００６３】
例示的な実施形態では、３Ｄ眼鏡のＣＰＵ１１４が、バッテリが少なくとも所定の適切な期間にわたって持続することを判定した場合、３Ｄ眼鏡は正常に作動し続ける。正常に作動することは、信号送信機１１０からの有効な信号をチェックしながら５分間にわたってクリア動作モードに留まることと、その後、３Ｄ眼鏡１０４が定期的にウェイクアップして信号送信機からの信号をチェックするオフモードに遷移することとを含む。
【００６４】
例示的な実施形態では、３Ｄ眼鏡１０４のＣＰＵ１１４は、３Ｄ眼鏡を止める直前に低バッテリ条件をチェックする。例示的な実施形態では、バッテリ１２０が所定の適切な残存使用時間にわたって持続しない場合、シャッタ１０６および１０８はゆっくり開閉し始める。
【００６５】
例示的な実施形態では、バッテリ１２０が所定の適切な残存使用時間にわたって持続しない場合、シャッタ１０６および／または１０８は不透明状態に入り、すなわち、液晶セルは２秒間にわたって閉じ、その後、透明状態に入り、すなわち、液晶セルは、１０分の１秒間にわたって開く。シャッタ１０６および／または１０８が開閉する期間は、どのような期間でもよい。
【００６６】
例示的な実施形態では、３Ｄ眼鏡１０４は、ウォームアップ中、ノーマル作動中、クリアモード中、パワーオフ・モード中、または、いずれかの状態の間の遷移時を含むいかなる時に低バッテリ条件をチェックしてもよい。例示的な実施形態では、低バッテリ寿命状態が、観る人が映画を観ている最中である可能性が高いときに検出された場合、３Ｄ眼鏡１０４は低バッテリ状態を直ちに表示しなくてもよい。
【００６７】
一部の実施形態では、３Ｄ眼鏡１０４のＣＰＵ１１４が低バッテリレベルを検出した場合、ユーザは３Ｄ眼鏡の電源をオンにすることができない。
【００６８】
ここで図１６を参照すると、例示実施形態では、３Ｄ眼鏡が適切に動作していることを確認すべく、テスタ１６００を３Ｄ眼鏡１０４の近傍に配置することができる。例示的な実施形態では、テスタ１６００は、テスト信号１６００ｂを３Ｄ眼鏡の信号センサ１１２へ送信する信号送信機１６００ａを含む。例示的な実施形態では、テスト信号１６００ｂは、３Ｄ眼鏡１０４のシャッタ１０６および１０８を３Ｄ眼鏡のユーザの目に見える低レートで開閉させるために低周波数レートを有する同期信号を含んでもよい。例示的な実施形態では、テスト信号１６００ｂに応じたシャッタ１０６および１０８の開閉の失敗は、３Ｄ眼鏡１０４の部品が適切に作動できないことを示し得る。
【００６９】
次に図１７を参照すると、例示的な実施形態では、３Ｄ眼鏡１０４は、ＣＰＵ１１４と、シャッタコントローラ１１６および１１８と、バッテリ１２０とに操作可能に結合され、バッテリの出力電圧をシャッタコントローラの作動のために用いられる電圧より高い電圧に変換するチャージポンプ１７００をさらに含む。
【００７０】
図１８，１８ａ，１８ｂ，１８ｃ，１８ｄを参照すると、後述する点を除き、これまでに図示し説明した３Ｄ眼鏡１０４と設計と動作の点で実質同一である３Ｄ眼鏡１８００の例示実施形態が記載されている。３Ｄ眼鏡１８００は、左シャッタ１８０２と、右シャッタ１８０４と、左シャッタコントローラ１８０６と、右シャッタコントローラ１８０８と、ＣＰＵ１８１０と、バッテリセンサ１８１２と、信号センサ１８１４と、チャージポンプ１８１６とを含む。例示的な実施形態では、３Ｄ眼鏡１８００の左シャッタ１８０２と、右シャッタ１８０４と、左シャッタコントローラ１８０６と、右シャッタコントローラ１８０８と、ＣＰＵ１８１０と、バッテリセンサ１８１２と、信号センサ１８１４と、チャージポンプ１８１６との設計および作動は、これまでに説明され図示された３Ｄ眼鏡１０４の左シャッタ１０６と、右シャッタ１０８と、左シャッタコントローラ１１６と、右シャッタコントローラ１１８と、ＣＰＵ１１４と、バッテリセンサ１２２と、信号センサ１１２と、チャージポンプ１７００と実質的に同一である。
【００７１】
例示的な実施形態では、３Ｄ眼鏡１８００は以下の部品を含む。
【表１−１】
2011250405.tif 000003
【表１−２】
2011250405.tif 000004
【００７２】
例示的な実施形態では、左シャッタコントローラ１８０６は、ＣＰＵ１８１０の制御下で、作動モードに依存して、左シャッタの作動を制御するため、左シャッタ１８０２の両端に電圧を印加するデジタル制御型アナログスイッチＵ１を含む。同様に、右シャッタコントローラ１８０８は、ＣＰＵ１８１０の制御下で、作動モードに依存して、右シャッタの作動を制御するため、右シャッタ１８０４の両端に電圧を印加するデジタル制御型アナログスイッチＵ２を含む。例示的な実施形態では、Ｕ１およびＵ２は、ユニソニックテクノジー社から部品番号ＵＴＣ  ４０５２として、または、テキサスインスツルメンツ社から部品番号ＴＩ  ４０５２として入手できる従来の市販されているデジタル制御型アナログスイッチである。
【００７３】
当業者であれば理解できるように、４０５２デジタル制御型アナログスイッチは、制御入力信号Ａ、ＢおよびＩＮＨＩＢＩＴ（「ＩＮＨ」）と、スイッチＩ／Ｏ信号Ｘ０、Ｘ１、Ｘ２、Ｘ３、Ｙ０、Ｙ１、Ｙ２およびＹ３と、出力信号ＸおよびＹとを含み、以下の真理値表を更に提供する。
【表２】
2011250405.tif 000005
そして、図１９に示されるように、４０５２デジタル制御型アナログスイッチは、機能図１９００を更に提供する。よって、４０５２デジタル制御型アナログスイッチは、それぞれ２つの独立したスイッチを有し、左シャッタコントローラ１８０６および右シャッタコントローラ１８０８がシャッタの作動を制御するために右シャッタ１８０２および左シャッタ１８０４の両端に選択的に制御型電圧を印加することを可能にするデジタル制御型アナログスイッチを提供する。
【００７４】
例示的な実施形態では、ＣＰＵ１８１０は、左シャッタコントローラ１８０６および右シャッタコントローラ１８０８のデジタル制御型アナログスイッチＵ１およびＵ２の作動を制御する出力信号Ａ、Ｂ、Ｃ、ＤおよびＥを発生するマイクロコントローラＵ３を含む。マイクロコントローラＵ３の出力制御信号Ａ、ＢおよびＣは、以下の入力制御信号ＡおよびＢをデジタル制御型アナログスイッチＵ１およびＵ２のそれぞれに供給する。
【表３】
2011250405.tif 000006
【００７５】
例示的な実施形態では、マイクロコントローラＵ３の出力制御信号ＤおよびＥは、デジタル制御型アナログスイッチＵ１およびＵ２のスイッチＩ／Ｏ信号Ｘ０、Ｘ１、Ｘ２、Ｘ３、Ｙ０、Ｙ１、Ｙ２およびＹ３を供給するか、そうでなければ、これらのスイッチＩ／Ｏ信号に影響を与える。
【表４】
2011250405.tif 000007
【００７６】
例示的な実施形態では、ＣＰＵ１８１０のマイクロコントローラＵ３は、マイクロチップ社から市販されているモデル番号ＰＩＣ１６Ｆ６３６プログラマブルマイクロコントローラである。
【００７７】
例示的な実施形態では、バッテリセンサ１８１２は、バッテリ１２０の電圧を検知する電力検出器Ｕ６を含む。例示的な実施形態では、電力検出器Ｕ６は、マイクロチップ社から市販されているモデルＭＣＰ１１１マイクロパワー電圧検出器である。
【００７８】
例示的な実施形態では、信号センサ１８１４は、信号送信機１１０による同期信号および／または構成データを含む信号の伝送を検知するフォトダイオードＤ２を含む。例示的な実施形態では、フォトダイオードＤ２は、オスラム社から市販されているモデルＢＰ１０４ＦＳフォトダイオードである。例示的な実施形態では、信号センサ１８１４は、演算増幅器Ｕ５−１およびＵ５−２と、関連した信号調整部品である抵抗器Ｒ１、Ｒ２、Ｒ３、Ｒ４、Ｒ５、Ｒ６、Ｒ７、Ｒ９、Ｒ１１およびＲ１２、コンデンサＣ５、Ｃ６、Ｃ７およびＣ１０、ならびに、ショットキーダイオードＤ１およびＤ３とを更に含む。
【００７９】
例示的な実施形態では、チャージポンプ１８１６は、チャージポンプを使用して、３Ｖから−１２Ｖまでバッテリ１２０の出力電圧の大きさを増幅する。例示的な実施形態では、チャージポンプ１８１６は、ＭＯＳＦＥＴ  Ｑ１と、ショットキーダイオードＤ５と、インダクタＬ１と、ツェナーダイオードＤ６とを含む。例示的な実施形態では、チャージポンプ１８１６の出力信号は、左シャッタコントローラ１８０６のデジタル制御型アナログスイッチＵ１のスイッチＩ／Ｏ信号Ｘ２およびＹ０への入力信号として供給され、右シャッタコントローラ１８０８のデジタル制御型アナログスイッチＵ２のスイッチＩ／Ｏ信号Ｘ３およびＹ１への入力信号として供給される。
【００８０】
図２０に示されるように、例示的な実施形態では、３Ｄ眼鏡１８００の作動中に、デジタル制御型アナログスイッチＵ１およびＵ２は、ＣＰＵ１８１０の制御信号Ａ、Ｂ、Ｃ、ＤおよびＥの制御下で、左シャッタ１８０２および右シャッタ１８０４の一方または両方の両端に様々な電圧を供給してもよい。より詳細には、デジタル制御型アナログスイッチＵ１およびＵ２は、ＣＰＵ１８１０の制御信号Ａ、Ｂ、Ｃ、ＤおよびＥの制御下で、１）左シャッタ１８０２および右シャッタ１８０４の一方または両方の両端に正または負の１５ボルトの様々な電圧を供給してもよく、２）左シャッタおよび右シャッタの一方または両方の両端に、２〜３ボルトの範囲の正または負の電圧を供給してもよく、３）左シャッタおよび右シャッタの一方または両方の両端に０ボルトを供給、すなわち、ニュートラル状態をもたらしてもよい。例示的な実施形態では、デジタル制御型アナログスイッチＵ１およびＵ２は、ＣＰＵ１８１０の制御信号Ａ、Ｂ、Ｃ、ＤおよびＥの制御下で、例えば、＋３ボルトを−１２ボルトと組み合わせることにより、左シャッタ１８０２及び右シャッタ１８０４の一方または両方の両端に１５ボルトの差を実現して、１５ボルトを供給してもよい。例示的な実施形態では、デジタル制御型アナログスイッチＵ１およびＵ２は、ＣＰＵ１８１０の制御信号Ａ、Ｂ、Ｃ、ＤおよびＥの制御下で、例えば、部品Ｒ８およびＲ１０を含む分圧器を用いてバッテリ１２０の３ボルト出力電圧を２ボルトまで低下させることにより、２ボルトのキャッチ電圧を供給してもよい。
【００８１】
別の選択肢として、デジタル制御アナログスイッチＵ１，Ｕ２は、ＣＰＵ１８１０の制御信号Ａ，Ｂ，Ｃ，ＤおよびＥの制御下で、１）左右のシャッタ１８０２，１８０４の一方または両方の両端に正または負の１５ボルトを供給してもよく、２）左右のシャッタの一方または両方の両端に正または負の約２ボルトの電圧を供給してもよく、３）左右のシャッタの一方または両方の両端に正または負の約３ボルトの電圧を供給してもよく、あるいは４）左右のシャッタの一方または両方の両端に０ボルトを供給、すなわちニュートラル状態としてもよい。例示的な実施形態では、デジタル制御型アナログスイッチＵ１およびＵ２は、ＣＰＵ１８１０の制御信号Ａ、Ｂ、Ｃ、ＤおよびＥの制御下で、例えば、＋３ボルトを−１２ボルトと組み合わせることにより、左シャッタ１８０２及び右シャッタ１８０４の一方または両方の両端に１５ボルトの差を実現して、１５ボルトを供給してもよい。例示的な実施形態では、デジタル制御型アナログスイッチＵ１およびＵ２は、ＣＰＵ１８１０の制御信号Ａ、Ｂ、Ｃ、ＤおよびＥの制御下で、例えば、部品Ｒ８およびＲ１０を含む分圧器を用いてバッテリ１２０の３ボルト出力電圧を２ボルトまで低下させることにより、２ボルトのキャッチ電圧を供給してもよい。
【００８２】
次に図２１および２２を参照すると、例示的な実施形態では、３Ｄ眼鏡１８００の作動中に、３Ｄ眼鏡はノーマルラン作動モード２１００を実行し、ノーマルラン作動モードでは、ＣＰＵ１８１０によって発生された制御信号Ａ、Ｂ、Ｃ、ＤおよびＥが、信号センサ１８１４によって検出された同期信号のタイプに応じて、左シャッタコントローラ１８０６および右シャッタコントローラ１８０８の作動を制御し、次いで、左シャッタコントローラ１８０６および右シャッタコントローラ１８０８が左シャッタ１８０２および右シャッタ１８０４の作動を制御するように使用される。
【００８３】
より詳細には、２１０２で、ＣＰＵ１８１０が、信号センサ１８１４が同期信号を受信したことを検出した場合、２１０４で、ＣＰＵは、受信された同期信号のタイプを判定する。例示的な実施形態では、３パルスを含む同期信号は、左シャッタ１８０２が閉じ、右シャッタ１８０４が開くべきであることを示し、一方、２パルスを含む同期信号は、左シャッタが開き、右シャッタが閉じるべきであることを示す。より一般的には、任意の個数の異なるパルスが左右のシャッタ１８０２および１８０４の開閉を制御するため使用されてもよい。
【００８４】
２１０４において、ＣＰＵ１８１０が、左シャッタ１８０２は閉じ、右シャッタ１８０４は開くべきであることを受信された同期信号が示すと判定した場合、ＣＰＵは２１０６において左右のシャッタコントローラ１８０６，１８０８に制御信号Ａ，Ｂ，Ｃ，ＤおよびＥを送信し、左シャッタ１８０２に高電圧を印加し、右シャッタ１８０４には電圧を印加せず、その後に小さなキャッチ電圧を印加する。例示的な実施形態では、２１０６で左シャッタ１８０２に印加される高電圧の大きさは１５ボルトである。例示的な実施形態では、２１０６で、右シャッタ１８０４に印加されるキャッチ電圧の大きさは２ボルトである。例示実施形態では、ロウまたはハイあるいはオープン状態のいずれかとすることのできる制御信号Ｄの動作状態をオープン状態に制御することで、２１０６において右シャッタ１８０４にキャッチ電圧を印加し、それによって分圧構成要素Ｒ８，Ｒ１０の動作を可能にし、制御信号Ｅをハイ状態に保つ。例示的な実施形態では、２１０６における右シャッタ１８０４へのキャッチ電圧の印加は所定の期間だけ遅延させられ、この所定の期間中に右シャッタの液晶内部の分子のより高速な回転を可能にする。所定の期間の満了後、引き続くキャッチ電圧の印加は、右シャッタ１８０４内の液晶が右シャッタの開状態の間に過度に回転することを阻止する。
【００８５】
別の選択肢として、２１０４において、ＣＰＵ１８２０が、左シャッタ１８０２は開き、右シャッタ１８０４は閉じるべきであることを受信された同期信号が示すと判定した場合、そこでＣＰＵは２１０８において制御信号Ａ，Ｂ，Ｃ，ＤおよびＥを左シャッタコントローラ１８０６と右シャッタコントローラ１８０８へ送信し、右シャッタ１８０４に高電圧を印加し、左シャッタ１８０２には電圧を印加せず、その後に小さなキャッチ電圧を印加する。例示的な実施形態では、２１０８で左シャッタ１８０４に印加される高電圧の大きさは、１５ボルトである。例示的な実施形態では、２１０８で左シャッタ１８０２に印加されるキャッチ電圧の大きさは２ボルトである。例示実施形態では、制御信号Ｄをオープン状態に制御することで、２１０８において左シャッタ１８０２にキャッチ電圧を印加し、それによって分圧構成要素Ｒ８，Ｒ１０の動作を可能にし、制御信号Ｅをハイレベルに保つ。例示的な実施形態では、２１０８における左シャッタ１８０２へのキャッチ電圧の印加は所定の期間だけ遅延させられ、この所定の期間中に左シャッタの液晶内部の分子のより高速な回転を可能にする。所定の期間の満了後、引き続くキャッチ電圧の印加は、左シャッタ１８０２内の液晶が左シャッタの開状態の間に過度に回転することを阻止する。
【００８６】
例示的な実施形態では、方法２１００の間に、左右のシャッタ１８０２および１８０４に印加された電圧は、左右のシャッタの液晶セルへの損傷を防止するため、ステップ２１０６および２１０８のその後の繰り返し中に交互に正および負となる。
【００８７】
よって、方法２１００は、３Ｄ眼鏡１８００のためのノーマル作動モードまたはラン作動モードを提供する。
【００８８】
次に図２３および２４を参照すると、例示的な実施形態では、３Ｄ眼鏡１８００の作動中に、３Ｄ眼鏡はウォームアップ作動方法２３００を実施し、この方法では、ＣＰＵ１８１０によって発生された制御信号Ａ、Ｂ、Ｃ、ＤおよびＥは、左右のシャッタコントローラ１８０６および１８０８の作動を制御して、次に左右のシャッタコントローラ１８０６および１８０８が左右のシャッタ１８０２および１８０４の作動を制御するように使用される。
【００８９】
２３０２で、３Ｄ眼鏡のＣＰＵ１８１０は３Ｄ眼鏡のパワーオンをチェックする。例示的な実施形態では、３Ｄ眼鏡１８１０は、ユーザがパワーオン・スイッチを起動することにより、または自動ウェイクアップ・シーケンスのいずれかによってパワーオンされてもよい。３Ｄ眼鏡１８１０のパワーオンの場合、３Ｄ眼鏡のシャッタ１８０２および１８０４は、例えば、ウォームアップ・シーケンスを必要とし得る。ある一定期間のための電力をもたないシャッタ１８０２および１８０４の液晶セルは、不定状態にあり得る。
【００９０】
３Ｄ眼鏡１８００のＣＰＵ１８１０が２３０２で３Ｄ眼鏡のパワーオンを検出した場合、ＣＰＵは、２３０４で、交番電圧信号２３０４ａおよび２３０４ｂをそれぞれシャッタ１８０２および１８０４に印加する。例示的な実施形態では、左右のシャッタ１８０２および１８０４に印加される電圧は、シャッタの液晶セルの中のイオン化問題を回避するために正と負のピーク値の間で交番される。例示的な実施形態では、電圧信号２３０４ａおよび２３０４ｂは少なくとも部分的に互いに位相がずれてもよい。例示的な実施形態では、電圧信号２３０４ａおよび２３０４ｂのうちの一方または両方は、零電圧とピーク電圧との間で交番させられてもよい。例示的な実施形態では、シャッタの液晶セルが確かな作動状態に入れられるように、他の形式の電圧信号が左右のシャッタ１８０２および１８０４に印加されてもよい。例示的な実施形態では、電圧信号２３０４ａおよび２３０４ｂの左右のシャッタ１８０２および１８０４への印加は、同時または異なる時のいずれかでシャッタを開閉させる。代替的に、左右のシャッタ１８０２および１８０４への電圧信号２３０４ａおよび２３０４ｂの印加は、シャッタを閉じた状態に保ってもよい。
【００９１】
電圧信号２３０４ａおよび２３０４ｂの左右のシャッタ１８０２および１８０４への印加中に、ＣＰＵ１８１０は２３０６でウォームアップ・タイムアウトをチェックする。ＣＰＵ１８１０が２３０６でウォームアップ・タイムアウトを検出した場合、ＣＰＵは２３０８で電圧信号２３０４ａおよび２３０４ｂの左右のシャッタ１８０２および１８０４への印加を停止する。
【００９２】
例示的な実施形態では、２３０４および２３０６で、ＣＰＵ１８１０は、シャッタの液晶セルを始動させるために十分な期間にわたって電圧信号２３０４ａおよび２３０４ｂを左右のシャッタ１８０２および１８０４へ印加する。例示的な実施形態では、ＣＰＵ１８１０は、２秒間にわたって、電圧信号２３０４ａおよび２３０４ｂを左右のシャッタ１８０２および１８０４へ印加する。例示的な実施形態では、電圧信号２３０４ａおよび２３０４ｂの最大の大きさは１５ボルトとしてもよい。例示的な実施形態では、２３０６においてタイムアウト期間は２秒としてもよい。例示的な実施形態では、電圧信号２３０４ａおよび２３０４ｂの最大の大きさは１５ボルトより大きくしても小さくしてもよく、タイムアウト期間は長くしても短くしてもよい。例示的な実施形態では、方法２３００の間に、ＣＰＵ１８１０は、映画を観るときに使用される場合とは異なるレートで左右のシャッタ１８０２および１８０４を開閉してもよい。例示的な実施形態では、２３０４において、左右のシャッタ１８０２および１８０４に印加される電圧信号は交番することがなく、ウォームアップ期間中、一定に印加されるので、シャッタの液晶セルはウォームアップ期間の全体にわたって不透明状態を維持し得る。例示的な実施形態では、ウォームアップ方法２３００は、同期信号の有無にかかわらず行われてもよい。よって、方法２３００は、３Ｄ眼鏡１８００にウォームアップ作動モードを提供する。例示的な実施形態では、ウォームアップ方法２３００を実施した後、３Ｄ眼鏡１８００はノーマル作動モードまたはラン作動モードに入り、その後、方法２１００を実施してもよい。代替的に、例示的な実施形態では、ウォームアップ方法２３００を実施した後、３Ｄ眼鏡１８００は、透明作動モードに入れられ、その後、後述する方法２５００を実施してもよい。
【００９３】
次に図２５および２６を参照すると、例示的な実施形態では、３Ｄ眼鏡１８００の作動中に、３Ｄ眼鏡は作動方法２５００を実施し、この方法では、ＣＰＵ１８１０によって発生された制御信号Ａ、Ｂ、Ｃ、ＤおよびＥは、信号センサ１８１４によって受信された同期信号に応じて、左右のシャッタコントローラ１８０６および１８０８の作動を制御して、次いで左右のシャッタコントローラ１８０６および１８０８が、左右のシャッタ１８０２および１８０４の作動を制御するように使用される。
【００９４】
ＣＰＵ１８１０は、２５０２で、信号センサ１８１４によって検出された同期信号が有効であるか、または、無効であるかを調べるためにチェックする。ＣＰＵ１８１０が、２５０２で同期信号は無効であると判定した場合、ＣＰＵは、２５０４で、電圧信号２５０４ａおよび２５０４ｂを３Ｄ眼鏡１８００の左右のシャッタ１８０２および１８０４に印加する。例示的な実施形態では、左右のシャッタ１８０２および１８０４に印加された電圧２５０４ａおよび２５０４ｂは、シャッタの液晶セルにおけるイオン化問題を回避するために正と負のピーク値の間で交番される。例示的な実施形態では、電圧信号２５０４ａおよび２５０４ｂのうちの一方または両方は、零電圧とピーク電圧との間で交番されてもよい。例示的な実施形態では、シャッタの液晶セルが開いた状態を維持し、その結果、３Ｄ眼鏡１８００のユーザがシャッタを通して普通に見ることができるように、他の形式の電圧信号が左右のシャッタ１８０２および１８０４に印加されてもよい。例示的な実施形態では、電圧信号２５０４ａおよび２５０４ｂの左右のシャッタ１８０２および１８０４への印加は、シャッタを開く。
【００９５】
電圧信号２５０４ａおよび２５０４ｂの左右のシャッタ１８０２および１８０４への印加中に、ＣＰＵ１８１０は２５０６で透明化タイムアウトをチェックする。ＣＰＵ１８１０が２５０６で透明化タイムアウトを検出した場合、ＣＰＵ１８１０は、２５０８で、電圧信号２５０４ａおよび２５０４ｂのシャッタ１８０２および１８０４への印加を停止する。
【００９６】
よって、例示的な実施形態では、３Ｄ眼鏡１８００が有効な同期信号を検出しない場合、３Ｄ眼鏡は透明作動モードに進み、方法２５００を実施してもよい。透明作動モードにおいて、例示的な実施形態では、３Ｄ眼鏡１８００の両方のシャッタ１８０２および１８０４は、観ている人が３Ｄ眼鏡のシャッタを通して普通に見ることができるように開いた状態を保つ。例示的な実施形態では、正負に交番する定電圧が、３Ｄ眼鏡１８００のシャッタ１８０２および１８０４の液晶セルを透明状態に維持するために印加される。定電圧は、例えば、２〜３ボルトの範囲であり得るが、定電圧は適度に透明なシャッタを維持するために適する任意の他の電圧でもあり得る。例示的な実施形態では、３Ｄ眼鏡１８００のシャッタ１８０２および１８０４は、３Ｄ眼鏡が暗号信号を確認することができるまで、および／または、透明化モード・タイムアウトまで透明状態を保ってもよい。例示的な実施形態では、３Ｄ眼鏡１８００のシャッタ１８０２および１８０４は、３Ｄ眼鏡が暗号信号を確認することができるまで透明状態を保ってもよく、その後、方法２１００を実施してもよく、および／または、タイムアウトが２５０６で発生した場合、方法９００を実施してもよい。例示的な実施形態では、３Ｄ眼鏡１８００のシャッタ１８０２および１８０４は、３Ｄ眼鏡のユーザが普通に見ることができるレートで交互に開閉してもよい。
【００９７】
よって、方法２５００は、３Ｄ眼鏡１８００の作動を透明化する方法を提供し、それによって、透明作動モードを提供する。
【００９８】
次に図２７および２８を参照すると、例示的な実施形態では、３Ｄ眼鏡１８００の作動中に、３Ｄ眼鏡はバッテリ１２０を監視する方法２７００を実施し、この方法では、ＣＰＵ１８１０によって発生された制御信号Ａ、Ｂ、Ｃ、ＤおよびＥは、バッテリセンサ１８１２によって検出されるようなバッテリ１２０の状態に応じて、左右のシャッタコントローラ１８０６および１８０８の作動を制御して、次いで左右のシャッタコントローラ１８０６および１８０８が、左右のシャッタ１８０２および１８０４の作動を制御するように使用される。
【００９９】
２７０２で、３Ｄ眼鏡のＣＰＵ１８１０は、バッテリ１２０の残存使用時間を判定するためにバッテリセンサ１８１２を使用する。３Ｄ眼鏡１８００のＣＰＵ１８１０が、２７０２でバッテリ１２０の残存使用時間が適切でないと判定した場合、ＣＰＵは２７０４で低バッテリ寿命状態の表示を与える。
【０１００】
例示実施形態では、不適切な残存バッテリ寿命は３時間未満の任意の期間とすることができる。例示的な実施形態では、適切な残存バッテリ寿命は、３Ｄ眼鏡１８００の製造業者によってプリセットされてもよく、および／または、３Ｄ眼鏡のユーザによってプログラムされてもよい。
【０１０１】
例示的な実施形態では、２７０４で、３Ｄ眼鏡１８００のＣＰＵ１８１０は、３Ｄ眼鏡の左右のシャッタ１８０２および１８０４をゆっくり開閉すること、３Ｄ眼鏡のユーザの目に見える適度なレートでシャッタを同時に開閉すること、インジケータ光を点滅すること、可聴音を発生することなどによって低バッテリ寿命状態を表示する。
【０１０２】
例示的な実施形態では、３Ｄ眼鏡１８００のＣＰＵ１８１０が、残存バッテリ寿命が指定された期間にわたって持続するために不十分であることを検出した場合、３Ｄ眼鏡のＣＰＵは、２７０４で低バッテリ状態を示し、その後、ユーザが３Ｄ眼鏡をオンにすることを阻止する。
【０１０３】
例示的な実施形態では、３Ｄ眼鏡１８００のＣＰＵ１８１０は、３Ｄ眼鏡がオフ作動モードおよび／または透明作動モードに遷移するとき常に残存バッテリ寿命が適切であるかどうかを判定する。
【０１０４】
例示的な実施形態では、３Ｄ眼鏡１８００のＣＰＵ１８１０は、バッテリが少なくとも所定の適切な期間にわたって持続することを判定した場合、３Ｄ眼鏡は正常に作動し続ける。正常に作動することは、例えば、信号送信機１１０からの有効な信号をチェックしながら５分間にわたってクリア動作モードに留まることと、その後、オフモード、または、３Ｄ眼鏡１８００が定期的にウェイクアップして信号送信機からの信号をチェックするターンオンモードに進むこととを含んでもよい。
【０１０５】
例示的な実施形態では、３Ｄ眼鏡１８００のＣＰＵ１８１０は、３Ｄ眼鏡を止める直前に低バッテリ状態をチェックする。例示的な実施形態では、バッテリ１２０が所定の適切な残存使用時間にわたって持続しない場合、シャッタ１８０２および１８０４はゆっくり開閉し始める。
【０１０６】
例示的な実施形態では、バッテリ１２０が所定の適切な残存使用期間にわたって持続しない場合、シャッタ１８０２および／または１８０４は不透明条件に入り、すなわち、液晶セルは２秒間にわたって閉じ、その後、透明条件に入り、すなわち、液晶セルは、１０分の１秒間にわたって開く。シャッタ１８０２および／または１８０４が開閉する期間は、どのような期間でもよい。典型的な実施形態では、シャッタ１８０２および１８０４の開閉は、信号センサ１８１４への電力供給と同期させられ、信号センサが信号送信機１１０からの信号をチェックすることを可能にする。
【０１０７】
例示的な実施形態では、３Ｄ眼鏡１８００は、ウォームアップ中、ノーマル作動中、クリアモード中、パワーオフ・モード中、または、いずれかの条件の間の遷移時を含むいかなる時に低バッテリ状態をチェックしてもよい。例示的な実施形態では、低バッテリ寿命状態が、観る人が映画を観ている最中である可能性が高いときに検出された場合、３Ｄ眼鏡１８００は低バッテリ状態を直ちに示さなくてもよい。
【０１０８】
一部の実施形態では、３Ｄ眼鏡１８００のＣＰＵ１８１０が低バッテリレベルを検出した場合、ユーザは３Ｄ眼鏡の電源をオンにすることができない。
【０１０９】
次に図２９を参照すると、例示的な実施形態では、３Ｄ眼鏡１８００の作動中に、３Ｄ眼鏡は３Ｄ眼鏡をシャットダウンする方法を実施し、この方法では、ＣＰＵ１８１０によって発生された制御信号Ａ、Ｂ、Ｃ、ＤおよびＥは、バッテリセンサ１８１２によって検出されるようなバッテリ１２０の条件に応じて、左右のシャッタコントローラ１８０６および１８０８の作動を制御して、次いで左右のシャッタコントローラ１８０６および１８０８が、左右のシャッタ１８０２および１８０４の作動を制御するように使用される。より詳細には、３Ｄ眼鏡１８００のユーザが３Ｄ眼鏡のシャットダウンを選択した場合、または、ＣＰＵ１８１０が３Ｄ眼鏡のシャットダウンを選択した場合、３Ｄ眼鏡の左右のシャッタ１８０２および１８０４に印加される電圧はどちらも零に設定される。
【０１１０】
図３０，３０ａ，３０ｂ，３０ｃを参照すると、後述する点を除き、これまでに図示し説明した３Ｄ眼鏡１０４と設計と動作の点で実質同一である３Ｄ眼鏡３０００の例示実施形態が記載されている。３Ｄ眼鏡３０００は、左シャッタ３００２と、右シャッタ３００４と、左シャッタコントローラ３００６と、右シャッタコントローラ３００８と、共通シャッタコントローラ３０１０と、ＣＰＵ３０１２と、信号センサ３０１４と、チャージポンプ３０１６と、電圧供給源３０１８とを含む。例示的な実施形態では、３Ｄ眼鏡３０００の左シャッタ３００２と、右シャッタ３００４と、左シャッタコントローラ３００６と、右シャッタコントローラ３００８と、ＣＰＵ３０１２と、信号センサ３０１４と、チャージポンプ３０１６との設計および作動は、後述され、本明細書中に図示される点を除いて、これまでに説明され図示された３Ｄ眼鏡１０４の左シャッタ１０６と、右シャッタ１０８と、左シャッタコントローラ１１６と、右シャッタコントローラ１１８と、ＣＰＵ１１４と、信号センサ１１２と、チャージポンプ１７００と実質的に同一である。
【０１１１】
例示的な実施形態では、３Ｄ眼鏡３０００は以下の部品を含む。
【表５−１】
2011250405.tif 000008
【表５−２】
2011250405.tif 000009
【０１１２】
例示的な実施形態では、左シャッタコントローラ３００６は、デジタル制御型アナログスイッチＵ４を含む共通コントローラ３０１０とＣＰＵ３０１２との制御下で、作動モードに依存して、左シャッタの作動を制御するため、左シャッタ３００２の両端に電圧を印加するデジタル制御型アナログスイッチＵ１を含む。同様に、右シャッタコントローラ３００８は、共通コントローラ３０１０とＣＰＵ３０１２との制御下で、作動モードに依存して、右シャッタ３００４の作動を制御するため、右シャッタ３００４の両端に電圧を印加するデジタル制御型アナログスイッチＵ６を含む。例示的な実施形態では、Ｕ１、Ｕ４およびＵ６は、ユニソニックテクノロジー社から部品番号ＵＴＣ  ４０５３として入手できる従来の市販されているデジタル制御型アナログスイッチである。
【０１１３】
当業者であれば理解できるように、ＵＴＣ  ４０５３デジタル制御型アナログスイッチは、制御入力信号Ａ、Ｂ、ＣおよびＩＮＨＩＢＩＴ（「ＩＮＨ」）と、スイッチＩ／Ｏ信号Ｘ０、Ｘ１、Ｙ０、Ｙ１、Ｚ０およびＺ１と、出力信号Ｘ、ＹおよびＺとを含み、以下の真理値表を更に提供する。
【表６】
2011250405.tif 000010
そして、図３１に示されるように、ＵＴＣ  ４０５３デジタル制御型アナログスイッチは、機能図３１００を更に提供する。よって、ＵＴＣ  ４０５３は、それぞれが３つの独立したスイッチを有し、左右のシャッタコントローラ３００６および３００８と、共通シャッタコントローラ３０１０とが、シャッタの作動を制御するために、ＣＰＵ３０１２の制御下で、左右のシャッタ３００２および３００４の両端に選択的に制御型電圧を印加することを可能にするデジタル制御型アナログスイッチを提供する。
【０１１４】
例示的な実施形態では、ＣＰＵ３０１２は、左右のシャッタコントローラ３００６および３００８と、共通シャッタコントローラ３０１０とのデジタル制御型アナログスイッチＵ１、Ｕ６およびＵ４の作動を制御する出力信号Ａ、Ｂ、Ｃ、Ｄ、Ｅ、ＦおよびＧを発生するマイクロコントローラＵ２を含む。
【０１１５】
マイクロコントローラＵ２の出力制御信号Ａ、Ｂ、Ｃ、Ｄ、Ｅ、ＦおよびＧは、以下の入力制御信号Ａ、Ｂ、ＣおよびＩＮＨをデジタル制御型アナログスイッチＵ１、Ｕ６およびＵ４のそれぞれに供給する。
【表７】
2011250405.tif 000011
【０１１６】
例示的な実施形態では、Ｕ１の入力制御信号ＩＮＨは接地され、Ｕ６の入力信号ＣおよびＩＮＨは接地されている。
【０１１７】
例示的な実施形態では、デジタル制御型アナログスイッチＵ１、Ｕ６およびＵ４のスイッチＩ／Ｏ信号Ｘ０、Ｘ１、Ｙ０、Ｙ１、Ｚ０およびＺ１は以下の入力が与えられる。
【表８】
2011250405.tif 000012
【０１１８】
例示的な実施形態では、ＣＰＵ３０１２のマイクロコントローラＵ２は、マイクロチップ社から市販されているモデル番号ＰＩＣ１６Ｆ６３６プログラマブルマイクロコントローラである。
【０１１９】
例示的な実施形態では、信号センサ３０１４は、信号送信機１１０による同期信号および／または構成データを含む信号の伝送を検知するフォトダイオードＤ３を含む。例示的な実施形態では、フォトダイオードＤ３は、オスラム社から市販されているモデルＢＰ１０４ＦＳフォトダイオードである。例示的な実施形態では、信号センサ３０１４は、演算増幅器Ｕ５−１、Ｕ５−２およびＵ３と、例えば、利得を制御して検知された信号のクリッピングを防止することによって信号を調整する、関連した信号調整部品である抵抗器Ｒ２、Ｒ３、Ｒ５、Ｒ７、Ｒ８、Ｒ９、Ｒ１０、Ｒ１１、Ｒ１２およびＲ１３、コンデンサＣ１、Ｃ７およびＣ９、ならびに、ショットキーダイオードＤ１およびＤ５とを更に含む。
【０１２０】
例示的な実施形態では、チャージポンプ３０１６は、チャージポンプを使用して、３Ｖから−１２Ｖまでバッテリ１２０の出力電圧の大きさを増幅する。例示的な実施形態では、チャージポンプ３０１６は、ＭＯＳＦＥＴ  Ｑ１と、ショットキーダイオードＤ６と、インダクタＬ１と、ツェナーダイオードＤ７とを含む。例示的な実施形態では、チャージポンプ３０１６の出力信号は、共通シャッタコントローラ３０１０のデジタル制御型アナログスイッチＵ４のスイッチＩ／Ｏ信号Ｘ１およびＹ１への入力信号として供給され、左シャッタコントローラ３００６、右シャッタコントローラ３００８および共通シャッタコントローラ３０１０のデジタル制御型アナログスイッチＵ１、Ｕ６およびＵ４への入力電圧ＶＥＥとして供給される。
【０１２１】
例示的な実施形態では、電圧供給源３０１８は、トランジスタＱ２と、コンデンサＣ５と、抵抗器Ｒ１およびＲ１６とを含む。例示的な実施形態では、電圧供給源３０１８は、共通シャッタコントローラ３０１０のデジタル制御型アナログスイッチＵ４のスイッチＩ／Ｏ信号Ｚ１への入力信号として１Ｖ信号を供給する。例示的な実施形態では、電圧供給源３０１８はグランドリフトを供給する。
【０１２２】
図３２に示されるように、例示的な実施形態では、３Ｄ眼鏡３０００の作動中に、デジタル制御型アナログスイッチＵ１、Ｕ６およびＵ４は、ＣＰＵ３０１２の制御信号Ａ、Ｂ、Ｃ、Ｄ、Ｅ、ＦおよびＧの制御下で、左右のシャッタ３００２および３００４の一方または両方の両端に様々な電圧を供給してもよい。より詳細には、デジタル制御型アナログスイッチＵ１、Ｕ６およびＵ４は、ＣＰＵ３０１２の制御信号Ａ、Ｂ、Ｃ、Ｄ、Ｅ、ＦおよびＧの制御下で、１）左右のシャッタ３００２および３００４の一方または両方の両端に正または負の１５ボルトを供給してもよく、２）左右のシャッタの一方または両方の両端に正または負の２ボルトを供給してもよく、３）左右のシャッタの一方または両方の両端に正または負の３ボルトを供給してもよく、４）左右のシャッタの一方または両方の両端に０ボルトを供給、すなわち、ニュートラル状態をもたらしてもよい。
【０１２３】
例示的な実施形態では、図３２に示されるように、左右のシャッタの両端に印加される出力信号ＸおよびＹを発生するデジタル制御型アナログスイッチＵ１およびＵ６の内部でそれぞれにスイッチの作動を制御することによって、制御信号Ａは左シャッタ３００２の作動を制御し、制御信号Ｂは右シャッタ３００４の作動を制御する。例示的な実施形態では、デジタル制御型アナログスイッチＵ１およびＵ６の１つずつの制御入力ＡおよびＢは互いに接続されて、２対の入力信号の間のスイッチングが同時に出現し、選択された入力は左右のシャッタ３００２および３００４の端子へ転送されるようにする。例示的な実施形態では、ＣＰＵ３０１２からの制御信号Ａはデジタル制御型アナログスイッチＵ１内の前半の２つのスイッチを制御し、ＣＰＵからの制御信号Ｂはデジタル制御型アナログスイッチＵ６内の前半の２つのスイッチを制御する。
【０１２４】
例示的な実施形態では、図３２に示されるように、左右のシャッタ３００２および３００４のそれぞれの端子の１つは常に３Ｖに接続されている。よって、例示的な実施形態では、デジタル制御型アナログスイッチＵ１、Ｕ６およびＵ４は、ＣＰＵ３０１２の制御信号Ａ、Ｂ、Ｃ、Ｄ、Ｅ、ＦおよびＧの制御下で、−１２Ｖ、３Ｖ、１Ｖまたは０Ｖのうちのいずれかを左右のシャッタ３００２および３００４の他の端子へもたらすように作動される。その結果、例示的な実施形態では、デジタル制御型アナログスイッチＵ１、Ｕ６およびＵ４は、ＣＰＵ３０１２の制御信号Ａ、Ｂ、Ｃ、Ｄ、Ｅ、ＦおよびＧの制御下で、左右のシャッタ３００２および３００４の端子の両端に１５Ｖ、０Ｖ、２Ｖまたは３Ｖのうちのいずれかの電位差を発生させるように作動される。
【０１２５】
例示的な実施形態では、デジタル制御型アナログスイッチＵ６の第３のスイッチは使用されず、第３のスイッチのための端子のすべては接地されている。例示的な実施形態では、デジタル制御型アナログスイッチＵ１の第３のスイッチは省電力のため使用される。
【０１２６】
特に、例示実施形態では、図３２に示す如く、制御信号Ｃが出力信号Ｚを生成するデジタル制御アナログスイッチＵ１内のスイッチの動作を制御する。その結果、制御信号Ｃがデジタル高値であるときに、デジタル制御アナログスイッチＵ４に対する入力信号ＩＮＨもまたデジタル高値であり、それによってデジタル制御アナログスイッチＵ４の全ての出力チャネルをオフさせる。その結果、制御信号Ｃがデジタル高値であるとき、左右のシャッタ３００２および３００４は短絡され、それによって、電荷の半分がシャッタ間で転送されることを許可し、それによって、省電力化し、バッテリ１２０の寿命を延長する。
【０１２７】
例示的な実施形態では、左右のシャッタ３００２および３００４を短絡するため制御信号Ｃを使用することにより、閉状態にある一方のシャッタに収集された大量の電荷が、閉状態に進む直前に他のシャッタを部分的に充電するため使用することができるので、これがなければバッテリ１２０によって十分に供給される必要がある電荷の量を節約する。
【０１２８】
例示的な実施形態では、ＣＰＵ３０１２によって発生された制御信号Ｃがデジタル高値であるとき、例えば、−１２Ｖの負に帯電し、その後、閉状態になり、両端に１５Ｖの電位差が生じる左シャッタ３００２のプレートは、負に帯電し、その後、開状態になり、依然として＋１Ｖまで充電され、両端に２Ｖの電位差が生じる右シャッタ３００４のプレートに接続されている。例示的な実施形態では、両方のシャッタ３００２および３００４で正に帯電したプレートは、＋３Ｖまで充電される。例示的な実施形態では、ＣＰＵ３０１２によって発生された制御信号Ｃは、左シャッタ３００２の閉状態の終わり付近で、かつ、右シャッタ３００４の閉状態の直前に、短期間にわたってデジタル高値に達する。ＣＰＵ３０１２によって発生された制御信号Ｃがデジタル高値であるとき、デジタル制御型アナログスイッチＵ４の禁止端子ＩＮＨもまたデジタル高値である。その結果、例示的な実施形態では、Ｕ４からの出力チャネルＸ、ＹおよびＺのすべてはオフ状態である。これは、左右のシャッタ３００２および３００４のプレートの両端間に蓄積された電荷がシャッタの間で分散されることを可能にするので、シャッタの両方の間の電位差は、約１７／２Ｖ、すなわち、８．５Ｖである。シャッタ３００２および３００４の一方の端子は、常に３Ｖに接続されているので、シャッタ３００２および３００４の負端子は、この場合、−５．５Ｖである。例示的な実施形態では、ＣＰＵ３０１２によって発生された制御信号Ｃは、その後、デジタル低値に変化し、それによって、シャッタ３００２および３００４の負端子を互いに切り離す。その後、例示的な実施形態では、右シャッタ３００４に対し閉状態が始まり、バッテリ１２０は、デジタル制御型アナログスイッチＵ４を作動させることにより、右シャッタの負端子を−１２Ｖまでさらに充電する。その結果、例示的な実施形態では、約４０％の省電力化が、方法３３００を参照して後述されるように、３Ｄ眼鏡３０００のノーマルラン作動モードで達成された。
【０１２９】
例示的な実施形態では、ＣＰＵ３０１２によって発生された制御信号Ｃは、ＣＰＵによって発生された制御信号ＡまたはＢが高から低、または、低から高へ遷移するとき、高から低に遷移し、それによって、次の左シャッタ開／右シャッタ閉、または、右シャッタ開／左シャッタ閉を開始する短持続時間パルスとして供給される。
【０１３０】
次に図３３および３４を参照すると、例示的な実施形態では、３Ｄ眼鏡３０００の作動中に、３Ｄ眼鏡はノーマルラン作動モード３３００を実行し、ノーマルラン作動モードでは、ＣＰＵ３０１２によって発生された制御信号Ａ、Ｂ、Ｃ、Ｄ、Ｅ、ＦおよびＧが、信号センサ３０１４によって検出された同期信号のタイプに応じて、左右のシャッタコントローラ３００６および３００８と、中央シャッタコントローラ３０１０との作動を制御し、次いで左右のシャッタコントローラ３００６および３００８と、中央シャッタコントローラ３０１０が、左右のシャッタ３００２および３００４の作動を制御するように使用される。
【０１３１】
より詳細には、３３０２で、ＣＰＵ３０１２が、信号センサ３０１４が同期信号を受信したことを検出した場合、３３０４で、ＣＰＵ３０１２によって発生された制御信号Ａ、Ｂ、Ｃ、Ｄ、Ｅ、ＦおよびＧは、図３２を参照してこれまでに説明されているように、左右のシャッタ３００２および３００４の間で電荷を転送するために、左右のシャッタコントローラ３００６および３００８と、中央シャッタコントローラ３０１０とを制御するため使用される。
【０１３２】
例示的な実施形態では、３３０４で、ＣＰＵ３０１２によって発生された制御信号Ｃは、約０．２ミリ秒間にわたって高いデジタル値に設定され、それによって、左右のシャッタ３００２および３００４の端子を短絡させ、よって、左右のシャッタの間で電荷を転送する。例示実施形態では、３３０４において、ＣＰＵ３０１２が生成する制御信号Ｃは約０．２ミリ秒に亙り高いデジタル値に設定され、それ故に左右のシャッタ３００２，３００４の端子を短絡させ、かくして左右のシャッタ間で電荷を転送する。したがって、制御信号Ｃは、制御信号ＡまたはＢが高から低または低から高へ遷移するときに、またはその前に、高から低へ遷移する短い持続時間のパルスとして供給される。その結果、省電力化が、左開／右閉シャッタと左閉／右開シャッタとの間の交番のサイクル中、３Ｄ眼鏡３０００の作動期間に行われる。
【０１３３】
ＣＰＵ３０１２は、その後、３３０６で受信された同期信号のタイプを判定する。例示的な実施形態では、２パルスを含む同期信号は、左シャッタ３００２が開き、右シャッタ３００４が閉じるべきであることを示し、一方、３パルスを含む同期信号は，右シャッタが開き、左シャッタが閉じるべきであることを示す。例示的な実施形態では、他の異なる数および形式の同期信号が左右のシャッタ３００２および３００４の交互の開閉を制御するため使用されてもよい。
【０１３４】
３３０６において、ＣＰＵ３０１２が、左シャッタ３００２は開き、右シャッタ３００４は閉じるべきであることを受信された同期信号が示すと判定した場合、ＣＰＵは、右シャッタ３００４の両端に高電圧を印加し、左シャッタ３００２には電圧を印加せず、続いて、小さいキャッチ電圧を印加するため、３３０８で、左右のシャッタコントローラ３００６および３００８と共通シャッタコントローラ３０１０とに制御信号Ａ、Ｂ、Ｃ、Ｄ、Ｅ、ＦおよびＧを送信する。例示的な実施形態では、３３０８で右シャッタ３００４の両端に印加される高電圧の大きさは１５ボルトである。例示的な実施形態では、３３０８で左シャッタ３００２に印加されるキャッチ電圧の大きさは２ボルトである。例示的な実施形態では、制御信号Ｄの作動状態を低に制御し、低または高の何れかであってもよい制御信号Ｆの作動状態を高になるように制御することにより、３３０８においてキャッチ電圧が左シャッタ３００２に印加される。例示的な実施形態では、３３０８における左シャッタ３００２へのキャッチ電圧の印加は所定の期間だけ遅延させられ、左シャッタの液晶内部の分子のより高速な回転を可能にする。所定の期間の満了後、引き続くキャッチ電圧の印加は、左シャッタ３００２内の液晶が左シャッタの開状態の間に過度に回転することを阻止する。例示的な実施形態では、３３０８における左シャッタ３００２へのキャッチ電圧の印加は、約１ミリ秒間だけ遅延させられる。
【０１３５】
代替的に、３３０６において、ＣＰＵ３０１２が、左シャッタ３００２は閉じ、右シャッタ３００４は開くべきであることを受信された同期信号が示していると判定した場合、ＣＰＵは、左シャッタ３００２の両端に高電圧を印加し、右シャッタ３００４には電圧を印加せず、続いて、小さいキャッチ電圧を印加するため、３３１０において、制御信号Ａ、Ｂ、Ｃ、Ｄ、Ｅ、ＦおよびＧを左右のシャッタコントローラ３００６および３００８と、共通シャッタコントローラ３０１０とへ送信する。例示的な実施形態では、３３１０で左シャッタ３００２の両端に印加される高電圧の大きさは、１５ボルトである。例示的な実施形態では、３３１０で、右シャッタ３００４に印加されるキャッチ電圧の大きさは２ボルトである。例示的な実施形態では、制御信号Ｆを高になるように、制御信号Ｇを低になるように制御することにより、３３１０において、キャッチ電圧が右シャッタ３００４に印加される。例示的な実施形態では、３３１０における右シャッタ３００４へのキャッチ電圧の印加は所定の期間だけ遅延させられ、右シャッタの液晶内部の分子のより高速な回転を可能にする。所定の期間の満了後、引き続くキャッチ電圧の印加は、右シャッタ３００４内の液晶が右シャッタの開状態の間に過度に回転することを阻止する。例示的な実施形態では、３３１０における右シャッタ３００４へのキャッチ電圧の印加は、約１ミリ秒間だけ遅延させられる。
【０１３６】
例示的な実施形態では、方法３３００の間に、左右のシャッタ３００２および３００４に印加された電圧は、左右のシャッタの液晶セルへの損傷を防止するため、ステップ３３０８および３３１０のその後の繰り返しにおいて、交互に正および負となる。
【０１３７】
よって、方法３３００は、３Ｄ眼鏡３０００のためのノーマル作動モードまたはラン作動モードを提供する。
【０１３８】
次に図３５および３６を参照すると、例示的な実施形態では、３Ｄ眼鏡３０００の作動中に、３Ｄ眼鏡はウォームアップ作動方法３５００を実施し、この方法では、ＣＰＵ３０１２によって発生された制御信号Ａ、Ｂ、Ｃ、Ｄ、Ｅ、ＦおよびＧは、左右のシャッタコントローラ３００６および３００８ならびに共通シャッタコントローラ３０１０の作動を制御して、次いで左右のシャッタコントローラ３００６および３００８ならびに共通シャッタコントローラ３０１０が、左右のシャッタ３００２および３００４の作動を制御するように使用される。
【０１３９】
３５０２で、３Ｄ眼鏡のＣＰＵ３０１２は３Ｄ眼鏡のパワーオンをチェックする。例示的な実施形態では、３Ｄ眼鏡３０００は、ユーザがパワーオン・スイッチを起動することにより、自動ウェイクアップ・シーケンスおよび／または、信号センサ３０１４が有効な同期信号を検知することのいずれかによってパワーオンされてもよい。３Ｄ眼鏡３０００のパワーオンの場合、３Ｄ眼鏡のシャッタ３００２および３００４は、例えば、ウォームアップ・シーケンスを必要とし得る。ある一定期間のための電力をもたないシャッタ３００２および３００４の液晶セルは、不定状態にあり得る。
【０１４０】
３Ｄ眼鏡３０００のＣＰＵ３０１２が３５０２で３Ｄ眼鏡のパワーオンを検出した場合、ＣＰＵは、３５０４で、交番電圧信号を左右のシャッタ３００２および３００４にそれぞれ印加する。例示的な実施形態では、左右のシャッタ３００２および３００４に印加される電圧は、シャッタの液晶セルの中のイオン化問題を回避するために正と負のピーク値の間で交番される。例示的な実施形態では、左右のシャッタ３００２および３００４に印加される電圧信号は少なくとも部分的に互いに位相がずれてもよい。例示的な実施形態では、左右のシャッタ３００２および３００４に印加される電圧信号のうちの一方または両方は、零電圧とピーク電圧との間で交番させられてもよい。例示的な実施形態では、シャッタの液晶セルが確かな作動状態に入れられるように、他の形式の電圧信号が左右のシャッタ３００２および３００４に印加されてもよい。例示的な実施形態では、電圧信号の左右のシャッタ３００２および３００４への印加は、同時または異なる時のいずれかでシャッタを開閉させる。
【０１４１】
電圧信号の左右のシャッタ３００２および３００４への印加中に、ＣＰＵ３０１２は３５０６でウォームアップ・タイムアウトをチェックする。ＣＰＵ３０１２が３５０６でウォームアップ・タイムアウトを検出した場合、ＣＰＵは３５０８で電圧信号の左右のシャッタ３００２および３００４への印加を停止する。
【０１４２】
例示的な実施形態では、３５０４および３５０６で、ＣＰＵ３０１２は、シャッタの液晶セルを始動させるために十分な期間にわたって電圧信号を左右のシャッタ３００２および３００４へ印加する。例示的な実施形態では、ＣＰＵ３０１２は、２秒間にわたって、電圧信号を左右のシャッタ３００２および３００４へ印加する。例示的な実施形態では、左右のシャッタ３００２および３００４に印加される電圧信号の最大の大きさは１５ボルトとしてもよい。例示的な実施形態では、３５０６においてタイムアウト期間は２秒としてもよい。例示的な実施形態では、左右のシャッタ３００２および３００４に印加される電圧信号の最大の大きさは１５ボルトより大きくしても小さくしてもよく、タイムアウト期間は長くしても短くしてもよい。例示的な実施形態では、方法３５００の間に、ＣＰＵ３０１２は、映画を観るときに使用される場合とは異なるレートで左右のシャッタ３００２および３００４を開閉してもよい。例示的な実施形態では、３５０４において、左右のシャッタ３００２および３００４に印加される電圧信号は交番することがなく、ウォームアップ期間中、一定に印加されるので、シャッタの液晶セルはウォームアップ期間の全体にわたって不透明状態を維持してもよい。例示的な実施形態では、ウォームアップ方法３５００は、同期信号の有無にかかわらず行われてもよい。よって、方法３５００は、３Ｄ眼鏡３０００にウォームアップ作動モードを提供する。例示実施形態では、ウォームアップ方法３５００を実施した後、３Ｄ眼鏡３０００はノーマル動作モード、ラン動作モードまたはクリア動作モードに置かれ、続いて方法３３００を実施することができる。
【０１４３】
次に図３７および３８を参照すると、例示的な実施形態では、３Ｄ眼鏡３０００の作動中に、３Ｄ眼鏡は作動方法３７００を実施し、この方法では、ＣＰＵ３０１２によって発生された制御信号Ａ、Ｂ、Ｃ、Ｄ、Ｅ、ＦおよびＧは、信号センサ３０１４によって受信された同期信号に応じて、左右のシャッタコントローラ３００６および３００８と共通シャッタコントローラ３０１０とを制御して、次いで左右のシャッタコントローラ３００６および３００８と共通シャッタコントローラ３０１０が、左右のシャッタ３００２および３００４の作動を制御するように使用される。
【０１４４】
ＣＰＵ３０１２は、３７０２で、信号センサ３０１４によって検出された同期信号が有効であるか、または、無効であるかを調べるためにチェックする。ＣＰＵ３０１２が、３７０２で同期信号は無効であると判定した場合、ＣＰＵは、３７０４で、電圧信号を３Ｄ眼鏡３０００の左右のシャッタ３００２および３００４に印加する。例示的な実施形態では、３７０４で、左右のシャッタ３００２および３００４に印加された電圧は、シャッタの液晶セルにおけるイオン化問題を回避するために正と負のピーク値の間で交番される。例示的な実施形態では、３７０４で、左右のシャッタ３００２および３００４に印加される電圧は、周波数６０Ｈｚを有する矩形波信号を提供するため、正のピーク値と負のピーク値との間で交番される。例示的な実施形態では、矩形波信号は＋３Ｖと−３Ｖとの間で交番する。例示的な実施形態では、３７０４で、左右のシャッタ３００２および３００４に印加される電圧信号の一方または両方は、零電圧とピーク電圧との間で交番させられてもよい。例示実施形態では、他の周波数を含む他の形の電圧信号を、３７０４において、左右のシャッタ３００２，３００４に印加し、シャッタの液晶セルを開状態に保ち、かくして３Ｄ眼鏡３０００のユーザがシャッタを通して普通に見ることができるようにすることができる。例示的な実施形態では、３７０４における左右のシャッタ３００２および３００４への電圧信号の印加はシャッタを開かせる。
【０１４５】
３７０４での、左右のシャッタ３００２および３００４への電圧信号の印加中、ＣＰＵ３０１２は３７０６で透明化タイムアウトをチェックする。ＣＰＵ３０１２が３７０６において透明化タイムアウトを検出した場合、ＣＰＵ３０１２は３７０８においてシャッタ３００２，３００４に対する電圧信号の印加を停止することになり、そのことで３Ｄ眼鏡３０００をそこでオフ動作モードに置くことができる。例示実施形態では、透明化タイムアウトの持続時間は、例えば最大で約４時間の長さとすることができる。
【０１４６】
よって、例示的な実施形態では、３Ｄ眼鏡３０００が有効な同期信号を検出しない場合、３Ｄ眼鏡は透明作動モードに進み、方法３７００を実施してもよい。透明作動モードにおいて、例示的な実施形態では、３Ｄ眼鏡３０００の両方のシャッタ３００２および３００４は、観る人が３Ｄ眼鏡のシャッタを通して普通に見ることができるように開いた状態を保つ。例示的な実施形態では、正負に交番する定電圧が、３Ｄ眼鏡３０００のシャッタ３００２および３００４の液晶セルを透明状態に維持するために印加される。定電圧は、例えば、２ボルトとし得るが、定電圧は適度に透明なシャッタを維持するために適する任意の他の電圧ともし得る。例示的な実施形態では、３Ｄ眼鏡３０００のシャッタ３００２および３００４は、３Ｄ眼鏡が暗号化信号を有効とすることができるまで、透明状態を維持してもよい。例示的な実施形態では、３Ｄ眼鏡３０００のシャッタ３００２および３００４は、３Ｄ眼鏡のユーザが普通に見ることができるレートで交互に開閉してもよい。
【０１４７】
よって、方法３７００は、３Ｄ眼鏡３０００の作動を透明化する方法を提供し、それによって、透明作動モードを提供する。
【０１４８】
次に図３９および４１を参照すると、例示的な実施形態では、３Ｄ眼鏡３０００の作動中に、３Ｄ眼鏡は作動方法３９００を実施し、この方法では、ＣＰＵ３０１２によって発生された制御信号Ａ、Ｂ、Ｃ、Ｄ、Ｅ、ＦおよびＧは、左右のシャッタ３００２および３００４間で電荷を転送するため使用される。３９０２で、ＣＰＵ３０１２は、有効な同期信号が信号センサ３０１４によって検出されたかどうかを判定する。ＣＰＵ３０１２が、有効な同期信号が信号センサ３０１４によって検出されたと判定した場合、ＣＰＵは、３９０４で、例示的な実施形態では、約２００マイクロ秒持続する短持続時間パルスの形式で制御信号Ｃを発生する。例示的な実施形態では、方法３９００の間に、シャッタ３００２および３００４間での電荷の転送が、実質的に図３３および３４を参照して上述されたように、制御信号Ｃの短持続時間パルスの間に行われる。
【０１４９】
３９０６で、ＣＰＵ３０１２は、制御信号Ｃが高から低へ遷移したかどうかを判定する。ＣＰＵ３０１２が、制御信号Ｃが高から低へ遷移したと判定した場合、ＣＰＵは、３９０８で、制御信号ＡまたはＢの状態を変化させ、その後、３Ｄ眼鏡３０００は、例えば、図３３および３４を参照して、これまでに説明され図示されたように、３Ｄ眼鏡の通常の作動を継続してもよい。
【０１５０】
図３０ａ、４０および４１を参照して、例示的な実施形態では、３Ｄ眼鏡３０００の作動中に、３Ｄ眼鏡は作動方法４０００を実施し、この方法では、ＣＰＵ３０１２によって発生された制御信号ＲＣ４およびＲＣ５は、図３２、３３、３４、３５および３６を参照して、これまでに説明され図示されたように、３Ｄ眼鏡３０００のノーマル作動モードまたはウォームアップ作動モードの間に、チャージポンプ３０１６を作動させるため使用される。４００２で、ＣＰＵ３０１２は、有効な同期信号が信号センサ３０１４によって検出されたかどうかを判定する。ＣＰＵ３０１２が、有効な同期信号が信号センサ３０１４によって検出されたと判定した場合、ＣＰＵは、４００４で、短持続時間パルスの系列の形式で制御信号ＲＣ４を発生する。
【０１５１】
例示的な実施形態では、制御信号ＲＣ４のパルスは、コンデンサ両端の電位が所定のレベルに達するまで電荷をコンデンサＣ１３へ転送するため、トランジスタＱ１の作動を制御する。より詳細には、制御信号ＲＣ４が低い値に切り替わるとき、トランジスタＱ１は、インダクタＬ１をバッテリ１２０に接続する。その結果、インダクタＬ１はバッテリ１２０からのエネルギーを蓄積する。その後、制御信号ＲＣ４が高い値に切り替わるとき、インダクタＬ１に蓄積されたエネルギーはコンデンサＣ１３へ転送される。よって、制御信号ＲＣ４のパルスは、コンデンサＣ１３の両端の電位が所定のレベルに達するまで、電荷をコンデンサＣ１３へ継続的に転送する。例示的な実施形態では、制御信号ＲＣ４は、コンデンサＣ１３の両端の電位が−１２Ｖに達するまで継続する。
【０１５２】
例示的な実施形態では、４００６で、ＣＰＵ３０１２は制御信号ＲＣ５を発生する。その結果、コンデンサＣ１３の両端の電位が増加するのにつれて減少する大きさを有する入力信号ＲＡ３が供給される。より詳細には、コンデンサＣ１３の両端の電位が所定の値に達するとき、ツェナーダイオードＤ７は、電流を導通し始め、それによって、入力制御信号ＲＡ３の大きさを縮小する。４００８において、ＣＰＵ３０１２は、入力制御信号ＲＡ３の大きさが所定の値未満であるかどうかを判定する。ＣＰＵ３０１２が、入力制御信号ＲＡ３の大きさは所定の値未満であると判定した場合、４０１０で、ＣＰＵは、制御信号ＲＣ４およびＲＣ５の発生を停止する。その結果、コンデンサＣ１３への電荷の転送が停止する。
【０１５３】
例示的な実施形態では、方法４０００は、３Ｄ眼鏡３０００の作動中に方法３９００の後で実施されてもよい。
【０１５４】
次に図３０ａ、４２および４３を参照すると、例示的な実施形態では、３Ｄ眼鏡３０００の作動中に、３Ｄ眼鏡は作動方法４２００を実施し、この方法では、ＣＰＵ３０１２によって発生された制御信号Ａ、Ｂ、Ｃ、Ｄ、Ｅ、Ｆ、Ｇ、ＲＡ４、ＲＣ４およびＲＣ５は、３Ｄ眼鏡３０００がオフ条件に切り換えられたとき、バッテリ１２０の作動状態を判定するため使用される。４２０２で、ＣＰＵ３０１２は、３Ｄ眼鏡３０００がオフであるかオンであるかを判定する。ＣＰＵ３０１２が、３Ｄ眼鏡３０００はオフであると判定した場合、ＣＰＵは、４２０４で、所定のタイムアウト期間が４２０４で経過したかどうかを判定する。例示的な実施形態では、タイムアウト期間は長さが２秒である。
【０１５５】
ＣＰＵ３０１２が、所定のタイムアウト期間が経過したと判定した場合、ＣＰＵは、４２０６において、事前の所定時間期間内に信号センサ３０１４が検出する同期パルスの個数が所定値を超えるかどうか判定する。例示実施形態では、４２０６において、所定の先行時間期間は最も直近のバッテリ１２０の交換以来経過した時間期間とされる。
【０１５６】
ＣＰＵ３０１２が、事前の所定時間期間内に信号センサ３０１４が検出する同期パルスの個数が所定値を超えると判定した場合、ＣＰＵは４２０８において持続時間の短いパルスとして制御信号Ｅを生成し、４２１０において制御信号ＲＡ４を持続時間の短いパルスとして信号センサ３０１４に供給し、４２１２において制御信号Ａ，Ｂの動作状態をそれぞれ切り替える。例示実施形態では、事前の所定時間期間内に信号センサ３０１４が検出する同期パルスの個数が所定値を超える場合、これでバッテリ１２０内の残存電力が不足していることを示すことができる。
【０１５７】
別の選択肢として、ＣＰＵ３０１２が事前の所定時間期間内に信号センサ３０１４が検出する同期パルスの個数は所定値を超えないと判定した場合、ＣＰＵは４２１０において持続時間の短いパルスとして制御信号ＲＡ４を信号センサ３０１４に供給し、４２１２において制御信号Ａ，Ｂの制御信号の動作状態をそれぞれ切り替える。例示実施形態では、事前の所定時間期間内に信号センサ３０１４が検出する同期パルスの個数が所定値を超えない場合、このことがバッテリ１２０内の残存電力が不足していないことを示すことができる。
【０１５８】
例示実施形態では、交互に切り換わる制御信号Ａ，Ｂと制御信号Ｅの持続時間の短いパルスとの組み合わせが、４２０８と４２１２において、制御信号Ｅの持続時間の短いパルス期間中を除き、３Ｄ眼鏡３０００のシャッタ３００２，３００４を閉じさせる。その結果、例示実施形態では、シャッタ３００２，３００４は、３Ｄ眼鏡のシャッタを短い時間期間に亙りフラッシュ動作させることで、バッテリ１２０内に残留する電力が低いことの視覚的な表示を３Ｄ眼鏡３０００のユーザに供給する。例示的な実施形態では、４２１０で、短持続時間パルスとして制御信号ＲＡ４を信号センサ３０１４に供給することは、信号センサが供給されたパルスの持続時間中に同期信号を探索し検出することを可能にする。
【０１５９】
例示実施形態では、制御信号Ｅの持続時間の短いパルスの供給を共に伴わずに制御信号Ａ，Ｂをトグル動作させることで、３Ｄ眼鏡３０００のシャッタ３００２，３００４は閉じたままに保たれる。その結果、例示的な実施形態では、シャッタ３００２および３００４は、３Ｄ眼鏡のシャッタを短期間にわたって開状態に点滅させないことにより、バッテリ１２０の内部に残存する電力が不足していないという視覚的な表示を３Ｄ眼鏡３０００のユーザに提供する。
【０１６０】
時間順のクロックがない実施形態では、時間は同期パルスの観点から測定されてもよい。ＣＰＵ３０１２は、バッテリが作動し続け得る同期パルスの個数のファクタとしてバッテリ１２０内の残存時間を判定し、その後、シャッタ３００２および３００４を開および閉に点滅させることにより、視覚的な表示を３Ｄ眼鏡３０００のユーザに提供してもよい。
【０１６１】
次に図４４〜５５を参照すると、例示的な実施形態では、３Ｄ眼鏡１０４、１８００および３０００のうちの１つ以上は、フレームフロント４４０２と、ブリッジ４４０４と、右蔓４４０６と、左蔓４４０８とを含む。例示的な実施形態では、フレームフロント４４０２は、上述されているように３Ｄ眼鏡１０４、１８００および３０００の制御回路および電源を収容し、上述された右ＩＳＳシャッタおよび左ＩＳＳシャッタを保持する右レンズ開口部４４１０および左レンズ開口部４４１２をさらに画定する。例示的な実施形態では、フレームフロント４４０２は、右ウィング４４０２ａおよび左ウィング４４０２ｂを形成するように巻き込む。一部の実施形態では、３Ｄ眼鏡１０４、１８００および３０００の制御回路の少なくとも一部分がウィング４４０２ａおよび４４０２ｂの一方または両方に収容されている。
【０１６２】
例示的な実施形態では、右左の蔓４４０６および４４０８は、フレームフロント４４０２から延在し、リッジ４４０６ａおよび４４０８ａを含み、各蔓は、蔓の遠方端部同士の間隔が蔓のそれぞれのフレームフロントへの接続部同士の間隔よりも接近して、曲がりくねった形状を有する。このように、ユーザが３Ｄ眼鏡１０４、１８００および３０００を着用するとき、蔓４４０６および４４０８の端部は、ユーザの頭部に沿って進み、所定の位置に保持される。一部の実施形態では、蔓４４０６および４４０８のスプリングレートは二重曲げによって補強され、一方、リッジ４４０６ａおよび４４０８ａの間隔および奥行きはスプリングレートを制御する。図５５に示されるように、一部の実施形態は、二重曲げ形状を使用せず、むしろ、単純な湾曲型の蔓４４０６および４４０８を使用する。
【０１６３】
次に図４８〜５５を参照すると、例示的な実施形態では、３Ｄ眼鏡１０４、１８００および３０００のうちの１つ以上のための制御回路は、右ウィング４４０２ａを含むフレームフロントに収容され、バッテリは右ウィング４４０２ａに収容されている。更に、例示的な実施形態では、３Ｄ眼鏡３０００のバッテリ１２０へのアクセスは、右ウィング４４０２ａの内側で、右ウィング４４０２ａに嵌合し、右ウィング４４０２ａと密封係合するＯリングシール４４１６を含むカバー４４１４によって密封された開口部を介して行われる。
【０１６４】
図４９〜５５を参照すると、一部の実施形態では、バッテリは、カバー４４１４およびカバー内側４４１５によって形成されたバッテリーカバー組立体の中に位置する。バッテリーカバー４４１４は、例えば、超音波溶接によってバッテリーカバー内側４４１５に取り付けられてもよい。接点４４１７は、バッテリ１２０から、例えば、右ウィング４４０２ａの内側に位置している接点へ電気を伝えるためにカバー内側４４１５から突起してもよい。
【０１６５】
カバー内側４４１５は、カバーの内側部分に、円周方向に離間した放射状キーイング要素４４１８を有してもよい。カバー４４１４は、カバーの外面に配置された円周方向に離間したディンプル４４２０を有してもよい。
【０１６６】
例示的な実施形態では、図４９〜５１に示されるように、カバー４４１４は、カバーのディンプル４４２０の内部に嵌合し、ディンプル４４２０と係合する複数の突起部４４２４を含むキー４４２２を使用して操作されてもよい。このように、カバー４４１４は、閉じた（またはロックされた）位置から開いた（またはロック解除された）位置まで３Ｄ眼鏡１０４、１８００および３０００の右ウィング４４０２ａに対して回転させられ得る。よって、３Ｄ眼鏡１０４、１８００および３０００の制御回路およびバッテリは、キー４４２２を使用してカバー４４１４と３Ｄ眼鏡３０００の右ウィング４４０２ａとの係合によって環境から密閉され得る。図５５を参照すると、別の実施形態では、キー４４２６が使用されてもよい。
【０１６７】
ここで図５６を参照すると、信号センサ５６００の例示実施形態は、デコーダ５６０４に作動可能に結合した狭帯域通過フィルタ５６０２を含む。信号センサ５６００は、次に、ＣＰＵ５６０４に操作可能に結合されている。狭帯域通過フィルタ５６０２は、帯域雑音をフィルタ除去し取り除く一方で同期直列データ信号を通過させるのに適している通過帯域を有し得るアナログおよび／またはデジタル帯域通過フィルタでもよい。
【０１６８】
例示的な実施形態では、ＣＰＵ５６０４は、例えば、３Ｄ眼鏡１０４、１８００または３０００のＣＰＵ１１４、ＣＰＵ１８１０、または、ＣＰＵ３０１２でもよい。
【０１６９】
例示的な実施形態では、作動中に、信号センサ５６００は信号送信機５６０６から信号を受信する。例示的な実施形態では、信号送信機５６０６は、例えば、信号送信機１１０でもよい。
【０１７０】
例示的な実施形態では、信号送信機５５０６によって信号センサ５６００へ送信された信号５７００は、クロックパルス５７０４がそれぞれに先行している１つ以上のデータビット５７０２を含む。例示的な実施形態では、信号センサ５６００の作動中に、クロックパルス５７０４がデータの各ビット５７０２に先行するので、信号センサのデコーダ５６０４は、長いデータビット語を容易に復号化できる。よって、信号センサ５６００は、信号送信機５６０６からの同期直列データ伝送を容易に受信し復号化する能力がある。対照的に、非同期データ伝送は、典型的に、効率的および／または誤りのない形で送信し復号化することが難しい。従って、信号センサ５６００は、データ伝送を受信する改善されたシステムを提供する。更に、信号センサ５６００の作動における同期直列データ伝送の使用は、長いデータビット語が容易に復号化されることを確実にする。
【０１７１】
図５８〜６３を参照すると、３Ｄ眼鏡５８００の例示実施形態をここで説明するが、これは下に記載する点を除き、本願明細書で説明した３Ｄ眼鏡の１つ以上の実施形態と設計ならびに動作が実質同一である。例示実施形態では、３Ｄ眼鏡は、例えば従来型および／または本願明細書に説明する液晶シャッタのいずれかとすることのできる液晶シャッタを受容する左右の開口５８０４，５８０６を有するフレーム５８０２を含む。例示実施形態では、液晶シャッタの動作を制御する回路網の少なくとも一部を３Ｄ眼鏡５８００のフレーム５８０２内に装着する。
【０１７２】
例示実施形態では、フレーム５８０２はさらに３Ｄ眼鏡の蔓内に装着された制御回路網に電力を供給するバッテリ５８１０を受容し装着する空腔５８０８を含む。例示実施形態では、フレーム５８０２は空腔５８０８内にバッテリ５８１０を覆って封止するカバー５８１２を着脱可能に受容し接続するよう適合させてある。
【０１７３】
例示実施形態では、左右の蔓５８１４，５８１６はそれぞれ対応するヒンジ５８１８，５８２０によりフレーム５８０２にそれぞれ回動可能に結合される。例示実施形態では、左右の蔓５８１４，５８１６は使用時に構造的な強度を付加すべくその内側にそれぞれ内腔５８２２，５８２４を含む。例示実施形態では、左右の耳当て５８２６，５８２８はそれぞれ左右の蔓５８１４，５８１６から延出し、共に内側の湾曲しており、着用者と３Ｄ眼鏡５８００の係合を容易にするよう弾性的で可撓性の材料で構成される。
【０１７４】
図６４〜６８を参照すると、液晶シャッタ組立体６４００の例示実施形態を説明するが、これは下記に説明する点を除き本願明細書に説明する液晶シャッタの例示実施形態と実質同一である。例示実施形態では、組立体６４００は前部偏光子６４０２と４分の１波長膜６４０４と液晶セル６４０６と後部偏光子６４０８とを含む。
【０１７５】
例示実施形態では、前部偏光子６４０２は４分の１波長膜６４０４上に配置し、４分の１波長膜は液晶セル６４０６の前部に配置される。例示実施形態では、後部偏光子６４０８は液晶セル６４０６の背部に配置される。
【０１７６】
例示実施形態では、前部偏光子６４０２は約５８度の透過軸を有する。
【０１７７】
例示実施形態では、４分の１波長膜６４０４は約４５度の透過軸を有する。
【０１７８】
例示実施形態では、液晶セル６４０６はＰＩセルポジティブ方式液晶セルである。例示実施形態では、液晶セル６４０４のコントラスト比は約２００から約４００の範囲にあり、ここでコントラスト比とは液晶セルがオン状態にあるときの透過光量と液晶セルがオフ状態にあるときの透過光量との比を指すものである。
【０１７９】
例示実施形態では、後部偏光子６４０８は約４５度の透過軸を有する。
【０１８０】
例示実施形態では、液晶シャッタ組立体６４００はＭｕｌｔｅｋ社から部品番号ＬＣＤ：ＮＤ８０２８０６（左）とＬＣＤ：ＮＤ８０２８０７（右）として市販されている。
【０１８１】
液晶シャッタ組立体６４００の例示実験実施形態では、シャッタ組立体のサンプルをテストしてシャッタ組立体のコントラスト比を特定したが、ここでコントラスト比は液晶セルがオン状態にあるときの透過光量と液晶セルがオフ状態にあるときの透過光量との比を指す。例示実験実施形態に関する第１の一群の表形式の結果を、下記に提示する。
【表９】
2011250405.tif 000013
【０１８２】
液晶シャッタ組立体６４００の別の例示実験実施形態では、シャッタ組立体のサンプルをテストし、シャッタ組立体ごとのコントラスト比を特定し、ここでコントラスト比は液晶セルがオン状態にあるときの透過光量と液晶セルがオフ状態にあるときの透過光量との比を指す。例示試用実施形態に関する第２群の表形式結果を、下記に提示する。
【表１０】
2011250405.tif 000014
【０１８３】
液晶シャッタ組立体６４００に関する前記の例示的な表形式の実験結果は、予測外の結果であった。
【０１８４】
ここで図６９を参照すると、３Ｄシャッタ眼鏡７１００の例示実施形態を説明するが、これはここに記載する点を除き３Ｄシャッタ眼鏡１０４，１８００，３０００と実質同一である。具体的には、３Ｄシャッタ眼鏡７１００は、３Ｄシャッタ眼鏡の動作を制御する３Ｄシャッタ眼鏡に送信される赤外光と無線周波信号を検出する、赤外光センサ１１２ａと無線周波センサ１１２ｂとを有する信号センサ１１２とを含む。３Ｄシャッタ眼鏡７１００はさらに、ＣＰＵ１１４に共に作動可能に結合されたメモリ８００２とユーザインタフェース８００４とを含む。例示実施形態では、メモリ８００２は従来の非不揮発性読み／書き記憶装置を含んでおり、ユーザインタフェース８００４は１つ以上の従来のユーザ入力とユーザインタフェース装置、例えば押し釦やタッチスクリーンやディスプレイやインジケータ灯を含む。
【０１８５】
さらに、３Ｄシャッタ眼鏡７１００はさらにディスプレイ７１０６と、ＣＰＵ１１４に作動可能に結合されたインタフェース７１０８とを含む。例示実施形態では、ディスプレイ７１０６は１つ以上の従来の表示装置、例えばＬＥＤやＬＣＤやプラズマあるいは他の表示装置等を含んでおり、インタフェース７１０８は１つ以上の従来のインタフェース装置、例えばＵＳＢやＷｉＦｉやブルーツースあるいは他の有線および／または無線インタフェース等を含む。
【０１８６】
ここで図７０を参照すると、例示実施形態では、３Ｄシャッタ眼鏡７１００は、左右のシャッタ１０６，１０８を装着する前部フレーム７２０２と、赤外光センサ１１２ａと、前部フレームに結合されて延出する左右の蔓７２０４，７２０６とを含む。
【０１８７】
ここで図７１を参照すると、例示実施形態では、前部フレーム７２０２は、左右のシャッタ１０６，１０８を支持する外側前部フレーム７２０２ａと内側前部フレーム７２０２ｂとを含む。例示実施形態では、左部蔓７２０４は、外側左部蔓７２０４ａと内側左部蔓７２０４ｂと内側左部蔓ゴム部材７２０４ｃとを含む。例示実施形態では、右部蔓７２０６は、外側右部蔓７２０６ａと内側右部蔓７２０６ｂと内側右部蔓ゴム部材７２０６ｃとを含む。
【０１８８】
ここで図７２を参照すると、例示実施形態では、左右のシャッタ１０６，１０８は左右の結線７４０２，７４０４によりＣＰＵ１１４に作動可能に結合される。図示の如く、例示実施形態では、３Ｄシャッタ眼鏡７１００の回路網は左右の蔓７２０４，７２０６内に配置し結合される。こうして、３Ｄシャッタ眼鏡７１００の前部フレーム７２０２の体積と質量は低減される。さらにまた、例示実施形態では、ユーザインタフェース７１０４は１つ以上の視覚インジケータを含んでおり、右蔓７２０６内に配置し結合した制御回路網に結合される。さらに、例示実施形態では、ディスプレイ７１０６は１つ以上の表示装置を含んでいて、右部蔓７２０６内に配置されて結合される制御回路網に結合される。さらに、例示実施形態では、インタフェース７１０８により３Ｄシャッタ眼鏡７１００のバッテリ１２０が再充電可能とされ、かつ３Ｄシャッタ眼鏡のＣＰＵ１１４が１つ以上のホストコンピュータやスマートフォンや個人向け携帯情報端末および／またはインターネットに作動可能に結合できるようになり、右部蔓７２０６内に配置されて結合された制御回路網に結合される。
【０１８９】
ここで図７３ａ，７３ｂ，７３ｃを参照すると、例示実施形態では、左右の蔓７２０４，７２０６は左右のヒンジ７５０２ａ，７５０２ｂにより前部フレーム７２０２に回動可能に結合される。例示実施形態では、３Ｄシャッタ眼鏡７１００はさらに前部フレーム７２０２の鼻当て７２０２ａに弾性的に適合して離脱可能に係合させる取り外し可能な鼻当て７５０４を含む。
【０１９０】
ここで図７４ａ，７４ｂ，７４ｃを参照すると、例示実施形態では、左右の蔓７２０４，７２０６はそれぞれ３Ｄシャッタ眼鏡７１００用の制御システムの少なくとも一部を収容する細長い筺体７６０２ａ，７６０２ｂを含む。さらに、例示実施形態では、ユーザインタフェース７１０４とディスプレイ７１０６とインタフェース７１０８は筺体７６０２ｂに作動可能に結合される。
【０１９１】
ここで図７５ａ，７５ｂ，７５ｃを参照すると、例示実施形態では、左右の蔓７２０４，７５０６の一方または両方がディスプレイ７１０６を含んでおり、これに例えば３Ｄシャッタ眼鏡７１００を最初にオンさせたり、３Ｄシャッタ眼鏡の動作モードが切り換わったり、あるいは他の何らかの環境において所定時間に亙り発光する照明を含めることができる。
【０１９２】
ここで、図７６ａ，７６ｂ，７６ｃ，７６ｄを参照すると、例示実施形態では、左右の蔓７２０４，７５０６の一方または両方は、従来の結線、例えばＵＳＢ結線７８０２等を用いて３Ｄシャッタ眼鏡７１００を１つ以上のホストコンピュータ７１１０に作動可能に結合するインタフェース７１０８を含む。例示実施形態では、インタフェース７１０８を用い、３Ｄシャッタ眼鏡７１００に外部バッテリ７８０４を接続してそこに電力を供給することもできる。例示実施形態では、インタフェース７１０８はバッテリ１２０を充電すべく３Ｄシャッタ眼鏡７１００にバッテリ充電器を接続するのに用いることもできる。
【０１９３】
ここで図７７ａ，７７ｂを参照すると、例示実施形態では、３Ｄシャッタ眼鏡７１００は７９０５において３Ｄシャッタ眼鏡が無線周波数（「ＲＦ」）信号を受信したかどうか判定する動作モードを実施する。３Ｄシャッタ眼鏡がＲＦ信号を受信したと判定した場合、そこで７９１０において、３Ｄシャッタ眼鏡はＲＦ信号がフレーム同期信号を含むかどうか判定する。例示実施形態では、フレーム同期信号には３Ｄシャッタ眼鏡７１００に作動可能に結合された表示装置上に表示されるフレームを観るための１つ以上の動作パラメータを表わす１つ以上のしるし（ｉｎｄｉｃｉａ）を含めることができる。
【０１９４】
ＲＦ信号がフレーム同期信号を含む場合、そこで７９１５において、３Ｄ眼鏡７１００は左右のシャッタ１０６，１０８の動作タイミングを、それに従って較正しかつ／調整することができる。３Ｄシャッタ眼鏡７１００はそこで、７９２０において左右のシャッタ１０６，１０８のフライホイール動作を実行することができる。例示実施形態では、フライホイール動作期間中に、左右のシャッタ１０６，１０８はフレーム同期信号の内容の関数である動作周波数にて交互に開閉される。
【０１９５】
３Ｄシャッタ眼鏡７１００が７９２５において新規のフレーム同期信号を受信した場合、３Ｄシャッタ眼鏡はそこで７９１５，７９２０，７９２５を反復する。あるいは、３Ｄシャッタ眼鏡７１００が７９２５において新規のフレーム同期信号を受信しない場合、３Ｄシャッタ眼鏡は７９３０においてフライホイール動作モードのタイムアウトが発生したかどうか判定する。３Ｄシャッタ眼鏡７１００が７９３０においてフライホイール（ｆｌｙｗｈｅｅｌ）動作モードのタイムアウトが発生したと判定しない場合、３Ｄシャッタ眼鏡はそこで７９２０，７９２５，７９３０を反復する。あるいは、３Ｄシャッタ眼鏡７１００が７９３０においてフライホイール動作モードのタイムアウトが発生したと判定された場合、３Ｄシャッタ眼鏡はそこで７９３５においてクリア動作モードへ移行する。例示実施形態では、７９３５において、３Ｄシャッタ眼鏡７１００はクリア動作モードにて動作し、左右のシャッタ１０６，１０８が共に光学的に透明となり、眼鏡の着用者は表示装置上で２Ｄ画像を見る。例示実施形態では、７９３５において、３Ｄシャッタ眼鏡７１００は方法２００，５００，１３００，２５００，３３００および／または３７００の１つ以上の態様を用いてクリア動作モードにて動作する。
【０１９６】
ここで図７８ａ，７８ｂを参照すると、例示実施形態では、３Ｄシャッタ眼鏡７１００は３Ｄシャッタ眼鏡が１つ以上のホストコンピュータ７１１０に作動可能に結合された作動方法を実施する。
【０１９７】
８００２と８００４において、ユーザは１つ以上のホストコンピュータ７１１０を動作させ、３Ｄシャッタ眼鏡７１００のファームウエアを更新することができる。こうして、３Ｄシャッタ眼鏡の動作を３Ｄシャッタ眼鏡の各ユーザが切り換えることができる。
【０１９８】
８００６と８００８において、ユーザは１つ以上のホストコンピュータ７１１０を動作させ、３Ｄシャッタ眼鏡７１００のファームウエアをリセットすることができる。こうして、３Ｄシャッタ眼鏡７１００の動作を３Ｄシャッタ眼鏡の各ユーザがリセットすることができる。
【０１９９】
８０１０と８０１２において、ユーザは１つ以上のホストコンピュータ７１１０を動作させ、３Ｄシャッタ眼鏡７１００から１つ以上のホストコンピュータあるいは１つ以上のホストコンピュータに作動可能に結合された他のコンピュータにデータをアップロードすることができる。こうして、３Ｄシャッタ眼鏡７１００の状態および／または動作に関するデータを３Ｄシャッタ眼鏡の各ユーザがアップロードすることができる。
【０２００】
８０１２と８１０４において、ユーザは１つ以上のホストコンピュータ７１１０を動作させ、３Ｄシャッタ眼鏡７１００の１つ以上の動作パラメータを調整することができる。こうして、各ユーザは３Ｄシャッタ眼鏡７１００の動作をカスタマイズすることができる。
【０２０１】
液晶シャッタは、電圧を液晶に印加することにより回転する液晶を有し、その後、液晶は、１ミリ秒未満で少なくとも２５％の光透過率を達成する。液晶が最大光透過を有する点まで回転するとき、デバイスは最大光透過の点で液晶の回転を停止させ、その後、所定の期間にわたって最大光透過の点で液晶を維持する。機械読み取り可能な媒体に実装されたコンピュータプログラムを、上記実施形態のうちのいずれかを容易に実現するため使用してもよい。
【０２０２】
システムは、第１および第２の液晶シャッタと、第１の液晶シャッタを開くために適合した制御回路とを有する１個の液晶シャッタ眼鏡を使用することにより３次元ビデオ画像を提示する。第１の液晶シャッタは、１ミリ秒未満で最大光透過の点まで開くことが可能であり、この時点で、制御回路は第１の液晶シャッタを第１の期間にわたって最大光透過の点で維持し、その後、第１の液晶シャッタを閉じるため、キャッチ電圧を印加してもよい。次に、制御回路は、第２の液晶シャッタを開き、ここで、第２の液晶シャッタは、１ミリ秒未満で最大光透過の点まで開き、その後、第２の液晶シャッタを第２の期間にわたって最大光透過の点で維持し、その後、第２の液晶シャッタを閉じるため、キャッチ電圧を印加する。第１の期間は観る人の第１の眼のための画像の提示に対応し、第２の期間は観る人の第２の眼のための画像の提示に対応する。機械読み取り可能な媒体に実装されたコンピュータプログラムを、本明細書中に記載された上記実施形態のうちのいずれかを容易に実現するため使用してもよい。
【０２０３】
例示的な実施形態では、制御回路は、第１および第２の期間を判定するために同期信号を使用するように適合している。例示的な実施形態では、キャッチ電圧は２ボルトである。
【０２０４】
例示的な実施形態では、最大光透過の点は、３２％を超える光を透過する。
【０２０５】
例示的な実施形態では、エミッタは同期信号を供給し、同期信号は制御回路に液晶シャッタのうちの一方を開かせる。例示的な実施形態では、同期信号は暗号化された信号を含む。例示的な実施形態では、３次元眼鏡の制御回路は、暗号化された信号を確認した後に限り作動する。
【０２０６】
例示的な実施形態では、制御回路は、バッテリセンサを有し、低バッテリ条件の表示を供給するように適合してもよい。低バッテリ条件の表示は、所定の期間にわたって閉じ、その後、所定の期間にわたって開く液晶シャッタでもよい。
【０２０７】
例示的な実施形態では、制御回路は、同期信号を検出し、同期信号を検出した後に液晶シャッタを作動させ始めるように適合している。
【０２０８】
例示的な実施形態では、暗号化された信号は、暗号化された信号を受信するように適合した制御回路を有する液晶眼鏡だけを作動させる。
【０２０９】
例示的な実施形態では、テスト信号は、液晶シャッタ眼鏡を着用している人に見えるレートで液晶シャッタを作動させる。
【０２１０】
例示的な実施形態では、眼鏡は、第１の液晶シャッタを有する第１のレンズと、第２の液晶シャッタを有する第２のレンズを有する。両方の液晶シャッタは、１ミリ秒未満で開くことができる液晶と、第１および第２の液晶を交互に開く制御回路とを有する。液晶シャッタが開くとき、液晶配向は、制御回路がシャッタを閉じるまで、最大光透過の点に維持される。
【０２１１】
例示的な実施形態では、キャッチ電圧は最大光透過の点で液晶を維持する。最大光透過の点は３２％を超える光を透過させ得る。
【０２１２】
例示的な実施形態では、エミッタは同期信号を供給し、同期信号は制御回路に液晶シャッタのうちの一方を開かせる。一部の実施形態では、同期信号は暗号化された信号を含む。例示的な実施形態では、制御回路は、暗号化された信号を確認した後に限り作動する。例示的な実施形態では、制御回路は、バッテリセンサを有し、低バッテリ状態の表示を供給するように適合してもよい。低バッテリ状態の表示は、所定の期間にわたって閉じ、その後、所定の期間にわたって開く液晶シャッタでもよい。例示的な実施形態では、制御回路は、同期信号を検出し、同期信号を検出した後に液晶シャッタを作動させ始めるように適合している。
【０２１３】
暗号化された信号は、暗号化された信号を受信するように適合した制御回路を有する液晶眼鏡だけを作動させてもよい。
【０２１４】
例示的な実施形態では、テスト信号は、液晶シャッタ眼鏡を着用している人に見えるレートで液晶シャッタを作動させる。
【０２１５】
例示的な実施形態では、３次元ビデオ画像は、液晶シャッタ眼鏡を使用し、１ミリ秒未満で第１の液晶シャッタを開き、第１の期間にわたって最大光透過の点で第１の液晶シャッタを維持し、第１の液晶シャッタを閉じ、その後に１ミリ秒未満で第２の液晶シャッタを開き、第２の期間にわたって最大光透過のポイントで第２の液晶シャッタを維持することによって、観る人に提示される。第１の期間は観る人の第１の眼のための画像の提示に対応し、第２の期間は観る人の第２の眼のための画像の提示に対応する。
【０２１６】
例示的な実施形態では、液晶シャッタはキャッチ電圧によって最大光透過の点で維持される。キャッチ電圧は２ボルトとすることができる。例示的な実施形態では、最大光透過の点は、３２％を超える光を透過する。
【０２１７】
例示的な実施形態では、エミッタは制御回路に液晶シャッタのうちの一方を開かせる同期信号を供給する。例示的な実施形態では、同期信号は暗号化された信号を含む。
【０２１８】
例示的な実施形態では、制御回路は、暗号化された信号を確認した後に限り作動する。
【０２１９】
例示的な実施形態では、バッテリセンサはバッテリ内の電力量を監視する。例示的な実施形態では、制御回路は、バッテリセンサを有し、低バッテリ条件の表示を供給するように適合される。低バッテリ条件の表示は、所定の期間にわたって閉じ、その後、所定の期間にわたって開く液晶シャッタでもよい。
【０２２０】
例示的な実施形態では、制御回路は、同期信号を検出し、同期信号を検出した後に液晶シャッタを作動させ始めるため適合している。例示的な実施形態では、暗号化された信号は、暗号化された信号を受信するように適合した制御回路を有する液晶眼鏡だけを作動させる。
【０２２１】
例示的な実施形態では、テスト信号は、１個の液晶シャッタ眼鏡を着用している人に見えるレートで液晶シャッタを作動させる。
【０２２２】
例示的な実施形態では、３次元ビデオ画像を提供するシステムは、第１の液晶シャッタを有する第１のレンズおよび第２の液晶シャッタを有する第２のレンズを有する１個の眼鏡を含み得る。液晶シャッタは液晶を有してもよく、１ミリ秒未満で開かれてもよい。制御回路は、第１および第２の液晶シャッタを交互に開き、制御回路がシャッタを閉じるまで液晶配向を最大光透過の点で維持してもよい。更に、システムは、バッテリと、バッテリ内の残存電力量を判定することができるセンサと、バッテリ内の残存電力量が所定の時間より長く１個の眼鏡が作動するため十分であるかどうかを判定するように適合したコントローラと、眼鏡が所定の時間より長く作動しないかどうかを観る人に信号で知らせるインジケータとを含む低バッテリンジケータを有してもよい。例示的な実施形態では、低バッテリンジケータは、所定のレートで左右の液晶シャッタを開閉する。例示的な実施形態では、所定の時間は３時間より長い。例示的な実施形態では、低バッテリンジケータは、バッテリ内の残存電力量が所定の時間より長く１個の眼鏡が作動するために十分ではないと判定した後、少なくとも３日間作動し得る。例示的な実施形態では、コントローラは、バッテリ内に残存する同期信号の個数によって時間を測定することによりバッテリ内の残存電力量を決定してもよい。
【０２２３】
３次元ビデオ画像を提供する例示的な実施形態では、画像は、第１の液晶シャッタおよび第２の液晶シャッタを含む３次元視眼鏡を設け、１ミリ秒未満で第１の液晶シャッタを開き、第１の期間にわたって最大光透過の点で第１の液晶シャッタを維持し、第１の液晶シャッタを閉じ、その後に１ミリ秒未満で第２の液晶シャッタを開き、第２の期間にわたって最大光透過の点で第２の液晶シャッタを維持することによって提供される。第１の期間は観る人の第１の眼のための画像の提示に対応し、第２の期間は観る人の第２の眼のための画像の提示に対応する。この例示的な実施形態では、３次元視眼鏡は、バッテリ内の残存電力量を検知し、バッテリ内の残存電力量が所定の時間より長く眼鏡が作動するため十分であるかどうかを判定し、眼鏡が所定の時間より長く作動しないかどうかに関する低バッテリ信号を観る人に知らせる。インジケータは、所定のレートでレンズを開閉してもよい。バッテリが持続する所定の時間は、３時間より長くなり得る。例示的な実施形態では、低バッテリンジケータは、バッテリ内の残存電力量が所定の時間より長く１個の眼鏡が作動するため不十分であると判定した後、少なくとも３日間作動する。例示的な実施形態では、コントローラは、バッテリが持続可能である同期信号の個数によって時間を測定することによりバッテリ内の残存電力量を判定する。
【０２２４】
例示的な実施形態では、３次元ビデオ画像を提供するために、システムは、第１の液晶シャッタを含む第１のレンズおよび第２の液晶シャッタを含む第２のレンズを備える１個の眼鏡を含み、液晶シャッタは液晶を有し、１ミリ秒未満の開時間を有する。制御回路は第１および第２の液晶シャッタを交互に開いてもよく、液晶配向は、制御回路がシャッタを閉じるまで、最大光透過の点で維持される。さらに、同期装置は、第１の眼のため提示される画像に対応する信号を送信する信号送信機と、信号を検知する信号受信機と、画像が第１の眼のため提示される第１の期間中に第１のシャッタを開くため適合した制御回路とを含む。例示的な実施形態では、信号は赤外線光である。
【０２２５】
例示的な実施形態では、信号送信機は信号を反射器へ向けて投影し、この信号は反射器によって反射され、信号受信機は反射された信号を検出する。一部の実施形態では、反射器は映画シアタースクリーンである。例示的な実施形態では、信号送信機は、映画プロジェクタのような画像プロジェクタからタイミング信号を受信する。例示的な実施形態では、信号は無線周波数信号である。例示的な実施形態では、信号は所定の間隔でのパルスの系列である。信号が所定の間隔をおいた一連のパルスである例示実施形態では、第１の所定個数のパルスが第１の液晶シャッタを開き、第２の所定個数のパルスが第２の液晶シャッタを開く。
【０２２６】
３次元ビデオ画像を提供する例示的な実施形態では、画像を提供する方法は、第１の液晶シャッタおよび第２の液晶シャッタを備える３次元視眼鏡を設けることと、１ミリ秒未満で第１の液晶シャッタを開くステップと、第１の期間にわたって最大光透過の点で第１の液晶シャッタを維持することと、第１の液晶シャッタを閉じ、その後に１ミリ秒未満で第２の液晶シャッタを開くことと、第２の期間にわたって最大光透過のポイントで第２の液晶シャッタを維持することと、を含む。第１の期間は観る人の左眼のための画像の提示に対応し、第２の期間は観る人の第２の眼のための画像の提示に対応する。信号送信機は左眼のため提示される画像に対応する信号を送信し、信号を検知することが可能であり、３次元視眼鏡は、第１の液晶シャッタを開くべき時点を判定するため信号を使用することが可能である。例示的な実施形態では、信号は赤外線光である。例示実施形態では、信号送信器が信号を反射器へ向け投射し、反射器がこの信号を３次元視眼鏡に向け反射し、反射された信号を眼鏡内の信号受信器が検出する。一部の実施形態では、反射器は映画シアタースクリーンである。
【０２２７】
例示的な実施形態では、信号送信機は、画像プロジェクタからタイミング信号を受信する。例示的な実施形態では、信号は無線周波数信号である。例示的な実施形態では、信号は所定の間隔でのパルスの系列とすることができる。第１の所定の個数のパルスは第１の液晶シャッタを開くことができ、第２の所定の個数のパルスは第２の液晶シャッタを開くことができる。
【０２２８】
３次元ビデオ画像を提供する例示的な実施形態では、眼鏡は、第１の液晶シャッタを有する第１のレンズおよび第２の液晶シャッタを有する第２のレンズを有し、液晶シャッタは液晶を有し、と１ミリ秒未満の開時間を有する。制御回路は第１および第２の液晶シャッタを交互に開き、液晶配向は、制御回路がシャッタを閉じるまで、最大光透過の点で維持される。例示的な実施形態では、同期システムは、眼鏡の前方に位置している反射デバイスと、信号を反射デバイスに向けて送信する信号送信機とを備える。信号は観る人の第１の眼のため提示される画像に対応する。信号受信機は、反射デバイスから反射された信号を検知し、その後、制御回路は、画像が第１の眼のため提示される期間中に第１のシャッタを開く。
【０２２９】
例示的な実施形態では、信号は赤外線光である。一部の実施形態では、反射器は映画シアタースクリーンである。例示的な実施形態では、信号送信機は、画像プロジェクタからタイミング信号を受信する。信号は所定の間隔でのパルスの系列でもよい。例示的な実施形態では、信号は所定の間隔でのパルスの系列であり、第１の所定の個数のパルスは第１の液晶シャッタを開き、第２の所定の個数のパルスは第２の液晶シャッタを開く。
【０２３０】
３次元ビデオ画像を提供する例示的な実施形態では、画像は、第１の液晶シャッタおよび第２の液晶シャッタを含む３次元視眼鏡を設け、１ミリ秒未満で第１の液晶シャッタを開き、第１の期間にわたって最大光透過の点で第１の液晶シャッタを維持し、第１の液晶シャッタを閉じ、その後に１ミリ秒未満で第２の液晶シャッタを開き、第２の期間にわたって最大光透過のポイントで第２の液晶シャッタを維持することによって提供することができる。第１の期間は観る人の第１の眼のための画像の提示に対応し、第２の期間は観る人の第２の眼のための画像の提示に対応する。例示的な実施形態では、送信機は、第１の眼のため提示される画像に対応する赤外線信号を送信する。３次元視眼鏡は赤外線信号を検知し、その後、第１の液晶シャッタの開きを始動させるため赤外線信号を使用する。例示的な実施形態では、信号は赤外線光である。一部の実施形態では、反射器は映画シアタースクリーンである。例示的な実施形態では、信号送信機は、画像プロジェクタからタイミング信号を受信する。タイミング信号は所定の間隔でのパルスの系列とすることができる。一部の実施形態では、第１の所定の個数のパルスは第１の液晶シャッタを開き、第２の所定の個数のパルスは第２の液晶シャッタを開く。
【０２３１】
例示的な実施形態では、３次元ビデオ画像を提供するシステムは、第１の液晶シャッタを有する第１のレンズおよび第２の液晶シャッタを有する第２のレンズを有する眼鏡を含み、液晶シャッタは液晶を有し、１ミリ秒未満の開時間を有する。システムは、第１および第２の液晶シャッタを交互に開き、制御回路がシャッタを閉じるまで、液晶配向を最大光透過の点で維持する制御回路を更に有することができる。システムは、信号送信機と、信号受信機と、観る人に見えるレートで第１および第２のシャッタを開閉するように適合したテストシステム制御回路とを更に有してもよい。例示的な実施形態では、信号送信機はプロジェクタからのタイミング信号を受信しない。例示的な実施形態では、信号送信機は赤外線信号を送出する。赤外線信号はパルスの系列とすることができる。別の例示的な実施形態では、信号送信機は無線周波数信号を送出する。無線周波数信号はパルスの系列とすることができる。
【０２３２】
３次元ビデオ画像を提供する例示的な実施形態では、この方法は、第１の液晶シャッタおよび第２の液晶シャッタを備える３次元視眼鏡を設けることと、１ミリ秒未満で第１の液晶シャッタを開くことと、第１の期間にわたって最大光透過の点で第１の液晶シャッタを維持することと、第１の液晶シャッタを閉じ、その後に１ミリ秒未満で第２の液晶シャッタを開くことと、第２の期間にわたって最大光透過の点で第２の液晶シャッタを維持することと、を含む。例示的な実施形態では、第１の期間は観る人の第１の眼のための画像の提示に対応し、第２の期間は観る人の第２の眼のための画像の提示に対応する。例示的な実施形態では、送信機は３次元視眼鏡へ向けてテスト信号を送信することができ、３次元視眼鏡は、その後、３次元眼鏡上のセンサを用いてテスト信号を受信し、その後、テスト信号の結果として制御回路を使用して第１および第２の液晶シャッタを開閉し、液晶シャッタは眼鏡を着用する観る人が観察可能であるレートで開閉する。
【０２３３】
例示的な実施形態では、信号送信機はプロジェクタからタイミング信号を受信しない。例示的な実施形態では、信号送信機は、赤外線信号を送出し、それはパルスの系列とすることができる。例示的な実施形態では、信号送信機は無線周波数信号を送出する。例示的な実施形態では、無線周波数信号はパルスの系列である。
【０２３４】
３次元ビデオ画像を提供するシステムの例示的な実施形態は、第１の液晶シャッタを有する第１のレンズおよび第２の液晶シャッタを有する第２のレンズを備える眼鏡を含むことができ、液晶シャッタは液晶を有し、１ミリ秒未満の開時間を有する。システムは、第１および第２の液晶シャッタを交互に開き、最大光透過の点で液晶配向を維持し、シャッタを閉じる制御回路を更に含むことができる。例示的な実施形態では、自動オンシステムは信号送信機および信号受信機を備え、制御回路は、第１の所定の時間間隔で信号受信機を作動させ、信号受信機が信号送信機から信号を受信しているかどうかを判定し、信号受信機が第２の期間中に信号送信機から信号を受信しない場合、信号受信機を停止させ、信号受信機が信号送信機から信号を受信した場合、信号に対応する間隔で第１のシャッタおよび第２のシャッタを交互に開く。
【０２３５】
例示的な実施形態では、第１の期間は少なくとも２秒であり、第２の期間は１００ミリ秒を超えないことができる。例示的な実施形態では、液晶シャッタは、信号受信機が信号送信機から信号を受信するまで開いた状態を維持する。
【０２３６】
例示的な実施形態では、３次元ビデオ画像を提供する方法は、第１の液晶シャッタおよび第２の液晶シャッタを備える３次元視眼鏡を設けることと、１ミリ秒未満で第１の液晶シャッタを開くことと、第１の期間にわたって最大光透過の点で第１の液晶シャッタを維持することと、第１の液晶シャッタを閉じ、その後に１ミリ秒未満で第２の液晶シャッタを開くことと、第２の期間にわたって最大光透過の点で第２の液晶シャッタを維持することと、を含むことができる。例示的な実施形態では、第１の期間は観る人の第１の眼のための画像の提示に対応し、第２の期間は観る人の第２の眼のための画像の提示に対応する。例示的な実施形態では、この方法は、第１の所定の時間間隔で信号受信機を作動させることと、信号受信機が信号送信機から信号を受信しているかどうかを判定することと、信号受信機が第２の期間の範囲内で信号送信機から信号を受信しない場合、信号受信機を停止させることと、信号受信機が信号送信機から信号を受信した場合、信号に対応する間隔で第１のシャッタおよび第２のシャッタを交互に開くこととを含むことができる。例示的な実施形態では、第１の期間は少なくとも２秒である。例示的な実施形態では、第２の期間は１００ミリ秒を超えない。例示的な実施形態では、液晶シャッタは、信号受信機が信号送信機から信号を受信するまで開いた状態を維持する。
【０２３７】
例示的な実施形態では、３次元ビデオ画像を提供するシステムは、第１の液晶シャッタを有する第１のレンズおよび第２の液晶シャッタを有する第２のレンズを備える１個の眼鏡を含むことができ、液晶シャッタは液晶を有し、１ミリ秒未満の開時間を有する。システムは、第１および第２の液晶シャッタを交互に開き、制御回路がシャッタを閉じるまで、液晶配向を最大光透過の点で維持する制御回路を更に有することができる。例示的な実施形態では、制御回路は、第１の液晶シャッタおよび第２の液晶シャッタを開いた状態に維持するように適合している。例示的な実施形態では、制御回路は、制御回路が同期信号を検出するまでレンズを開いた状態に維持する。例示的な実施形態では、液晶シャッタに印加された電圧は正と負との間で交番する。
【０２３８】
３次元ビデオ画像を提供する装置の一実施形態では、１ミリ秒未満で開くことが可能である第１の液晶シャッタと、１ミリ秒未満で開くことが可能である第２の液晶シャッタとを備える３次元視眼鏡は、液晶シャッタを透明なレンズにするレートで第１および第２の液晶シャッタを開閉する。一実施形態では、制御回路は、制御回路が同期信号を検出するまで、レンズを開いた状態に維持する。一実施形態では、液晶シャッタは正と負との間で交番する。
【０２３９】
例示的な実施形態では、３次元ビデオ画像を提供するシステムは、第１の液晶シャッタを有する第１のレンズおよび第２の液晶シャッタを有する第２のレンズを備える眼鏡を含むことができ、液晶シャッタは液晶を有し、１ミリ秒未満の開時間を有する。眼鏡は、第１および第２の液晶シャッタを交互に開き、制御回路がシャッタを閉じるまで、液晶を最大光透過の点で維持する制御回路を更に有することができる。例示的な実施形態では、エミッタは同期信号を供給することができ、同期信号の一部分は暗号化されている。制御回路に操作可能に結合されているセンサは、同期信号を受信するように適合し、第１および第２の液晶シャッタは、暗号化された信号を受信した後に限り、同期信号に対応したパターンで開閉することができる。
【０２４０】
例示的な実施形態では、同期信号は所定の間隔でのパルスの系列である。例示的な実施形態では、同期信号は所定の間隔でのパルスの系列であり、第１の所定の個数のパルスは第１の液晶シャッタを開き、第２の所定の個数のパルスは第２の液晶シャッタを開く。例示的な実施形態では、パルスの系列の一部分は暗号化されている。例示的な実施形態では、パルスの系列は、暗号化されていない所定の個数のパルスと、後に続く、暗号化されている所定の個数のパルスとを含む。例示的な実施形態では、第１および第２の液晶シャッタは、２つの連続した暗号化された信号を受信した後に限り、同期信号に対応したパターンで開閉することができる。
【０２４１】
３次元ビデオ画像を提供する例示的な実施形態では、この方法は、第１の液晶シャッタおよび第２の液晶シャッタを備える１個の３次元視眼鏡を設けることと、１ミリ秒未満で第１の液晶シャッタを開くことと、第１の期間にわたって最大光透過の点で第１の液晶シャッタを維持することと、第１の液晶シャッタを閉じ、その後に１ミリ秒未満で第２の液晶シャッタを開くことと、第２の期間にわたって最大光透過の点で第２の液晶シャッタを維持することと、を含む。例示的な実施形態では、第１の期間は観る人の第１の眼のための画像の提示に対応し、第２の期間は観る人の第２の眼のための画像の提示に対応する。例示的な実施形態では、エミッタは同期信号を供給し、同期信号の一部分は暗号化されている。例示的な実施形態では、センサは、制御回路に操作可能に結合され、同期信号を受信するように適合し、第１および第２の液晶シャッタは、暗号化された信号を受信した後に限り、同期信号に対応したパターンで開閉する。
【０２４２】
例示的な実施形態では、同期信号は所定の間隔でのパルスの系列である。例示的な実施形態では、同期信号は所定の間隔でのパルスの系列であり、第１の所定の個数のパルスは第１の液晶シャッタを開き、第２の所定の個数のパルスは第２の液晶シャッタを開く。例示的な実施形態では、パルスの系列の一部分は暗号化されている。例示的な実施形態では、パルスの系列は、暗号化されていない所定の個数のパルスと、後に続く、暗号化されている所定の個数のパルスとを含む。例示的な実施形態では、第１および第２の液晶シャッタは、２つの連続した暗号化された信号を受信した後に限り、同期信号に対応したパターンで開閉することができる。
【０２４３】
３Ｄ眼鏡内に使用する液晶シャッタを高速に開く方法を説明してきたが、これは液晶を開位置まで回転させることで、液晶が１ミリ秒未満で少なくとも２５％の透過光量レートを達成することと、液晶が最大透過光量を有する点へ回転するまで待機することと、最大透過光量点で液晶の回転を停止させることと、液晶を一定時間期間に亙り最大透過光量点に保つこととを含む。例示実施形態では、システムは、対応する第１と第２の液晶シャッタを有する一対の液晶シャッタと、第１の液晶シャッタを開くよう適合させた制御回路とを含み、第１の液晶シャッタは１ミリ秒未満で最大透過光量点まで開き、キャッチ電圧を印加し、第１の液晶シャッタを第１の時間期間に亙り最大透過光量点に保ち、続いて第１の液晶シャッタを閉じ、第２の液晶シャッタを開き、第２の液晶シャッタを１ミリ秒未満で最大透過光量点まで開き、キャッチ電圧を印加し、第１の液晶シャッタを第１の時間期間に亙り最大透過光量点に保ち、続いて第２の液晶シャッタを閉じ、第１の時間期間はユーザの片側の眼に対する画像の提示に対応し、第２の時間期間はユーザの他側の眼に対する画像の提示に対応する。例示的な実施形態では、制御回路は、第１および第２の期間を判定するために同期信号を使用するように適合している。例示的な実施形態では、キャッチ電圧は２ボルトである。例示的な実施形態では、最大光透過の点は、３２％を超える光を透過する。例示実施形態では、システムはさらに同期信号を供給するエミッタを含み、この同期信号が制御回路をして液晶シャッタの一方を開かせる。例示実施形態では、同期信号は暗号化信号を含む。例示的な実施形態では、３次元眼鏡の制御回路は、暗号化された信号を確認した後に限り作動する。例示実施形態では、システムはさらにバッテリセンサを含む。例示的な実施形態では、制御回路は、バッテリセンサを有し、低バッテリ状態の表示を供給するように適合される。例示実施形態では、バッテリ低下状態の表示は一定の時間期間に亙り閉じ、続いて一定の時間期間に亙り開く液晶シャッタを含む。例示的な実施形態では、制御回路は、同期信号を検出し、同期信号を検出した後に液晶シャッタを作動させ始めるため適合している。例示的な実施形態では、暗号化された信号は、暗号化された信号を受信するように適合した制御回路を有する液晶眼鏡だけを作動させる。例示実施形態では、システムはさらにテスト信号を含み、このテスト信号が液晶シャッタ眼鏡を着用しているユーザが視認可能なレートで液晶シャッタを動作させる。
【０２４４】
３次元ビデオ画像を提供するシステムを説明してきたが、これは第１の液晶シャッタを有する第１のレンズと第２の液晶シャッタを有する第２のレンズとで、液晶シャッタがそれぞれ液晶を有し、１ミリ秒未満の開時間とを有する両レンズと、第１の液晶と第２の液晶を交互に開く制御回路とを含み、液晶の向きは制御回路がシャッタを閉じるまで最大透過光量点に保たれる。例示的な実施形態では、キャッチ電圧は最大光透過のポイントで液晶を維持する。例示的な実施形態では、最大光透過の点は、３２％を超える光を透過する。例示実施形態では、システムはさらに同期信号を供給するエミッタを含み、この同期信号が制御回路をして液晶シャッタの一方を開かせる。例示実施形態では、同期信号は暗号化信号を含む。例示的な実施形態では、３次元眼鏡の制御回路は、暗号化された信号を確認した後に限り作動する。例示実施形態では、システムはさらにバッテリセンサを含む。例示的な実施形態では、制御回路は、バッテリセンサを有し、低バッテリ状態の表示を供給するように適合される。例示実施形態では、バッテリ低下状態のインジケータには、一定の時間期間に亙り閉じ、続いて一定の時間期間に亙り開く液晶シャッタを含む。例示的な実施形態では、制御回路は、同期信号を検出し、同期信号を検出した後に液晶シャッタを作動させ始めるように適合している。例示的な実施形態では、暗号化された信号は、暗号化された信号を受信するように適合した制御回路を有する１個の液晶眼鏡だけを作動させる。例示実施形態では、システムはさらにテスト信号を含み、このテスト信号が液晶シャッタ眼鏡を着用している人が視認可能なレートで液晶シャッタを動作させる。
【０２４５】
３次元ビデオ画像を提供する方法を説明してきたが、これは第１の液晶シャッタを１ミリ秒未満で開くことと、第１の液晶シャッタを第１の時間期間に亙り最大透過光量点に保つことと、第１の液晶シャッタを閉じ、続いて第２の液晶シャッタを１ミリ秒未満で開くことと、第２の液晶シャッタを第２の時間期間に亙り最大透過光量点に保つこととを含み、第１の時間期間は観る人の片側の眼に対する画像の提示に対応し、第２の時間期間は観る人の他側の眼に対する画像の提示に対応する。例示実施形態では、方法はさらにキャッチ電圧により液晶シャッタを最大透過光量に保つことを含む。例示的な実施形態では、キャッチ電圧は２ボルトである。例示的な実施形態では、最大光透過の点は、３２％を超える光を透過する。例示実施形態では、方法はさらに液晶シャッタの動作を制御する同期信号の送出を含む。例示実施形態では、同期信号は暗号化信号を含む。例示実施形態では、暗号化信号を確認して初めて同期信号が液晶シャッタ制御回路の動作を制御する。例示実施形態では、方法はさらにバッテリの電力レベルを検出することを含む。例示実施形態では、方法はさらにバッテリの電力レベルの表示の供給を含む。例示実施形態では、バッテリ低下状態の表示は一定の時間期間に亙り閉じ、続いて一定の時間期間に亙り開く液晶シャッタを含む。例示実施形態では、方法はさらに同期信号の検出することと、続いて同期信号の検出後に液晶シャッタを動作させることとを含む。例示実施形態では、方法はさらに液晶シャッタに特に割り当てられた暗号化信号の受信後に初めて液晶シャッタを動作させることを含む。例示実施形態では、方法はさらに観る人が視認可能なレートで液晶シャッタを動作させるテスト信号の供給することを含む。
【０２４６】
３Ｄ眼鏡用筺体内の機械読み取り可能な媒体に実装され、３Ｄ眼鏡のユーザに３次元ビデオ画像を提示するコンピュータプログラムを説明してきたが、これは液晶に電圧を印加することで液晶を回転させることで、１ミリ秒未満で液晶が少なくとも２５％の光透過レートを達成することと、液晶が最大透過光量点へ回転するまで待機することと、最大透過光量点で液晶の回転を停止させることと、液晶を一定時間期間に亙り最大透過光量点に保つこととを含む。
【０２４７】
機械読み取り可能な媒体に実装され、３Ｄ眼鏡のユーザに３次元ビデオ画像を提示するコンピュータプログラムを説明してきたが、これは第１の液晶シャッタを１ミリ秒未満で開くことと、第１の液晶シャッタを第１の時間期間に亙り最大透過光量点に保つことと、第１の液晶シャッタを閉じ、続いて第２の液晶シャッタを１ミリ秒未満で開くことと、第２の液晶シャッタを第２の時間期間に亙り最大透過光量点に保つこととを含み、第１の時間期間はユーザの片側の眼に対する画像の提示に対応し、第２の時間期間はユーザの他側の眼に対する画像の提示に対応する。例示的な実施形態では、液晶シャッタはキャッチ電圧によって最大光透過の点で維持される。例示的な実施形態では、キャッチ電圧は２ボルトである。例示的な実施形態では、最大光透過のポイントは、３２％を超える光を透過する。例示実施形態では、コンピュータプログラムはさらに液晶シャッタの動作を制御する同期信号の供給を含む。例示的な実施形態では、同期信号は暗号化された信号を含む。例示実施形態では、コンピュータプログラムは暗号化信号を確認して初めて液晶シャッタを動作させることを含む。例示実施形態では、コンピュータプログラムはさらにバッテリの電力レベルの検知を含む。例示実施形態では、コンピュータプログラムはバッテリ低下状態の表示の供給を含む。例示実施形態では、コンピュータプログラムはさらに液晶シャッタを一定の時間期間に亙り閉じ、一定時間期間に亙り液晶シャッタを開くことでバッテリ低下状態の表示を提供する。例示実施形態では、コンピュータプログラムはさらに同期信号の検出と、続く同期信号検出後の液晶シャッタの動作とを含む。例示実施形態では、コンピュータプログラムはさらに、液晶シャッタの制御から特別に割り当てられた暗号化信号を受信して初めて液晶シャッタを動作させることを含む。例示実施形態では、コンピュータプログラムはさらに、ユーザが視認可能なレートで液晶シャッタを開閉するテスト信号の供給を含む。
【０２４８】
液晶シャッタを高速で開くシステムを説明してきたが、これは液晶に電圧を印加することで液晶を回転させる手段で、液晶が１ミリ秒未満で少なくとも２５％の光透過レートを達成する手段と、液晶が最大透過光量点へ回転するまで待機する手段と、最大透過光量点で液晶の回転を停止させる手段と、液晶を一定時間期間に亙り最大透過光量点に保つ手段とを含む。
【０２４９】
３次元ビデオ画像を提供するシステムを説明してきたが、これは第１の液晶シャッタを１ミリ秒未満で開く手段と、第１の液晶シャッタを第１の時間期間に亙り最大透過光量点に保つ手段と、第１の液晶シャッタを閉じ、続いて第２の液晶シャッタを１ミリ秒未満で開く手段と、第２の液晶シャッタを第２の時間期間に亙り最大透過光量点に保つ手段とを含み、第１の時間期間は観る人の片側の眼に対する画像の提示に対応し、第２の時間期間は観る人の他側の眼に対する画像の提示に対応する。例示実施形態では、第１と第２の液晶シャッタの少なくとも一方がキャッチ電圧により最大透過光量点に保たれる。例示的な実施形態では、キャッチ電圧は２ボルトである。例示的な実施形態では、最大光透過の点は、３２％を超える光を透過する。例示実施形態では、システムはさらに同期信号の供給手段を含み、この同期信号が１つ以上の液晶シャッタを開かせる。例示的な実施形態では、同期信号は暗号化された信号を含む。例示実施形態では、システムはさらに暗号化信号の確認後に初めて液晶シャッタを動作させる手段を含む。例示実施形態では、システムはさらにバッテリの動作状態を検知する手段を含む。例示実施形態では、システムはさらにバッテリ低下状態の表示を供給する手段を含む。例示実施形態では、バッテリ低下状態の表示が液晶シャッタを一定時間期間に亙り閉じ、続いて一定時間期間に亙り液晶シャッタを開くことを含む。例示実施形態では、システムはさらに、同期信号を検出する手段と、同期信号検出後に液晶シャッタを動作させる手段とを含む。例示実施形態では、システムはさらに、液晶シャッタの動作用に特別に割り当てられた暗号化信号を受信して初めて液晶シャッタを動作させる手段を含む。例示実施形態では、システムはさらに、観る人に視認可能なレートで液晶シャッタを動作させる手段を含む。
【０２５０】
３Ｄ眼鏡に用いる液晶シャッタを高速で開く方法を説明してきたが、これは液晶を開位置まで回転させることと、液晶が最大透過光量点へ回転するまで待機することと、最大透過光量点で液晶の回転を停止させることと、液晶を一定時間期間に亙り最大透過光量点に保つこととを含み、液晶は光学的に肉厚の液晶とされる。
【０２５１】
３次元ビデオ画像を提示する方法を説明してきたが、これは暗号化された同期信号を送信することと、暗号化同期信号を遠隔場所で受信することと、受信した暗号化同期信号を確認した後、第１の液晶シャッタを１ミリ秒未満で開くことと、第１の液晶シャッタを第１の時間期間に亙り最大透過光量点に保つことと、第１の液晶シャッタを閉じ、続いて第２の液晶シャッタを１ミリ秒未満で開くことと、第２の液晶シャッタを第２の時間期間に亙り最大透過光量点に保つことと、液晶シャッタを開閉するバッテリ電力を供給することと、バッテリ電力の電力レベルを検知することと、液晶シャッタを観る人が視認できるレートで開閉することでバッテリ電力の検知されたレベルの表示を供給することとを含み、第１の時間期間は観る人の片側の眼に対する画像の提示に対応し、第２の時間期間は観る人の他側の眼に対する画像の提示に対応し、液晶シャッタはキャッチ電圧により最大透過光量点に保たれる。
【０２５２】
３次元ビデオ画像を提供するシステムを説明してきたが、これは眼鏡を含み、それは第１の液晶シャッタを有する第１のレンズと第２の液晶シャッタを有する第２のレンズであって、液晶シャッタは液晶を有して、１ミリ秒未満の開時間を有するものと、第１と第２の液晶シャッタを交互に開く制御回路で、液晶シャッタの少なくとも一方の向きをこの制御回路が液晶シャッタを閉じるまで最大透過光量点に保つ制御回路と、制御回路に作動可能に結合したバッテリと、バッテリに残留する電力量を判定することのできるセンサと、バッテリに残留する電力量が眼鏡を所定時間を上回って動作させるに十分かどうか判定するよう適合させたコントローラと、眼鏡が所定時間を上回って動作しないであろう場合に観る人に発信するインジケータとを含むバッテリ低下インジケータとを含む。例示実施形態では、バッテリ低下インジケータは、所定のレートで左右の液晶シャッタを開閉する。例示的な実施形態では、所定の時間は３時間より長い。例示的な実施形態では、低バッテリンジケータは、バッテリ内の残存電力量が所定の時間より長く眼鏡が作動するため不十分であると判定した後、少なくとも３日間作動する。例示実施形態では、バッテリに残る電力量を特定するよう適合させたコントローラが一定数の同期パルスにより時間を計測する。
【０２５３】
３次元ビデオ画像を提供する方法を説明してきたが、これは第１の液晶シャッタを有する第１のレンズと第２の液晶シャッタを有する第２のレンズとを備える３次元視眼鏡を有することと、第１の液晶シャッタを１ミリ秒未満で開くことと、第１の液晶シャッタを第１の時間期間に亙り最大透過光量点に保つことと、第１の液晶シャッタを閉じ、続いて第２の液晶シャッタを１ミリ秒未満で開くことと、第２の液晶シャッタを第２の時間期間に亙り最大透過光量点に保つことを含み、第１の時間期間は観る人の片側の眼に対する画像の提示に対応し、第２の時間期間は観る人の他側の眼に対する画像の提示に対応し、さらに、バッテリに残留する電力量を検知することと、バッテリに残留する電力量が３次元視眼鏡が所定時間を上回って動作させるに十分かどうか判定することと、３次元視眼鏡が所定時間を上回って動作しないであろう場合に観る人に対しバッテリ低下信号を表示することとを含む。例示実施形態では、３次元視眼鏡が所定時間を上回って動作しないであろう場合に観る人に対しバッテリ低下信号を表示することは、第１と第２の液晶シャッタを所定レートで開閉することを含む。例示的な実施形態では、所定の時間は３時間より長い。例示実施形態では、３次元視眼鏡が所定時間を上回って動作しないであろう場合に観る人に対しバッテリ低下信号を表示することは、バッテリに残留する電力量を判定した後、少なくとも３日間に亙り３次元視眼鏡が所定の時間量を上回って３次元視眼鏡を動作させるに十分でない場合に、観る人に対しバッテリ低下信号を表示することを含む。例示実施形態では、方法はさらにバッテリ内に残留する電力量を判定することを含み、これが３次元視眼鏡に送信される一定数の同期パルスを計測することを含む。
【０２５４】
機械読み取り可能な媒体に実装され、第１の液晶シャッタと第２の液晶シャッタとを備える３次元視眼鏡を用い、３次元ビデオ画像を提供するコンピュータプログラムを説明してきたが、これは第１の液晶シャッタを１ミリ秒未満で開くことと、第１の液晶シャッタを第１の時間期間に亙り最大透過光量点に保つことと、第１の液晶シャッタを閉じ、続いて第２の液晶シャッタを１ミリ秒未満で開くことと、第２の液晶シャッタを第２の時間期間に亙り最大透過光量点に保つことを含み、第１の時間期間は観る人の片側の眼に対する画像の提示に対応し、第２の時間期間は観る人の他側の眼に対する画像の提示に対応し、さらに、バッテリに残留する電力量を検知することと、バッテリに残留する電力量が３次元視眼鏡が所定時間を上回って動作させるに十分かどうか判定することと、３次元視眼鏡が所定時間を上回って動作しないであろう場合に、観る人に対しバッテリ低下信号を表示することとを含む。例示実施形態ではコンピュータプログラムは、３次元視眼鏡が所定時間を上回って動作しないであろう場合に観る人に対しバッテリ低下信号を指示することを含み、これが第１と第２の液晶シャッタを所定レートで開閉することを含む。例示的な実施形態では、所定の時間は３時間より長い。例示実施形態ではコンピュータプログラムはさらに、３次元視眼鏡が所定時間を上回って動作しないであろう場合に観る人に対しバッテリ低下信号を表示することを含み、これがバッテリに残留する電力量が所定の時間量を上回って３次元視眼鏡を動作させるに十分でないと判定した後、３次元視眼鏡が所定時間を上回って動作しないであろう場合に観る人に対しバッテリ低下信号を少なくとも３日間に亙り表示することを含む。例示実施形態では、コンピュータプログラムはさらに、３次元視眼鏡に送信される一定数の同期パルスを計測することによるバッテリ内に残留する電力量の判定を含む。
【０２５５】
３次元ビデオ画像を提供する方法を説明してきたが、これは第１の液晶シャッタを有する第１のレンズと第２の液晶シャッタを有する第２のレンズとを備える眼鏡を有する手段と、第１の液晶シャッタを１ミリ秒未満で開く手段と、第１の液晶シャッタを第１の時間期間に亙り最大透過光量点に保つ手段と、第１の液晶シャッタを閉じ、続いて第２の液晶シャッタを１ミリ秒未満で開く手段と、第２の液晶シャッタを第２の時間期間に亙り最大透過光量点に保つ手段を含み、第１の時間期間は観る人の片側の眼に対する画像の提示に対応し、第２の時間期間は観る人の他側の眼に対する画像の提示に対応し、さらに、バッテリに残留する電力量を検知する手段と、バッテリに残留する電力量が３次元視眼鏡を所定時間を上回って動作させるに十分かどうか判定する手段と、３次元視眼鏡が所定時間を上回って動作しないであろう場合に、観る人に対しバッテリ低下信号を表示する手段とを含む。例示実施形態では、低電圧信号は所定のレートで第１と第２の液晶シャッタを開閉する手段を含む。例示的な実施形態では、所定の時間は３時間より長い。例示実施形態では、システムはさらに、バッテリに残留する電力量が３次元視眼鏡を所定時間量を上回って動作させるに十分でないと判定した後、少なくとも３日間はバッテリ電力不足を表示する手段を含む。例示実施形態では、システムはさらに所定数の同期パルスにより計時することでバッテリに残留する電力量を判定する手段を含む。
【０２５６】
３次元ビデオ画像を提供するシステムを説明してきたが、これは３次元視眼鏡を含み、それは第１の液晶シャッタを有する第１のレンズと第２の液晶シャッタを有する第２のレンズと、第１と第２の液晶シャッタの動作を制御する制御回路と、制御回路に作動可能に結合したバッテリと、制御回路に作動可能に結合した信号センサとを含み、制御回路は、信号センサが検出する外部信号の数の関数として、バッテリに残留する電力量が、３次元視眼鏡が所定時間を上回って動作するに十分かどうか判定し、第１と第２の液晶シャッタを動作させてバッテリに残留する電力量の視覚的表示をもたらすよう適合される。例示実施形態では、視覚的表示には第１と第２の液晶シャッタを既定のレートで開閉することが含まれる。
【０２５７】
３次元ビデオ画像を提供する方法を説明してきたが、これは第１の液晶シャッタを有する第１のレンズと第２の液晶シャッタを有する第２のレンズとを備える３次元視眼鏡を有することと、３次元視眼鏡に送信される幾つかの外部信号を判定することでバッテリに残留する電力量を検知することと、バッテリに残留する電力量が３次元視眼鏡を所定時間を上回って動作させるに十分かどうか判定することと、３次元視眼鏡が所定時間を上回って動作しないであろう場合に、観る人に対しバッテリ低下信号を表示することとを含む。例示実施形態では、バッテリ低下信号は、第１と第２の液晶シャッタの所定のレートでの開閉を含む。
【０２５８】
記憶装置に実装され、第１の液晶シャッタと第２の液晶シャッタとを備え、３次元ビデオ画像を提供する３次元視眼鏡の動作に用いるコンピュータプログラムを説明してきたが、これは３次元視眼鏡に送信される幾つかの外部信号を判定することで３次元視眼鏡のバッテリに残留する電力量を検知することと、バッテリに残留する電力量が３次元視眼鏡を所定時間を上回って動作させるに十分かどうか判定することと、３次元視眼鏡が所定時間を上回って動作しないであろう場合に、観る人に対しバッテリ低下信号を表示することとを含む。例示実施形態では、バッテリ低下信号は、第１と第２の液晶シャッタの所定のレートでの開閉を含む。
【０２５９】
第１の液晶シャッタを有する第１のレンズと第２の液晶シャッタを有する第２のレンズとを備える眼鏡を有することを含む、３次元ビデオ画像を提供する方法を説明してきたが、これは、第１の液晶シャッタを１ミリ秒未満で開くことと、第１の液晶シャッタを第１の時間期間に亙り最大透過光量点に保つことと、第１の液晶シャッタを閉じ、続いて第２の液晶シャッタを１ミリ秒未満で開くことと、第２の液晶シャッタを第２の時間期間に亙り最大透過光量点に保つことを含み、第１の時間期間は観る人の片側の眼に対する画像の提示に対応し、第２の時間期間は観る人の他側の眼に対する画像の提示に対応し、さらに、バッテリに残留する電力量を検知することと、バッテリに残留する電力量が３次元視眼鏡が所定時間を上回って動作させるに十分かどうか判定することと、３次元視眼鏡が所定時間を上回って動作しないであろう場合に、観る人に対しバッテリ低下信号を表示することと、３次元視眼鏡が所定時間を上回って動作しないであろう場合に、観る人に対しバッテリ低下信号を指示することと、第１と第２の液晶シャッタを所定レートで開閉することとを含み、バッテリに残留する電力量を判定することは、３次元視眼鏡に送信される同期パルスの数を計測することを含む。
【０２６０】
３次元ビデオ画像を提供するシステムを説明してきたが、これは眼鏡を含み、それは第１の液晶シャッタを有する第１のレンズと第２の液晶シャッタを有する第２のレンズであって、液晶シャッタが液晶を有し、１ミリ秒未満の開時間を有して、第１と第２の液晶シャッタを交互に開く制御回路で、制御回路がシャッタを閉じるまで液晶の方向を最大の透過光量点に保つ制御回路と、制御回路に作動可能に結合した同期装置で、眼鏡のユーザに提示する画像に対応する同期信号を検出する信号受信器と、一定の期間中に第１の液晶シャッタと第２の液晶シャッタを開き、その時間中に、送信された同期信号の関数として画像が提示されるように適合させた制御回路とを含む同期装置とを含む。例示実施形態では、同期信号は赤外光を含む。例示実施形態では、システムはさらに信号送信器を含み、この信号送信器は反射器に向け同期信号を投射し、この同期信号は反射器で反射され、反射された同期信号を信号受信器が検出する。例示的な実施形態では、反射器は映画劇場スクリーンである。例示的な実施形態では、信号送信機は、画像プロジェクタからタイミング信号を受信する。例示実施形態では、同期信号は無線周波信号を含む。例示実施形態では、同期信号は所定の間隔での一連のパルスとされる。例示実施形態では、同期信号は所定の間隔での一連のパルスであり、第１の所定個数のパルスが第１の液晶シャッタを開き、第２の所定個数のパルスが第２の液晶シャッタを開く。例示実施形態では、同期信号は暗号化される。例示実施形態では、同期信号は一連のパルスと制御回路用の設定データとを含む。例示実施形態では、一連のパルスと設定データの少なくとも一方が暗号化される。例示実施形態では、同期信号は少なくとも１個のクロックパルスが先行する少なくとも１個のデータビットを含む。例示実施形態では、同期信号は同期シリアルデータ信号を含む。例示実施形態では、同期信号は第１と第２の液晶シャッタごとの画像表示の間に検知される。
【０２６１】
３次元ビデオ画像を提供する方法を説明してきたが、これは第１の液晶シャッタを有する第１のレンズと第２の液晶シャッタを有する第２のレンズとを備える３次元視眼鏡を有することと、第１の液晶シャッタを１ミリ秒未満で開くことと、第１の液晶シャッタを第１の時間期間に亙り最大透過光量点に保つことと、第１の液晶シャッタを閉じ、続いて第２の液晶シャッタを１ミリ秒未満で開くことと、第２の液晶シャッタを第２の時間期間に亙り最大透過光量点に保つことを含み、第１の時間期間は観る人の片側の眼に対する画像の提示に対応し、第２の時間期間は観る人の他側の眼に対する画像の提示に対応し、さらに、観る人に提示する画像に対応する同期信号を送信することと、同期信号を検知することと、同期信号を用い、第１の液晶シャッタまたは第２の液晶シャッタを何時開くか判定することとを含む。例示実施形態では、同期信号は赤外光を含む。例示実施形態では、方法はさらに反射器に向けて同期信号を投射することと、反射器から同期信号を反射させることと、反射された同期信号を検出することとを含む。例示実施形態では、本方法はさらに映画劇場スクリーンから同期信号を反射することを含む。例示実施形態では、本方法はさらに画像プロジェクタからタイミング信号の受信することを含む。例示実施形態では、同期信号は無線周波信号を含む。例示実施形態では、同期信号は所定の間隔での一連のパルスとされる。例示実施形態では、同期信号は所定の間隔での一連のパルスであり、第１の所定個数のパルスが第１の液晶シャッタを開き、第２の所定個数のパルスが第２の液晶シャッタを開く。例示実施形態では、方法はさらに同期信号の暗号化を含む。例示実施形態では、同期信号は制御用の一連のパルスと設定データとを含む。例示実施形態では、方法はさらに一連のパルスと設定データの少なくとも一方を暗号化することを含む。例示実施形態では、同期信号は少なくとも１個のクロックパルスが先行する少なくとも１個のデータビットを含む。例示実施形態では、同期信号は同期シリアルデータ信号を含む。例示実施形態では、同期信号は第１と第２の液晶シャッタごとの画像表示の間に検知される。
【０２６２】
３次元ビデオ画像を提供するシステムを説明してきたが、これは第１の液晶シャッタを有する第１のレンズと第２の液晶シャッタを有する第２のレンズとを備える眼鏡と、液晶シャッタは液晶を有して、１ミリ秒未満の開時間を有し、第１と第２の液晶シャッタを交互に開く制御回路を含み、制御回路がシャッタを閉じるまで液晶の方向を最大の透過光量点に保ち、さらに、同期システムを含み、同期システムは、眼鏡の前部に配置した反射装置と、反射装置に向け同期信号を送信する信号送信器で、同期信号が眼鏡のユーザに提示される画像に対応する信号送信器と、反射装置で反射された同期信号を検知する信号受信器と、画像を提示する時間期間中、第１のシャッタまたは第２のシャッタを開けるよう適合させた制御回路とを含む。例示実施形態では、同期信号は赤外光を含む。一部実施形態では、反射器は映画劇場スクリーンを含む。例示的な実施形態では、信号送信機は、画像プロジェクタからタイミング信号を受信する。例示実施形態では、同期信号は所定の間隔での一連のパルスとされる。例示実施形態では、同期信号は所定の間隔での一連のパルスであり、第１の所定個数のパルスが第１の液晶シャッタを開き、第２の所定個数のパルスが第２の液晶シャッタを開く。例示実施形態では、同期信号は暗号化される。例示実施形態では、同期信号は制御用の一連のパルスと設定データとを含む。例示実施形態では、一連のパルスと設定データの少なくとも一方が暗号化される。例示実施形態では、同期信号は少なくとも１個のクロックパルスが先行する少なくとも１個のデータビットを含む。例示実施形態では、同期信号は同期シリアルデータ信号を含む。例示実施形態では、同期信号は第１と第２の液晶シャッタごとの画像表示の間に検知される。
【０２６３】
機械読み取り可能な媒体に実装され、３次元ビデオ画像を提供し、第１の液晶シャッタと第２の液晶シャッタとを備える３次元視眼鏡に使用するコンピュータプログラムを説明してきたが、これは第１の液晶シャッタを１ミリ秒未満で開くことと、第１の液晶シャッタを第１の時間期間に亙り最大透過光量点に保つことと、第１の液晶シャッタを閉じ、続いて第２の液晶シャッタを１ミリ秒未満で開くことと、第２の液晶シャッタを第２の時間期間に亙り最大透過光量点に保つことを含み、第１の時間期間は観る人の片側の眼に対する画像の提示に対応し、第２の時間期間は観る人の他側の眼に対する画像の提示に対応し、さらに、観る人に提示される画像に対応する同期信号を検知することと、検知された同期信号を用い、第１または第２の液晶シャッタを何時開くかを判定することとを含む。例示実施形態では、同期信号は赤外光を含む。例示実施形態では、コンピュータプログラムはさらに、反射器に向けて同期信号を投射することと、反射器から同期信号を反射することと、反射された同期信号を検出することとを含む。一部実施形態では、反射器は映画劇場スクリーンを含む。例示実施形態では、コンピュータプログラムはさらに画像プロジェクタからタイミング信号を受信することを含む。例示実施形態では、同期信号は無線周波信号を含む。例示実施形態では、同期信号は所定の間隔での一連のパルスとされる。例示実施形態では、同期信号は所定の間隔での一連のパルスであり、第１の所定個数のパルスが第１の液晶シャッタを開き、第２の所定個数のパルスが第２の液晶シャッタを開く。例示実施形態では、コンピュータプログラムはさらに、同期信号を暗号化することを含む。例示実施形態では、同期信号は制御用の一連のパルスと設定データとを含む。例示実施形態では、コンピュータプログラムはさらに一連のパルスと設定データの少なくとも一方を暗号化することを含む。例示実施形態では、同期信号は少なくとも１個のクロックパルスが先行する少なくとも１個のデータビットを含む。例示実施形態では、同期信号は同期シリアルデータ信号を含む。例示実施形態では、コンピュータプログラムはさらに第１と第２の液晶シャッタごとの画像の提示の間の同期信号の検知を含む。
【０２６４】
３次元ビデオ画像を提供するシステムを説明してきたが、これは第１の液晶シャッタを有する第１のレンズと第２の液晶シャッタを有する第２のレンズとを備える３次元視眼鏡を有する手段と、第１の液晶シャッタを１ミリ秒未満で開く手段と、第１の液晶シャッタを第１の時間期間に亙り最大透過光量点に保つ手段と、第１の液晶シャッタを閉じ、続いて第２の液晶シャッタを１ミリ秒未満で開く手段と、第２の液晶シャッタを第２の時間期間に亙り最大透過光量点に保つ手段を含み、第１の時間期間は観る人の片側の眼に対する画像の提示に対応し、第２の時間期間は観る人の他側の眼に対する画像の提示に対応し、さらに、観る人に提示される画像に対応する同期信号を検知する手段と、検知された同期信号を用い、第１または第２の液晶シャッタを何時開くかを判定する手段とを含む。例示実施形態では、同期信号は赤外光を含む。例示実施形態では、システムはさらに反射器に向けて同期信号を送信する手段を含む。一部実施形態では、反射器は映画劇場スクリーンを含む。例示実施形態では、送信手段は画像プロジェクタからタイミング信号を受信する手段を含む。例示実施形態では、同期信号は無線周波信号を含む。例示実施形態では、同期信号は所定の間隔での一連のパルスとされる。例示実施形態では、同期信号は所定の間隔での一連のパルスであり、第１の所定個数のパルスが第１の液晶シャッタを開き、第２の所定個数のパルスが第２の液晶シャッタを開く。例示実施形態では、システムはさらに同期信号を暗号化する手段を含む。例示実施形態では、同期信号は制御用の一連のパルスと設定データとを含む。例示実施形態では、システムはさらに一連のパルスと設定データの少なくとも一方を暗号化する手段を含む。例示実施形態では、同期信号は少なくとも１個のクロックパルスが先行する少なくとも１個のデータビットを含む。例示実施形態では、同期信号は同期シリアルデータ信号を含む。例示実施形態では、システムはさらに第１と第２の液晶シャッタごとの画像提示の間に同期信号を検知する手段を含む。
【０２６５】
３次元ビデオ画像を提供する方法を説明してきたが、これは第１の液晶シャッタを有する第１のレンズと第２の液晶シャッタを有する第２のレンズとを備える３次元視眼鏡を有することと、第１の液晶シャッタを１ミリ秒未満で開くことと、第１の液晶シャッタを第１の時間期間に亙り最大透過光量点に保つことと、第１の液晶シャッタを閉じ、続いて第２の液晶シャッタを１ミリ秒未満で開くことと、第２の液晶シャッタを第２の時間期間に亙り最大透過光量点に保つことを含み、第１の時間期間は観る人の片側の眼に対する画像の提示に対応し、第２の時間期間は観る人の他側の眼に対する画像の提示に対応し、さらに、暗号化同期信号を反射器に向けて投射することと、暗号化同期信号を反射器から反射させることと、反射された暗号化同期信号を検出することと、検出された暗号化同期信号を解読することと、検出された同期信号を用い、第１の液晶シャッタまたは第２の液晶シャッタを何時開くかを判定することとを含み、同期信号が赤外光を含み、同期信号が一連のパルスと設定データとを含み、第１の所定の一連のパルスが第１の液晶シャッタを開き、第２の所定の一連のパルスが第２の液晶シャッタを開き、同期信号が少なくとも１個のクロックパルスが先行する少なくとも１つのデータビットを含み、同期信号が同期シリアルデータ信号を含み、同期信号は第１と第２の液晶シャッタに対する画像の提示間に検出される。
【０２６６】
３次元ビデオ画像を提供するシステムを説明してきたが、これは眼鏡を含み、それは第１の液晶シャッタを有する第１のレンズと第２の液晶シャッタを有する第２のレンズを含み、液晶シャッタは液晶を有して、１ミリ秒未満の開時間を有し、第１と第２の液晶シャッタを交互に開く制御回路を含み、制御回路が液晶シャッタを閉じるまで液晶シャッタの少なくとも一方の向きを最大透過光量点に保ち、さらに、信号送信器と、信号受信器と、観る人が視認可能なレートで第１と第２の液晶シャッタを開閉するよう適合させたテスト系制御回路とを備えるテスト系を含む。例示的な実施形態では、信号送信機はプロジェクタからのタイミング信号を受信しない。例示的な実施形態では、信号送信機は赤外線信号を送出する。例示実施形態では、赤外光信号は一連のパルスを含む。例示的な実施形態では、信号送信機は無線周波数信号を送出する。例示実施形態では、無線周波信号は一連のパルスとされる。
【０２６７】
３次元ビデオ画像を提供する方法を説明してきたが、これは第１の液晶シャッタを有する第１のレンズと第２の液晶シャッタを有する第２のレンズとを備える３次元視眼鏡を有することと、第１の液晶シャッタを１ミリ秒未満で開くことと、第１の液晶シャッタを第１の時間期間に亙り最大透過光量点に保つことと、第１の液晶シャッタを閉じ、続いて第２の液晶シャッタを１ミリ秒未満で開くことと、第２の液晶シャッタを第２の時間期間に亙り最大透過光量点に保つことを含み、第１の時間期間は観る人の片側の眼に対する画像の提示に対応し、第２の時間期間は観る人の他側の眼に対する画像の提示に対応し、さらに、３次元視眼鏡に向けテスト信号を送信することと、３次元眼鏡上のセンサを用いてテスト信号を受信することと、制御回路を用い、受信した赤外光テスト信号の結果として第１と第２の液晶シャッタを開閉することと、眼鏡を着用している観る人が観察可能なレートで液晶シャッタを開閉することとを含む。例示的な実施形態では、信号送信機はプロジェクタからのタイミング信号を受信しない。例示的な実施形態では、信号送信機は赤外線信号を送出する。例示実施形態では、赤外光信号は一連のパルスを含む。例示的な実施形態では、信号送信機は無線周波数信号を送出する。例示実施形態では、無線周波信号は一連のパルスとされる。
【０２６８】
機械読み取り可能な媒体に実装され、第１の液晶シャッタと第２の液晶シャッタとを備える３次元視眼鏡に用いて３次元ビデオ画像を提供するコンピュータプログラムを説明してきたが、これは第１の液晶シャッタを１ミリ秒未満で開くことと、第１の液晶シャッタを第１の時間期間に亙り最大透過光量点に保つことと、第１の液晶シャッタを閉じ、続いて第２の液晶シャッタを１ミリ秒未満で開くことと、第２の液晶シャッタを第２の時間期間に亙り最大透過光量点に保つことを含み、第１の時間期間は観る人の片側の眼に対する画像の提示に対応し、第２の時間期間は観る人の他側の眼に対する画像の提示に対応し、さらに、３次元視眼鏡に向けテスト信号を送信することと、３次元眼鏡上のセンサを用いて赤外光テスト信号を受信することと、制御回路を用い、受信した赤外光テスト信号の結果として第１と第２の液晶シャッタを開閉することとを含み、眼鏡を着用している観る人が観察可能なレートで液晶シャッタを開閉する。例示的な実施形態では、信号送信機はプロジェクタからのタイミング信号を受信しない。例示的な実施形態では、信号送信機は赤外線信号を送出する。例示実施形態では、赤外光信号は一連のパルスを含む。例示的な実施形態では、信号送信機は無線周波数信号を送出する。例示実施形態では、無線周波信号は一連のパルスとされる。
【０２６９】
３次元ビデオ画像を提供する方法を説明してきたが、これは第１の液晶シャッタを有する第１のレンズと第２の液晶シャッタを有する第２のレンズとを備える３次元視眼鏡を有するための手段と、第１の液晶シャッタを１ミリ秒未満で開くための手段と、第１の液晶シャッタを第１の時間期間に亙り最大透過光量点に保つための手段と、第１の液晶シャッタを閉じ、続いて第２の液晶シャッタを１ミリ秒未満で開くための手段と、第２の液晶シャッタを第２の時間期間に亙り最大透過光量点に保つための手段を含み、第１の時間期間は観る人の片側の眼に対する画像の提示に対応し、第２の時間期間は観る人の他側の眼に対する画像の提示に対応し、さらに、３次元視眼鏡に向けテスト信号を送信するための手段と、３次元眼鏡上のセンサを用いて赤外光テスト信号を受信するための手段と、制御回路を用い、受信した赤外光テスト信号の結果として第１と第２の液晶シャッタを開閉し、眼鏡を着用している観る人が観察可能なレートで液晶シャッタを開閉するための手段とを含む。例示実施形態では、信号送信手段はプロジェクタからのタイミング信号を受信しない。例示実施形態では、送信手段は赤外光信号を放射する。例示実施形態では、赤外光信号は一連のパルスを含む。例示実施形態では、送信手段は無線周波信号を送出する。例示実施形態では、無線周波信号は一連のパルスとされる。
【０２７０】
３次元ビデオ画像を提供する方法を説明してきたが、これは第１の液晶シャッタを有する第１のレンズと第２の液晶シャッタを有する第２のレンズとを備える３次元視眼鏡を有することと、第１の液晶シャッタを１ミリ秒未満で開くことと、第１の液晶シャッタを第１の時間期間に亙り最大透過光量点に保つことと、第１の液晶シャッタを閉じ、続いて第２の液晶シャッタを１ミリ秒未満で開くことと、第２の液晶シャッタを第２の時間期間に亙り最大透過光量点に保つことを含み、第１の時間期間は観る人の片側の眼に対する画像の提示に対応し、第２の時間期間は観る人の他側の眼に対する画像の提示に対応し、さらに、３次元視眼鏡に向け赤外光テスト信号を送信することと、３次元眼鏡上のセンサを用いて赤外光テスト信号を受信することと、制御回路を用い、受信された赤外光テスト信号の結果として第１と第２の液晶シャッタを開閉することとを含み、眼鏡を着用している観る人が観察可能なレートで液晶シャッタを開閉し、信号送信器はプロジェクタからタイミング信号を受信はせず、赤外光信号が一連のパルスを含み、赤外光信号が少なくとも１個のクロックパルスがそれぞれ先行する１つ以上のデータビットを含み、赤外光信号は同期シリアルデータ信号を含む。
【０２７１】
３次元ビデオ画像を提供するシステムを説明してきたが、これは眼鏡を含み、それは第１の液晶シャッタを有する第１のレンズと第２の液晶シャッタを有する第２のレンズであって、液晶シャッタがそれぞれ液晶を有して、１ミリ秒未満の開時間を有するものと、第１と第２の液晶シャッタを交互に開く制御回路で、液晶の方向は制御回路がシャッタを閉じるまで最大の透過光量点に保持する制御回路と、制御回路に作動可能に結合した信号受信器とを備え、制御回路は、信号受信器を第１の時間間隔で起動し、信号受信器が有効な信号を受信ているかどうか判定し、信号受信器が第２の所定の時間間隔内に有効な信号を受信しない場合、信号受信器を停止し、信号受信器が有効な信号を受信する場合に、有効な信号に対応する期間に亙り第１と第２のシャッタを交互に開閉する。例示実施形態では、第１の時間期間は少なくとも２秒である。例示実施形態では、第２の時間期間は１００ミリ秒を超えない。例示実施形態では、信号受信器が有効な信号を受信するまで、両液晶シャッタとも開くか閉じているかのいずれかに保たれる。
【０２７２】
３次元ビデオ画像を提供する方法を説明してきたが、これは第１の液晶シャッタを有する第１のレンズと第２の液晶シャッタを有する第２のレンズとを備える３次元視眼鏡を有することと、第１の液晶シャッタを１ミリ秒未満で開くことと、第１の液晶シャッタを第１の時間期間に亙り最大透過光量点に保つことと、第１の液晶シャッタを閉じ、続いて第２の液晶シャッタを１ミリ秒未満で開くことと、第２の液晶シャッタを第２の時間期間に亙り最大透過光量点に保つことを含み、第１の時間期間は観る人の片側の眼に対する画像の提示に対応し、第２の時間期間は観る人の他側の眼に対する画像の提示に対応し、さらに、信号受信器を第１の所定の時間間隔で起動することと、信号受信器が信号送信器から有効な信号を受信しているかどうか判定することと、信号受信器が信号送信器から第２の時間間隔内で有効な信号を受信しない場合、信号受信器を停止することと、信号受信器が信号送信器から有効な信号を受信する場合、所定の時間間隔で第１と第２のシャッタを開閉することとを含む。例示実施形態では、第１の時間期間は少なくとも２秒である。例示実施形態では、第２の時間期間は１００ミリ秒を超えない。例示実施形態では、信号受信器が信号送信器から有効な信号を受信するまで、両液晶シャッタとも開くか閉じているかのいずれかに保たれる。
【０２７３】
３次元ビデオ画像を提供するシステムを説明してきたが、これは眼鏡を含み、それは第１の液晶シャッタを有する第１のレンズと第２の液晶シャッタを有する第２のレンズであって、液晶シャッタが液晶を有して、１ミリ秒未満の開時間を有するものと、第１と第２の液晶シャッタを交互に開くことのできる制御回路を含み、制御回路がシャッタを閉じるまで液晶の方向を最大の透過光量点に保ち、制御回路は第１の液晶シャッタと第２の液晶シャッタの両方を開いたままに保つよう適合される。例示実施形態では、制御回路はこの制御回路が同期信号を検出するまで第１の液晶シャッタと第２の液晶シャッタとを開いたままに保つ。例示実施形態では、第１と第２の液晶シャッタに印加する電圧は正と負の間で交番させる。
【０２７４】
３次元ビデオ画像を提供する方法を説明してきたが、これは第１の液晶シャッタを有する第１のレンズと第２の液晶シャッタを有する第２のレンズとを備える３次元視眼鏡を有することを含み、第１の液晶シャッタは１ミリ秒未満で開くことができ、第２の液晶シャッタは１ミリ秒未満で開くことができ、さらに、ユーザに対し液晶シャッタが透明なレンズのように見えるレートで第１と第２の液晶シャッタを開閉することを含む。例示実施形態では、方法はさらに、有効な同期信号を検出するまでユーザに対し液晶シャッタが透明なレンズのように見えるレートで第１と第２の液晶シャッタを開閉することを含む。例示実施形態では、方法はさらに、有効な同期信号を検出するまで、正と負の間で交番する電圧を第１と第２の液晶シャッタに印加することを含む。
【０２７５】
機械読み取り可能な媒体に実装され、第１の液晶シャッタと第２の液晶シャッタとを備える３次元視眼鏡に用いるために、３次元ビデオ画像を提供するコンピュータプログラムを説明してきたが、これは第１の液晶シャッタを１ミリ秒未満で開くことと、第１の液晶シャッタを第１の時間期間に亙り最大透過光量点に保つことと、第１の液晶シャッタを閉じ、続いて第２の液晶シャッタを１ミリ秒未満で開くことと、第２の液晶シャッタを第２の時間期間に亙り最大透過光量点に保つことを含み、第１の時間期間は観る人の片側の眼に対する画像の提示に対応し、第２の時間期間は観る人の他側の眼に対する画像の提示に対応し、さらに、信号受信器を第１の所定時間間隔にて起動することと、信号受信器が信号送信器から有効な信号を受信しているかどうか判定することと、信号受信器が信号送信器から第２の時間間隔中に有効な信号を受信しない場合、信号受信器を停止することと、信号受信器が信号送信器から有効な信号を受信する場合、この有効な信号に対応する時間間隔で第１と第２のシャッタを開閉することとを含む。例示実施形態では、第１の時間期間は少なくとも２秒である。例示実施形態では、第２の時間期間は１００ミリ秒を超えない。例示実施形態では、信号受信器が信号送信器から有効な信号を受信するまで、第１と第２の液晶シャッタは開いたままである。
【０２７６】
機械読み取り可能な媒体に実装され、第１の液晶シャッタと第２の液晶シャッタとを備える３次元視眼鏡に使用するために、３次元ビデオ画像を提供するコンピュータプログラムで、第１の液晶シャッタを１ミリ秒未満で開くことができ、第２の液晶シャッタを１ミリ秒未満で開くことができるコンピュータプログラムを説明してきたが、これは液晶シャッタが透明なレンズのように見えるレートで第１と第２の液晶シャッタを開閉することを含む。例示実施形態では、コンピュータプログラムはさらに、有効な同期信号を検出するまで、第１と第２の液晶シャッタを開いたままに保つことを含む。例示実施形態では、コンピュータプログラムはさらに、有効な同期信号を検出するまで、正と負の間で交番する電圧を第１と第２の液晶シャッタに印加することを含む。
【０２７７】
３次元ビデオ画像を提供するシステムを説明してきたが、これは第１の液晶シャッタを有する第１のレンズと第２の液晶シャッタを有する第２のレンズとを備える３次元視眼鏡を有する手段と、第１の液晶シャッタを１ミリ秒未満で開く手段と、第１の液晶シャッタを第１の時間期間に亙り最大透過光量点に保つ手段と、第１の液晶シャッタを閉じ、続いて第２の液晶シャッタを１ミリ秒未満で開く手段と、第２の液晶シャッタを第２の時間期間に亙り最大透過光量点に保つ手段を含み、第１の時間期間は観る人の片側の眼に対する画像の提示に対応し、第２の時間期間は観る人の他側の眼に対する画像の提示に対応し、さらに、信号受信器を第１の所定時間間隔にて起動する手段と、信号受信器が信号送信器から有効な信号を受信しているかどうか判定する手段と、信号受信器が信号送信器から第２の時間間隔内に有効な信号を受信しない場合、信号受信器を停止する手段と、信号受信器が信号送信器から有効な信号を受信する場合、この有効な信号に対応する時間間隔で第１と第２のシャッタを開閉する手段とを含む。例示実施形態では、第１の時間期間は少なくとも２秒である。例示実施形態では、第２の時間期間は１００ミリ秒を超えない。例示実施形態では、信号受信器が信号送信器から有効な信号を受信するまで、第１と第２の液晶シャッタは開いたままである。
【０２７８】
３次元ビデオ画像を提供するシステムを説明してきたが、これは眼鏡を含み、それは第１の液晶シャッタを有する第１のレンズと第２の液晶シャッタを有する第２のレンズであって、液晶シャッタが液晶を有して、１ミリ秒未満の開時間を有するものと、第１と第２の液晶シャッタを交互に開く制御回路とを含み、制御回路がシャッタを閉じるまで液晶の方向を最大の透過光量点に保ち、眼鏡が電源オンとなった後に制御回路が所定の時間期間に亙り第１と第２の液晶シャッタを開閉する。例示実施形態では、制御回路は、眼鏡が電源オンとなった後、所定時間期間に亙り第１と第２の液晶シャッタを交互に開閉する。例示実施形態では、制御回路は、所定時間期間後に、続いて制御回路が受信した信号の関数として第１と第２の液晶シャッタを開閉する。例示実施形態では、同期信号は所定の間隔での一連のパルスである。例示実施形態では、同期信号は所定の間隔での一連のパルスを含み、第１の所定個数のパルスが第１の液晶シャッタを開き、第２の所定個数のパルスが第２の液晶シャッタを開く。例示的な実施形態では、パルスの系列の一部分は暗号化されている。例示実施形態では、一連のパルスは、暗号化されていない所定数のパルスと、それに続く暗号化データを含む。例示実施形態では、同期信号は１つ以上のクロックパルスがそれぞれ先行する１つ以上のデータビットを含む。例示実施形態では、同期信号は同期シリアルデータ信号を含む。
【０２７９】
３次元ビデオ画像を提供する方法を説明してきたが、これは第１の液晶シャッタを有する第１のレンズと第２の液晶シャッタを有する第２のレンズとを備える３次元視眼鏡を有することと、第１の液晶シャッタを１ミリ秒未満で開くことと、第１の液晶シャッタを第１の時間期間に亙り最大透過光量点に保つことと、第１の液晶シャッタを閉じ、続いて第２の液晶シャッタを１ミリ秒未満で開くことと、第２の液晶シャッタを第２の時間期間に亙り最大透過光量点に保つことを含み、第１の時間期間は観る人の片側の眼に対する画像の提示に対応し、第２の時間期間は観る人の他側の眼に対する画像の提示に対応し、さらに、眼鏡を電源オンにすることと、眼鏡を電源オンした後に、所定の時間期間、第１と第２の液晶シャッタを開閉することを含む。例示実施形態では、方法はさらに同期信号を供給することで、同期信号の一部が暗号化されることと、同期信号を検知することとを含み、第１と第２の液晶シャッタは、暗号化信号を受信して所定の時間期間が経過して初めて同期信号に対応するパターンで開閉する。例示実施形態では、同期信号は所定の間隔での一連のパルスであり、第１の所定個数のパルスが第１の液晶シャッタを開き、第２の所定個数のパルスが第２の液晶シャッタを開く。例示的な実施形態では、パルスの系列の一部分は暗号化されている。例示的な実施形態では、パルスの系列は、暗号化されていない所定の個数のパルスと、後に続く、暗号化されている所定の個数のパルスとを含む。例示的な実施形態では、第１および第２の液晶シャッタは、２つの連続する暗号化された信号を受信した後に限り、同期信号に対応したパターンで開閉することができる。例示実施形態では、同期信号は１つ以上のクロックパルスがそれぞれ先行する１つ以上のデータビットを含む。例示実施形態では、同期信号は同期シリアルデータ信号を含む。
【０２８０】
機械読み取り可能な媒体に実装され、第１の液晶シャッタと第２の液晶シャッタとを備える３次元視眼鏡を用い、３次元ビデオ画像を提供するコンピュータプログラムを説明してきたが、これは第１の液晶シャッタを１ミリ秒未満で開くことと、第２の液晶シャッタを第２の時間期間に亙り最大透過光量点に保つことと、第１の液晶シャッタを閉じ、続いて第２の液晶シャッタを１ミリ秒未満で開くことと、第２の液晶シャッタを第２の時間期間に亙り最大透過光量点に保つことを含み、第１の時間期間は観る人の片側の眼に対する画像の提示に対応し、第２の時間期間は観る人の他側の眼に対する画像の提示に対応し、眼鏡を電源オンすることと、眼鏡を電源オンした後に第１と第２の液晶シャッタを所定の時間期間に亙り開閉することとを含む。例示実施形態では、コンピュータプログラムはさらに、同期信号の供給で、同期信号の一部を暗号化した供給と、同期信号の検知とを含み、第１と第２の液晶シャッタは、暗号化信号を受信して所定の時間期間が経過して初めて同期信号に対応するパターンで開閉する。例示実施形態では、同期信号は所定の間隔での一連のパルスであり、第１の所定個数のパルスが第１の液晶シャッタを開き、第２の所定個数のパルスが第２の液晶シャッタを開く。例示的な実施形態では、パルスの系列の一部分は暗号化されている。例示的な実施形態では、パルスの系列は、暗号化されていない所定の個数のパルスと、後に続く、暗号化されている所定の個数のパルスとを含む。例示的な実施形態では、第１および第２の液晶シャッタは、２つの連続する暗号化された信号を受信した後に限り、同期信号に対応したパターンで開閉することができる。例示実施形態では、同期信号は１つ以上のクロックパルスがそれぞれ先行する１つ以上のデータビットを含む。例示実施形態では、同期信号は同期シリアルデータ信号を含む。
【０２８１】
３次元ビデオ画像を提供するシステムを説明してきたが、これは第１の液晶シャッタを有する第１のレンズと第２の液晶シャッタを有する第２のレンズとを備える３次元視眼鏡を有する手段を含み、第１の液晶シャッタは１ミリ秒未満で開くことができ、第２の液晶シャッタは１ミリ秒未満で開くことができ、さらに、眼鏡の電源投入後に所定の時間期間に亙り第１と第２の液晶シャッタを開閉する手段とを含む。例示実施形態では、システムはさらに、所定時間期間後に同期信号を受信したときに、第１と第２の液晶シャッタを開閉する手段とを含む。例示実施形態では、同期信号は１つ以上のクロックパルスがそれぞれ先行する１つ以上のデータビットを含む。例示実施形態では、同期信号は同期シリアルデータ信号を含む。
【０２８２】
３次元ビデオ画像を提供するシステムを説明してきたが、これは第１の液晶シャッタを有する第１のレンズと第２の液晶シャッタを有する第２のレンズとを備える３次元視眼鏡を有する手段と、第１の液晶シャッタを１ミリ秒未満で開く手段と、第１の液晶シャッタを第１の時間期間に亙り最大透過光量点に保つ手段と、第１の液晶シャッタを閉じ、続いて第２の液晶シャッタを１ミリ秒未満で開く手段と、第２の液晶シャッタを第２の時間期間に亙り最大透過光量点に保つ手段を含み、第１の時間期間は観る人の片側の眼に対する画像の提示に対応し、第２の時間期間は観る人の他側の眼に対する画像の提示に対応し、さらに、眼鏡の電源投入後に所定の時間期間に亙り第１と第２の液晶シャッタを開閉する手段を含む。例示実施形態では、システムはさらに、同期信号を送信する手段で、同期信号の一部が暗号化される手段と、同期信号を検知する手段と、所定時間期間後に暗号化信号を受信して初めて同期信号に対応するパターンで第１と第２の液晶シャッタを開閉する手段とを含む。例示実施形態では、同期信号は所定の間隔での一連のパルスであり、第１の所定個数のパルスが第１の液晶シャッタを開き、第２の所定個数のパルスが第２の液晶シャッタを開く。例示的な実施形態では、パルスの系列の一部分は暗号化されている。例示的な実施形態では、パルスの系列は、暗号化されていない所定の個数のパルスと、後に続く、暗号化されている所定の個数のパルスとを含む。例示的な実施形態では、第１および第２の液晶シャッタは、２つの連続した暗号化された信号を受信した後に限り、同期信号に対応したパターンで開閉することができる。例示実施形態では、同期信号は１つ以上のクロックパルスがそれぞれ先行する１つ以上のデータビットを含む。例示実施形態では、同期信号は同期シリアルデータ信号を含む。
【０２８３】
左右の視認シャッタを有する３Ｄ眼鏡用のフレームを説明してきたが、これは左右の視認シャッタを受容する左右の開口を画成するフレーム前部と、フレーム前部に結合されて延出し、３Ｄ眼鏡のユーザの頭部に着用する左右の蔓とを含み、左右の各蔓が中央が凸状に湾曲した形状を含む。例示実施形態では、左右の蔓はそれぞれ１つ以上の畝部を含む。例示実施形態では、フレームはさらに、フレーム内に装着され、左視認シャッタの動作を制御する左シャッタコントローラと、フレーム内に装着され、右視認シャッタの動作を制御する右シャッタコントローラと、フレーム内に装着され、左右のシャッタコントローラの動作を制御する中央コントローラと、中央コントローラに作動可能に結合され、外部信号源からの信号を検知する信号センサと、フレーム内に装着され、左右のシャッタコントローラと中央コントローラと信号センサとに作動可能に結合され、左右のシャッタコントローラと中央コントローラと信号センサとに電力を供給するバッテリとを含む。例示実施形態では、視認シャッタはそれぞれ１ミリ秒未満の開時間を有する液晶を含む。例示実施形態では、フレームはさらに、バッテリと中央コントローラとに作動可能に結合され、バッテリの動作状態を監視し、バッテリの動作状態を表わす信号を中央コントローラへ供給するバッテリセンサを含む。例示実施形態では、フレームはさらに、バッテリと中央コントローラとに作動可能に結合され、昇圧した電源を左右のシャッタコントローラに供給するチャージポンプを含む。例示実施形態では、フレームはさらに、中央コントローラに作動可能に結合され、左右のシャッタコントローラを制御する共通のシャッタコントローラを含む。例示実施形態では、信号センサは狭帯域通過フィルタとデコーダとを含む。
【０２８４】
左右の視認シャッタを有する３Ｄ眼鏡を説明してきたが、これは、左右の視認シャッタを受容する左右のレンズ開口を画成するフレームと、左右の視認シャッタの動作を制御する中央コントローラと、フレームに結合されてコントローラを収容し、コントローラの少なくとも一部へのアクセス用の開口を画成する筺体と、筺体内の開口に受容されて封止係合するカバーとを含む。例示実施形態では、カバーは筺体内の開口に封止係合するＯリングシールを備える。例示実施形態では、カバーは筺体の開口内に形成された相補的（ｃｏｍｐｌｉｍｅｎｔａｒｙ）な凹部に係合する１つ以上のキーイング部材を備える。例示実施形態では、３Ｄ眼鏡はさらに、中央コントローラに作動可能に結合されて筺体内に装着され、左視認シャッタの動作を制御する左シャッタコントローラと、中央コントローラに作動可能に結合されて筺体内に装着され、右視認シャッタの動作を制御する右シャッタコントローラと、中央コントローラに作動可能に結合され、外部信号源からの信号を検知する信号センサと、筺体内に装着されて左右のコントローラと中央コントローラと信号センサとに作動可能に結合され、左右のシャッタコントローラと中央コントローラと信号センサとに電力を供給するバッテリとを含む。例示実施形態では、視認シャッタはそれぞれ１ミリ秒未満の開時間を有する液晶を含む。例示実施形態では、３Ｄ眼鏡はさらに、バッテリと中央コントローラとに作動可能に結合され、バッテリの動作状態を監視し、バッテリの動作状態を表わす信号を中央コントローラへ供給するバッテリセンサを含む。例示実施形態では、３Ｄ眼鏡はさらに、バッテリに作動可能に結合されたチャージポンプと、昇圧した電源を左右のシャッタコントローラに供給する中央コントローラとを含む。例示実施形態では、３Ｄ眼鏡はさらに、中央コントローラに作動可能に結合され、左右のシャッタコントローラの動作を制御する共通のシャッタコントローラを含む。例示実施形態では、信号センサは狭帯域通過フィルタとデコーダとを含む。
【０２８５】
左右の視認要素を有する３Ｄ眼鏡用のコントローラを収容する方法であって、ユーザが装着できるよう左右の視認要素を支持するフレームを配設することと、３Ｄ眼鏡用コントローラを収容する筺体をフレーム内に配設することと、筺体に封止係合する封止要素を有する取り外し可能なカバーを用いてフレーム内に筺体を封止することとを含む。例示実施形態では、カバーは１つ以上のディンプルを含む。例示実施形態では、筺体の封止には筺体カバー内のディンプルに係合するキーの操作が含まれる。例示実施形態では、筺体はさらに３Ｄ眼鏡用コントローラに電力を供給する着脱可能なバッテリを収容する。
【０２８６】
３Ｄ眼鏡のユーザに３次元ビデオ画像を提供するシステムを説明してきたが、これは電源と、電源に作動可能に結合した第１と第２の液晶シャッタと、電源と液晶シャッタとに作動可能に結合した制御回路で、第１の時間期間に亙り第１の液晶シャッタを開き、第２の時間期間に亙り第１の液晶シャッタを閉じ、第２の時間期間に亙り第２の液晶シャッタを開き、第２の液晶シャッタを第１の時間期間に亙り閉じ、第１と第２の時間期間の少なくとも一方の一部期間中に第１と第２の液晶シャッタとの間で電荷を転送する制御回路とを含み、第１の時間期間はユーザの片側の眼に対する画像の提示に対応し、第２の時間期間はユーザの他側の眼に対する画像の提示に対応する。例示実施形態では、制御回路は、第１と第２の時間期間を判定するために同期信号を使用するよう適合される。例示実施形態では、システムはさらに同期信号を供給するエミッタを含み、この同期信号が制御回路をして液晶シャッタの一方を開かせる。例示実施形態では、同期信号は暗号化信号を含む。例示的な実施形態では、３次元眼鏡の制御回路は、暗号化された信号を確認した後に限り作動する。例示的な実施形態では、制御回路は、同期信号を検出し、同期信号を検出した後に液晶シャッタを作動させ始めるように適合している。例示的な実施形態では、暗号化された信号は、暗号化された信号を受信するように適合した制御回路を有する液晶眼鏡だけを作動させる。例示実施形態では、同期信号は１つ以上のクロックパルスがそれぞれ先行する１つ以上のデータビットを含む。例示実施形態では、同期信号は同期シリアルデータ信号を含む。
【０２８７】
３次元ビデオ画像を提供するシステムを説明してきたが、これは眼鏡を含み、それは第１の液晶シャッタを有する第１のレンズと第２の液晶シャッタを有する第２のレンズであって、液晶シャッタはそれぞれ液晶を有するものと、第１と第２の液晶シャッタを交互に開き、液晶シャッタ間で電荷を転送する制御回路とを含む。例示実施形態では、システムはさらに同期信号を供給するエミッタを含み、この同期信号が制御回路をして液晶シャッタの一方を開かせる。例示実施形態では、同期信号は暗号化信号を含む。例示的な実施形態では、３次元眼鏡の制御回路は、暗号化された信号を確認した後に限り作動する。例示的な実施形態では、制御回路は、同期信号を検出し、同期信号を検出した後に液晶シャッタを作動させ始めるように適合している。例示的な実施形態では、暗号化された信号は、暗号化された信号を受信するように適合した制御回路を有する液晶眼鏡だけを作動させる。例示実施形態では、同期信号は１つ以上のクロックパルスがそれぞれ先行する１つ以上のデータビットを含む。例示実施形態では、同期信号は同期シリアルデータ信号を含む。
【０２８８】
左右の液晶シャッタを用いて３次元ビデオ画像を提供する方法を説明してきたが、これは第１の液晶シャッタを閉じ、第２の液晶シャッタを開くことと、次に第２の液晶シャッタを閉じ、第１の液晶シャッタを開くことと、第１と第２の液晶との間で電荷を転送することとを含む。例示実施形態では、方法はさらに同期信号を供給することと、同期信号に応答して液晶シャッタの一方を開くこととを含む。例示実施形態では、同期信号は暗号化信号を含む。例示実施形態では、方法はさらに暗号化信号の確認後に初めて動作させることを含む。例示実施形態では、方法はさらに同期信号を検出することと、同期信号の検出後に初めて液晶シャッタの動作を開始することとを含む。例示実施形態では、同期信号は１つ以上のクロックパルスがそれぞれ先行する１つ以上のデータビットを含む。例示実施形態では、同期信号は同期シリアルデータ信号を含む。
【０２８９】
第１と第２のシャッタを有する３Ｄ眼鏡用の筺体内の機械読み取り可能な媒体に実装され、３Ｄ眼鏡のユーザに３次元ビデオ画像を提供するコンピュータプログラムを説明してきたが、これは第１の液晶シャッタを閉じ、第２の液晶シャッタを開くことと、次に第２の液晶シャッタを閉じ、第１の液晶シャッタを開くことと、第１と第２の液晶との間で電荷を転送することとを含む。例示実施形態では、コンピュータプログラムはさらに同期信号の供給と、この同期信号に応答して液晶シャッタの一方を開くことを含む。例示実施形態では、同期信号は暗号化信号を含む。例示実施形態では、コンピュータプログラムはさらに暗号化信号の確認を含む。例示実施形態では、コンピュータプログラムはさらに、同期信号の検出と、同期信号の検出後に液晶シャッタを動作させることを含む。例示実施形態では、同期信号は１つ以上のクロックパルスがそれぞれ先行する１つ以上のデータビットを含む。例示実施形態では、同期信号は同期シリアルデータ信号を含む。
【０２９０】
第１と第２の液晶シャッタを用いて３次元ビデオ画像を提供するシステムを説明してきたが、これは第１の液晶シャッタを閉じ、第２の液晶シャッタを開く手段と、続いて第２の液晶シャッタを閉じ、第１の液晶シャッタを開く手段と、第１の液晶し第２の液晶との間で電荷を転送する手段とを含む。例示実施形態では、システムはさらに同期信号の供給手段と、液晶シャッタの１つを開く同期信号のための手段とを含む。例示的な実施形態では、同期信号は暗号化された信号を含む。例示実施形態では、システムはさらに暗号化信号の確認後に初めて動作する手段を含む。例示実施形態では、同期信号は１つ以上のクロックパルスがそれぞれ先行する１つ以上のデータビットを含む。例示実施形態では、同期信号は同期シリアルデータ信号を含む。例示実施形態では、システムはさらに同期信号を検出する手段と、同期信号の検出後に液晶シャッタを動作させる手段とを含む。
【０２９１】
左右の液晶シャッタを含む３Ｄ眼鏡に電力を供給するシステムを説明してきたが、これは左右の液晶シャッタに作動可能に結合したコントローラと、コントローラに作動可能に結合したバッテリと、コントローラに作動可能に結合したチャージポンプとを含み、コントローラは、左右の液晶シャッタのいずれかの動作状態を切り換えるときに左右の液晶シャッタ間で電荷を転送するよう適合されており、チャージポンプは、左右の液晶シャッタのいずれかの動作状態を切り換えるときに電位を蓄積するよう適合されている。例示実施形態では、チャージポンプは電位レベルが所定レベルに一致したときに電位の蓄積を停止するよう適合されている。
【０２９２】
左右の液晶シャッタを含む３Ｄ眼鏡に電力を供給する方法を説明してきたが、これは左右の液晶シャッタのいずれかの動作状態を切り換えるときに左右の液晶シャッタ間で電荷を転送することと、左右の液晶シャッタのいずれかの動作状態を切り換えるときに電位を蓄積することとを含む。例示実施形態では、方法はさらに電位レベルが所定レベルに一致したときに電位の蓄積を停止することを含む。
【０２９３】
機械読み取り可能な媒体に実装され、左右の液晶シャッタを含む３Ｄ眼鏡に電力を供給するコンピュータプログラムを説明してきたが、これは左右の液晶シャッタのいずれかの動作状態を切り換えるときの左右の液晶シャッタ間での電荷の転送と、左右の液晶シャッタのいずれかの動作状態を切り換えるときの電位の蓄積とを含む。例示実施形態では、コンピュータプログラムはさらに電位レベルが所定レベルに一致したときに電位の蓄積を停止することを含む。
【０２９４】
左右の液晶シャッタを含む３Ｄ眼鏡に電力を供給するシステムを説明してきたが、これは左右の液晶シャッタのいずれかの動作状態を切り換えるときに左右の液晶シャッタ間で電荷を転送する手段と、左右の液晶シャッタのいずれかの動作状態を切り換えるときに電位を蓄積する手段とを含む。例示実施形態では、システムはさらに電位レベルが所定レベルに一致したときに電位の蓄積を停止する手段を含む。
【０２９５】
３Ｄ眼鏡に使用し、送信器からの信号を受信し、復号信号をコントローラに送信して３Ｄ眼鏡を動作させる信号センサを説明してきたが、これは信号送信器から受信した信号を濾波する帯域通過フィルタと、帯域通過フィルタに作動可能に結合され、濾波信号を復号し、復号信号を３Ｄ眼鏡のコントローラへ供給するデコーダとを含む。例示実施形態では、信号送信器から受信される信号には１つ以上のデータビットと、このデータビットの対応する１つに先行する１つ以上のクロックパルスとが含まれる。例示実施形態では、信号送信器から実施形態される信号は同期シリアルデータ送信が含まれる。例示実施形態では、信号送信器から受信される信号には３Ｄ眼鏡の動作を制御する同期信号が含まれる。
【０２９６】
３Ｄを説明してきたが、これは、信号送信器から受信した信号を濾波する帯域通過フィルタと、帯域通過フィルタに作動可能に結合され、濾波された信号を復号するデコーダと、デコーダに作動可能に結合され、復号された信号を受信するコントローラと、コントローラに作動可能に結合され、復号信号の関数として制御される左右の光シャッタとを含む。例示実施形態では、信号送信器から受信される信号には１つ以上のデータビットと、このデータビットの対応する１つに先行する１つ以上のクロックパルスとが含まれる。例示実施形態では、信号送信器から実施形態される信号は同期シリアルデータ送信が含まれる。
【０２９７】
３Ｄ眼鏡にデータ信号を送信する方法を説明してきたが、これは同期シリアルデータ信号を３Ｄ眼鏡に送信することを含む。例示実施形態では、データ信号は１つ以上のクロックパルスがそれぞれ先行する１つ以上のデータビットが含まれる。例示実施形態では、方法はさらにデータ信号を濾波して帯域ノイズを除去することを含む。例示実施形態では、同期シリアルデータ信号は３Ｄ眼鏡の動作を制御する同期信号を含む。
【０２９８】
左右の光シャッタを有する３Ｄ眼鏡の作動方法を説明してきたが、これは３Ｄ眼鏡に同期シリアルデータ信号を送信することと、データ信号中の符号化データの関数として左右の光シャッタの動作を制御することとを含む。例示実施形態では、データ信号は１つ以上のクロックパルスがそれぞれ先行する１つ以上のデータビットを含む。例示実施形態では、方法はさらにデータ信号を濾波して帯域ノイズを除去することを含む。
【０２９９】
データ信号を３Ｄ眼鏡へ送信するコンピュータプログラムを説明してきたが、これは３Ｄ眼鏡への同期シリアルデータ信号の送信を含む。例示実施形態では、データ信号は１つ以上のクロックパルスがそれぞれ先行する１つ以上のデータビットを含む。例示実施形態では、コンピュータプログラムはさらにデータ信号を濾波して帯域ノイズを除去することを含む。例示実施形態では、同期シリアルデータ信号は３Ｄ眼鏡の動作を制御する同期信号を含む。
【０３００】
左右の光シャッタを有する３Ｄ眼鏡を動作させるコンピュータプログラムを説明してきたが、これは３Ｄ眼鏡への同期シリアルデータ信号の送信と、データ信号中の符号化データの関数としての左右の光シャッタの動作の制御とを含む。例示実施形態では、データ信号は１つ以上のクロックパルスがそれぞれ先行する１つ以上のデータビットを含む。例示実施形態では、コンピュータプログラムはさらにデータ信号を濾波して帯域ノイズを除去することを含む。
【０３０１】
３次元視眼鏡内の１つ以上の光シャッタを動作させる同期信号で、機械読み取りが可能な媒体に格納される同期信号を説明してきたが、これは３次元視眼鏡内の１つ以上の光シャッタの動作を制御する１つ以上のデータビットと、各データビットに先行する１つ以上のクロックパルスとを含む。例示実施形態では、信号は送信器に作動可能に結合した機械読み取りが可能な媒体内に格納される。例示実施形態では、送信器は赤外光送信器を含む。例示実施形態では、送信器は可視光送信器を含む。例示実施形態では、送信器は無線周波送信器を含む。例示実施形態では、信号は受信器に作動可能に結合した機械読み取りが可能な媒体内に格納される。例示実施形態では、送信器は赤外光送信器を含む。例示実施形態では、送信器は可視光送信器を含む。例示実施形態では、送信器は無線周波送信器を含む。
【０３０２】
３次元ビデオ画像を提供するシステムを説明してきたが、これは眼鏡を含み、それは第１の液晶シャッタを有する第１のレンズと第２の液晶シャッタを有する第２のレンズと、第１と第２の液晶シャッタを交互に開く制御回路と、制御回路に作動可能に結合した同期装置で、眼鏡のユーザに提示する画像に対応する同期信号を検知する信号受信器と、送信された同期信号の関数として画像を提示する一定の時間期間中、第１の液晶シャッタと第２の液晶シャッタとを開くよう適合させた制御回路とを備える同期装置とを含み、第１と第２の液晶シャッタの少なくとも一方のコントラスト比は約２００から約４００の範囲である。例示実施形態では、各シャッタは前部偏光子と、前部偏光子に結合した４分の1波長膜と、４分の1波長膜に結合した液晶セルと、液晶に結合した後部偏光子とを備える。例示実施形態では、前部偏光子は約５８度の透過軸を有する。例示実施形態では、４分の1波長膜は約４５度の透過軸を有する。例示実施形態では、後部偏光子は約４５度の透過軸を有する。
【０３０３】
３次元ビデオ画像を提供す方法を説明してきたが、これは第１の液晶シャッタを有する第１のレンズと第２の液晶シャッタを有する第２のレンズとを備える３次元視眼鏡を有することと、第１の液晶シャッタを開くことと、第１の液晶シャッタを第１の時間期間に亙り最大透過光量点に保つことと、第１の液晶シャッタを閉じ、続いて第２の液晶シャッタを開くことと、第２の液晶シャッタを第２の時間期間に亙り最大透過光量点に保つことを含み、第１の時間期間は観る人の片側の眼に対する画像の提示に対応し、第２の時間期間は観る人の他側の眼に対する画像の提示に対応し、さらに、観る人に提示する画像に対応する同期信号を送信することと、同期信号を検知することと、同期信号を用い、第１の液晶シャッタまたは第２の液晶シャッタを何時開くか判定することとを含み、第１と第２の液晶シャッタの少なくとも一方のコントラスト比は２００から約４００の範囲である。例示実施形態では、各シャッタは前部偏光子と、前部偏光子に結合した４分の1波長膜と、４分の1波長膜に結合した液晶セルと、液晶に結合した後部偏光子とを備える。例示実施形態では、前部偏光子は約５８度の透過軸を有する。例示実施形態では、４分の1波長膜は約４５度の透過軸を有する。例示実施形態では、後部偏光子は約４５度の透過軸を有する。
【０３０４】
３次元ビデオ画像を提供するシステムを説明してきたが、これは眼鏡を含み、それは第１の液晶シャッタを有する第１のレンズと第２の液晶シャッタを有する第２のレンズと、第１と第２の液晶シャッタを交互に開く制御回路と、同期系で、眼鏡の前部に配置した反射装置と、反射装置に向けて同期信号を送信する信号送信器を含み、同期信号は、眼鏡のユーザに提示される画像に対応し、さらに反射装置で反射された同期信号を検出する信号受信器と、画像を提示する一定の時間期間中、第１の液晶シャッタと第２の液晶シャッタとを開くよう適合させた制御回路とを備える同期系を含み、第１と第２の液晶シャッタの少なくとも一方のコントラスト比は、約２００から約４００の範囲である。例示実施形態では、各シャッタは前部偏光子と、前部偏光子に結合した４分の1波長膜と、４分の1波長膜に結合した液晶セルと、液晶に結合した後部偏光子とを備える。例示実施形態では、前部偏光子は約５８度の透過軸を有する。例示実施形態では、４分の1波長膜は約４５度の透過軸を有する。例示実施形態では、後部偏光子は約４５度の透過軸を有する。
【０３０５】
３次元ビデオ画像を提供するシステムを説明してきたが、これは眼鏡を含み、それは第１の液晶シャッタを有する第１のレンズと第２の液晶シャッタを有する第２のレンズと、第１と第２の液晶シャッタを交互に開く制御回路で、制御回路が液晶シャッタを閉じるまで、液晶シャッタの少なくとも一方の向きを最大透過光量点に保つ制御回路と、信号送信器と信号受信器と観る人が視認可能なレートで第１と第２の液晶シャッタを開閉するよう適合させたテスト系制御回路とを備えるテスト系とを含み、第１と第２の液晶シャッタの少なくとも一方のコントラスト比は約２００から約４００の範囲である。例示実施形態では、各シャッタは前部偏光子と、前部偏光子に結合した４分の1波長膜と、４分の1波長膜に結合した液晶セルと、液晶に結合した後部偏光子とを備える。例示実施形態では、前部偏光子は約５８度の透過軸を有する。例示実施形態では、４分の1波長膜は約４５度の透過軸を有する。例示実施形態では、後部偏光子は約４５度の透過軸を有する。
【０３０６】
３次元ビデオ画像を提供する方法を説明してきたが、これは第１の液晶シャッタを有する第１のレンズと第２の液晶シャッタを有する第２のレンズとを備える３次元視眼鏡を有することと、第１の液晶シャッタを開くことと、第１の液晶シャッタを第１の時間期間に亙り最大透過光量点に保つことと、第１の液晶シャッタを閉じ、続いて第２の液晶シャッタを開くことと、第２の液晶シャッタを第２の時間期間に亙り最大透過光量点に保つことを含み、第１の時間期間は観る人の片側の眼に対する画像の提示に対応し、第２の時間期間は観る人の他側の眼に対する画像の提示に対応し、さらに、３次元視眼鏡上に向けてテスト信号を送信することと、３次元眼鏡上のセンサを用いてテスト信号を受信することと、制御回路を用い、受信したテスト信号の結果として第１と第２の液晶シャッタを開閉することとを含み、眼鏡を着用している観る人が観察可能なレートで液晶シャッタを開閉し、第１と第２の液晶シャッタの少なくとも一方のコントラスト比は約２００から約４００の範囲である。例示実施形態では、各シャッタは前部偏光子と、前部偏光子に結合した４分の1波長膜と、４分の1波長膜に結合した液晶セルと、液晶に結合した後部偏光子とを備える。例示実施形態では、前部偏光子は約５８度の透過軸を有する。例示実施形態では、４分の1波長膜は約４５度の透過軸を有する。例示実施形態では、後部偏光子は約４５度の透過軸を有する。
【０３０７】
３次元ビデオ画像を提供するシステムを説明してきたが、これは眼鏡を含み、それは第１の液晶シャッタを有する第１のレンズと第２の液晶シャッタを有する第２のレンズと、第１と第２の液晶シャッタを交互に開く制御回路と含み、制御回路がシャッタを閉じるまで液晶の方向を最大の透過光量点に保ち、さらに、制御回路に作動可能に結合した信号受信器を含み、制御回路は、信号受信器を第１の所定の時間間隔で起動し、信号受信器が有効な信号を受信しているかどうかを判定し、第２の所定の時間間隔内に信号受信器が有効な信号を受信しない場合に、信号受信器を停止し、信号受信器が有効な信号を受信する場合、この有効な信号に対応する時間間隔で第１と第２のシャッタを交互に開閉するよう適合され、第１と第２の液晶シャッタの少なくとも一方のコントラスト比は約２００から約４００の範囲である。例示実施形態では、各シャッタは前部偏光子と、前部偏光子に結合した４分の1波長膜と、４分の1波長膜に結合した液晶セルと、液晶に結合した後部偏光子とを備える。例示実施形態では、前部偏光子は約５８度の透過軸を有する。例示実施形態では、４分の1波長膜は約４５度の透過軸を有する。例示実施形態では、後部偏光子は約４５度の透過軸を有する。
【０３０８】
３次元ビデオ画像を提供する方法を説明してきたが、これは第１の液晶シャッタを有する第１のレンズと第２の液晶シャッタを有する第２のレンズとを備える３次元視眼鏡を有することと、第１の液晶シャッタを開くことと、第１の液晶シャッタを第１の時間期間に亙り最大透過光量点に保つことと、第１の液晶シャッタを閉じ、続いて第２の液晶シャッタを開くことと、第２の液晶シャッタを第２の時間期間に亙り最大透過光量点に保つことを含み、第１の時間期間は観る人の片側の眼に対する画像の提示に対応し、第２の時間期間は観る人の他側の眼に対する画像の提示に対応し、さらに、信号受信器を第１の所定時間間隔で起動することと、信号受信器が信号送信器から有効な信号を受信しているかどうか判定することと、信号受信器が信号送信器から第２の時間間隔中に有効な信号を受信しない場合、信号受信器を停止することと、信号受信器が信号送信器から有効な信号を受信する場合、この有効な信号に対応する時間間隔で第１と第２のシャッタを開閉することとを含み、第１と第２の液晶シャッタの少なくとも一方のコントラスト比は約２００から約４００の範囲である。例示実施形態では、各シャッタは前部偏光子と、前部偏光子に結合した４分の1波長膜と、４分の1波長膜に結合した液晶セルと、液晶に結合した後部偏光子とを備える。例示実施形態では、前部偏光子は約５８度の透過軸を有する。例示実施形態では、４分の1波長膜は約４５度の透過軸を有する。例示実施形態では、後部偏光子は約４５度の透過軸を有する。
【０３０９】
３次元ビデオ画像を提供するシステムを説明してきたが、これは眼鏡を含み、それは第１の液晶シャッタを有する第１のレンズと第２の液晶シャッタを有する第２のレンズと、第１と第２の液晶シャッタを交互に開くことができる制御回路で、制御回路が液晶シャッタを閉じるまで液晶シャッタの少なくとも一方の向きを最大透過光量点に保つ制御回路とを含み、制御回路は第１の液晶シャッタと第２の液晶シャッタの両方を開いたままに保つよう適合され、第１と第２の液晶シャッタの少なくとも一方のコントラスト比は約２００から約４００の範囲である。例示実施形態では、各シャッタは前部偏光子と、前部偏光子に結合した４分の1波長膜と、４分の1波長膜に結合した液晶セルと、液晶に結合した後部偏光子とを備える。例示実施形態では、前部偏光子は約５８度の透過軸を有する。例示実施形態では、４分の1波長膜は約４５度の透過軸を有する。例示実施形態では、後部偏光子は約４５度の透過軸を有する。
【０３１０】
３次元ビデオ画像の提供システムを説明してきたが、これは眼鏡を含み、それは第１の液晶シャッタを有する第１のレンズと第２の液晶シャッタを有する第２のレンズと、第１と第２の液晶シャッタを交互に開く制御回路とを含み、制御回路がシャッタを閉じるまで液晶の方向を最大の透過光量点に保ち、制御回路は、眼鏡が電源オンされた後に、所定の時間期間に亙り第１と第２の液晶シャッタを開閉し、第１と第２の液晶シャッタの少なくとも一方のコントラスト比は約２００から約４００の範囲である。例示実施形態では、各シャッタは前部偏光子と、前部偏光子に結合した４分の1波長膜と、４分の1波長膜に結合した液晶セルと、液晶に結合した後部偏光子とを備える。例示実施形態では、前部偏光子は約５８度の透過軸を有する。例示実施形態では、４分の1波長膜は約４５度の透過軸を有する。例示実施形態では、後部偏光子は約４５度の透過軸を有する。
【０３１１】
３次元ビデオ画像を提供する方法を説明してきたが、これは第１の液晶シャッタと第２の液晶シャッタとを備える３次元視眼鏡を有することと、第１の液晶シャッタを１ミリ秒未満で開くことと、第１の液晶を第１の時間期間に亙り最大透過光量点に保つことと、第１の液晶シャッタを閉じ、続いて第２の液晶シャッタを１ミリ秒未満で開くことと、第２の液晶を第２の時間期間に亙り最大透過光量点に保つこととを含み、第１の時間期間が観る人の片側の眼に対する画像の提示に対応し、第２の時間期間が観る人の他側の眼に対する画像の提示に対応し、さらに、眼鏡を電源オンすることと、眼鏡を電源オンした後に、第１と第２の液晶シャッタを所定時間期間に亙り開閉することとを含み、第１と第２の液晶シャッタの少なくとも一方のコントラスト比は約２００から約４００の範囲である。例示実施形態では、各シャッタは前部偏光子と、前部偏光子に結合した４分の1波長膜と、４分の1波長膜に結合した液晶セルと、液晶に結合した後部偏光子とを備える。例示実施形態では、前部偏光子は約５８度の透過軸を有する。例示実施形態では、４分の1波長膜は約４５度の透過軸を有する。例示実施形態では、後部偏光子は約４５度の透過軸を有する。
【０３１２】
左右の視認シャッタを有する３Ｄ眼鏡用のフレームを説明してきたが、これは左右の視認シャッタを受容する左右のレンズ開口を画成するフレーム前部と、フレーム前部に結合されて延出し３Ｄ眼鏡のユーザの頭部に装着する左右の蔓とを含み、蔓の少なくとも一方が眼鏡に構造的な強度をもたらす空腔を画成する。例示実施形態では、左右の蔓は共に内側に湾曲させてある。
【０３１３】
左右の視認シャッタを有する３Ｄ眼鏡を説明してきたが、これは左右の視認シャッタを受容する左右の開口を画成するフレームと、左右の視認シャッタの動作を制御する中央コントローラと、フレームに結合されて中央コントローラを収容し、コントローラの少なくとも一部にアクセスする開口を画成する筺体と、筺体内の開口内に受容されて封止係合するカバーとを含み、フレームが眼鏡に構造的な強度をもたらす少なくとも１つの空腔を画成する。例示実施形態では、３Ｄ眼鏡はさらに筺体から延出し共に湾曲する左右の蔓を含む。
【０３１４】
左右の視認要素を有する３Ｄ眼鏡用のコントローラを収容する方法を説明してきたが、これはユーザが装着する左右の視認要素を支持するフレームを配設することと、３Ｄ眼鏡用のコントローラを収容するフレーム内筺体を配設することと、筺体に封止係合する封止要素を有する取り外し可能なカバーを用いてフレーム内に筺体を封止することと、フレームに接続された左右の蔓に構造的な強度をもたらすこととを含む。
【０３１５】
左右のシャッタと内部同期発生器とを備える３Ｄ眼鏡の作動方法を説明してきたが、これは外部同期発生器からの左右のシャッタの動作制御信号の存否を判定することと、外部同期発生器からの左右のシャッタの動作制御信号が不在である場合、内部同期発生器からの左右のシャッタの動作制御用信号を用いて左右のシャッタの動作を制御することとを含む。
【０３１６】
３Ｄ眼鏡が説明され、これは左右のシャッタと、左右のシャッタの動作を制御する信号を生成する内部動作生成器と、外部同期発生器から左右のシャッタを制御する信号を受信する受信器と、左右のシャッタと内部同期発生器と受信器とに作動可能に接続したコントローラとを含む。例示実施形態では、コントローラは、外部同期発生器から左右のシャッタの動作を制御する信号の存否を判定し、外部同期発生器からの左右のシャッタの動作を制御する信号が不在である場合、そのときに内部同期発生器からの左右のシャッタの動作を制御する信号を用いて左右のシャッタの動作を制御するよう適合する。
【０３１７】
左右のシャッタと内部同期発生器とを備える３Ｄ眼鏡を動作させるコンピュータプログラムを説明してきたが、これは外部同期発生器から左右のシャッタの動作を制御する信号の存否を判定することと、外部同期発生器からの左右のシャッタの動作を制御する信号が不在である場合、内部同期発生器からの左右のシャッタの動作を制御する信号を用いて左右のシャッタの動作を制御することとを含む。
【０３１８】
変形が発明の範囲から逸脱することなくこれまでに記載された事項においてなされることが理解できよう。特定の実施形態が示され、説明されているが、当業者であれば本発明の要旨または教示内容から逸脱することなく変更を行うことができよう。本明細書に説明された実施形態は、単に例示にすぎず、限定的ではない。多くの変形および変更が可能であり、発明の範囲に含まれる。さらに、例示実施形態の１つ以上の要素は、省略するか、１つ以上の他の例示実施形態のうちの１つ以上の要素と全体的あるいは部分的に組み合わせるか、または置き換えることができる。従って、保護範囲はこれまで説明された実施形態に限定されることなく、特許請求の範囲の要旨のすべての均等物を含む範囲におよぶ特許請求の範囲のみによって限定される。
【図１】
2011250405.tif 000015
【図２】
2011250405.tif 000016
【図３】
2011250405.tif 000017
【図４】
2011250405.tif 000018
【図５】
2011250405.tif 000019
【図６】
2011250405.tif 000020
【図７】
2011250405.tif 000021
【図８】
2011250405.tif 000022
【図９】
2011250405.tif 000023
【図１０】
2011250405.tif 000024
【図１１】
2011250405.tif 000025
【図１２】
2011250405.tif 000026
【図１３】
2011250405.tif 000027
【図１４】
2011250405.tif 000028
【図１５】
2011250405.tif 000029
【図１６】
2011250405.tif 000030
【図１７】
2011250405.tif 000031
【図１８ａ】
2011250405.tif 000032
【図１８ｂ】
2011250405.tif 000033
【図１８ｃ】
2011250405.tif 000034
【図１８ｄ】
2011250405.tif 000035
【図１９】
2011250405.tif 000036
【図２０】
2011250405.tif 000037
【図２１】
2011250405.tif 000038
【図２２】
2011250405.tif 000039
【図２３】
2011250405.tif 000040
【図２４】
2011250405.tif 000041
【図２５】
2011250405.tif 000042
【図２６】
2011250405.tif 000043
【図２７】
2011250405.tif 000044
【図２８】
2011250405.tif 000045
【図２９】
2011250405.tif 000046
【図３０ａ】
2011250405.tif 000047
【図３０ｂ】
2011250405.tif 000048
【図３０ｃ】
2011250405.tif 000049
【図３１】
2011250405.tif 000050
【図３２】
2011250405.tif 000051
【図３３】
2011250405.tif 000052
【図３４】
2011250405.tif 000053
【図３５】
2011250405.tif 000054
【図３６】
2011250405.tif 000055
【図３７】
2011250405.tif 000056
【図３８】
2011250405.tif 000057
【図３９】
2011250405.tif 000058
【図４０】
2011250405.tif 000059
【図４１】
2011250405.tif 000060
【図４２】
2011250405.tif 000061
【図４３】
2011250405.tif 000062
【図４４】
2011250405.tif 000063
【図４５】
2011250405.tif 000064
【図４６】
2011250405.tif 000065
【図４７】
2011250405.tif 000066
【図４８】
2011250405.tif 000067
【図４９】
2011250405.tif 000068
【図５０】
2011250405.tif 000069
【図５１】
2011250405.tif 000070
【図５２】
2011250405.tif 000071
【図５３】
2011250405.tif 000072
【図５４】
2011250405.tif 000073
【図５５】
2011250405.tif 000074
【図５６】
2011250405.tif 000075
【図５７】
2011250405.tif 000076
【図６９】
2011250405.tif 000077
【図７７ａ】
2011250405.tif 000078
【図７７ｂ】
2011250405.tif 000079
【図７８ａ】
2011250405.tif 000080
【図７８ｂ】
2011250405.tif 000081
【図１８】
2011250405.tif 000082
【図３０】
2011250405.tif 000083
【図５８】
2011250405.tif 000084
【図５９】
2011250405.tif 000085
【図６０】
2011250405.tif 000086
【図６１】
2011250405.tif 000087
【図６２】
2011250405.tif 000088
【図６３】
2011250405.tif 000089
【図６４】
2011250405.tif 000090
【図６５】
2011250405.tif 000091
【図６６】
2011250405.tif 000092
【図６７】
2011250405.tif 000093
【図６８】
2011250405.tif 000094
【図７０】
2011250405.tif 000095
【図７１】
2011250405.tif 000096
【図７２】
2011250405.tif 000097
【図７３】
2011250405.tif 000098
【図７４】
2011250405.tif 000099
【図７５】
2011250405.tif 000100
【図７６】
2011250405.tif 000101
【外国語明細書】
2011250405000001.pdf